(57)【要約】  本願は、ＮＦコンポーネント間の発見及びアクセスに対する中央管理を実行するために、ＮＦ管理方法及びＮＦ管理装置を開示し、それにより正常なネットワーク動作を実現する。本願の実施形態における方法は、第１ＮＦコンポーネントにより送信されるＮＦ発見要求を受信するステップであって、ＮＦ発見要求は第２ＮＦ識別子を含み、第２ＮＦ識別子は第２ＮＦを示すために使用される、ステップと、第２ＮＦ識別子に基づき第２ＮＦコンポーネントのコンポーネント情報を取得するステップであって、第２ＮＦコンポーネントは第２ＮＦを有し、コンポーネント情報は第２ＮＦコンポーネントの発見ポリシ及び第２ＮＦコンポーネント識別子を含む、ステップと、コンポーネント情報の中の発見ポリシに基づき、第１ＮＦコンポーネントが第２ＮＦコンポーネントにアクセス可能か否かを決定するステップと、可能な場合、第２ＮＦコンポーネント識別子を第１ＮＦコンポーネントへ送信するステップと、を含む。
2019525604.tif 000002
【特許請求の範囲】
【請求項１】
ネットワーク機能ＮＦ管理方法であって、
第１ＮＦコンポーネントにより送信されたＮＦ発見要求を受信するステップであって、前記ＮＦ発見要求は第２ＮＦ識別子を含み、前記第２ＮＦ識別子は第２ＮＦを示すために使用される、ステップと、
前記第２ＮＦ識別子に基づき第２ＮＦコンポーネントのコンポーネント情報を取得するステップであって、前記第２ＮＦコンポーネントは前記第２ＮＦを有し、前記コンポーネント情報は前記第２ＮＦコンポーネントの発見ポリシ及び第２ＮＦコンポーネント識別子を含む、ステップと、
前記コンポーネント情報の中の前記発見ポリシに基づき、前記第１ＮＦコンポーネントが前記第２ＮＦコンポーネントにアクセス可能か否かを決定するステップと、
可能な場合、前記第２ＮＦコンポーネント識別子を前記第１ＮＦコンポーネントへ送信するステップと、
を含むＮＦ管理方法。
【請求項２】
前記第２ＮＦ識別子に基づき第２ＮＦコンポーネントのコンポーネント情報を取得する前記ステップは、
前記ＮＦ発見要求から前記第２ＮＦ識別子を取得するステップと、
前記第２ＮＦ識別子に基づき、ローカルコンポーネント情報ベースから前記第２ＮＦコンポーネントの前記コンポーネント情報を取得するステップであって、前記第２ＮＦコンポーネントの前記コンポーネント情報は、前記発見ポリシ及び前記第２ＮＦコンポーネント識別子を含む、ステップと、
を含む、請求項１に記載のＮＦ管理方法。
【請求項３】
前記ＮＦ発見要求は、期待ネットワークスライス識別子を更に含み、前記期待ネットワークスライス識別子は、期待される要求を通じて前記第１ＮＦコンポーネントにより発見されたネットワークスライスを示し、該ネットワークスライスの中に、前記第２ＮＦを有するＮＦコンポーネントが位置し、前記コンポーネント情報は前記第２ＮＦコンポーネントのネットワークスライス識別子を更に含み、前記第２ＮＦコンポーネントの前記ネットワークスライス識別子は、前記第２ＮＦコンポーネントの位置するネットワークスライスを示し、
前記第２ＮＦ識別子に基づき、ローカルコンポーネント情報ベースから前記第２ＮＦコンポーネントの前記コンポーネント情報を取得する前記ステップは、
前記第２ＮＦ識別子及び前記期待ネットワークスライス識別子に基づき、前記ローカルコンポーネント情報ベースから前記第２ＮＦコンポーネントの前記コンポーネント情報を取得するステップであって、前記第２ＮＦコンポーネントの前記コンポーネント情報は、前記第２ＮＦコンポーネント識別子及び前記ネットワークスライス識別子を含む、ステップ、を含む、請求項２に記載のＮＦ管理方法。
【請求項４】
前記発見ポリシは、
前記第２ＮＦコンポーネントが、前記第２ＮＦコンポーネントと同じネットワークスライス内のＮＦコンポーネントによってのみアクセス可能である、又は、
前記第２ＮＦコンポーネントが、指定ネットワークスライス内のＮＦコンポーネントによってのみアクセス可能である、又は、
前記第２ＮＦコンポーネントが、全てのネットワークスライス内のＮＦコンポーネントによりアクセス可能である、
を含む、請求項３に記載のＮＦ管理方法。
【請求項５】
前記ＮＦ発見要求は、前記第１ＮＦコンポーネントのネットワークスライス識別子を更に含み、
前記コンポーネント情報の中の前記発見ポリシに基づき、前記第１ＮＦコンポーネントが前記第２ＮＦコンポーネントにアクセス可能か否かを決定する前記ステップは、
前記第２ＮＦコンポーネントの前記発見ポリシ及び前記ネットワークスライス識別子に基づき、前記第２ＮＦコンポーネントの発見可能ネットワークスライスを決定するステップと、
前記第１ＮＦコンポーネントの前記ネットワークスライス識別子に基づき、前記第１ＮＦコンポーネントの位置するネットワークスライスが前記発見可能ネットワークスライスの中に存在するか否かを決定するステップと、
存在する場合、前記第１ＮＦコンポーネントが前記第２ＮＦコンポーネントにアクセス可能であると決定するステップと、
を含む、請求項４に記載のＮＦ管理方法。
【請求項６】
前記第２ＮＦコンポーネント識別子を前記第１ＮＦコンポーネントへ送信する前記ステップは、
前記第２ＮＦコンポーネント識別子に基づきコンポーネント発見応答を生成し、前記コンポーネント発見応答を前記第１ＮＦコンポーネントへ送信するステップ、を含む、請求項１に記載のＮＦ管理方法。
【請求項７】
前記方法は、
新しいＮＦコンポーネントが展開されると、前記新しく展開されたＮＦコンポーネントのコンポーネント情報を取得するステップであって、前記新しく展開されたＮＦコンポーネントの前記コンポーネント情報は、前記新しく展開されたＮＦコンポーネントのコンポーネント識別子、ＮＦ識別子、発見ポリシ、及びネットワークスライス識別子を含む、ステップと、
前記ローカルコンポーネント情報ベースに、前記新しく展開されたＮＦコンポーネントの前記コンポーネント情報を格納するステップと、
を更に含む請求項１乃至６のいずれか一項に記載のＮＦ管理方法。
【請求項８】
ネットワーク機能ＮＦ管理方法であって、
第１ＮＦコンポーネントにより送信されるＮＦ発見要求を受信するステップであって、前記ＮＦ発見要求は第２ＮＦ識別子を含む、ステップと、
前記第２ＮＦ識別子に基づき第２ＮＦの発見ポリシを取得するステップと、
前記第２ＮＦの前記発見ポリシが、前記第１ＮＦコンポーネントが前記第２ＮＦにアクセスすることを許可する場合、１又は複数の第２ＮＦコンポーネントの識別子を取得するステップであって、前記第２ＮＦコンポーネントは前記第２ＮＦを有する、ステップと、
前記第１ＮＦコンポーネントへ、前記１又は複数の第２ＮＦコンポーネントの前記識別子を送信するステップと、
を含むＮＦ管理方法。
【請求項９】
１又は複数の第２ＮＦコンポーネントの識別子を取得する前記ステップは、
前記１又は複数の第２ＮＦコンポーネントのコンポーネント情報を取得するステップであって、前記第２ＮＦコンポーネントの前記コンポーネント情報は、前記第２ＮＦコンポーネントの前記識別子を含む、ステップと、
前記１又は複数の第２ＮＦコンポーネントの前記コンポーネント情報から、前記１又は複数の第２ＮＦコンポーネントの前記識別子を取得するステップと、
を含む、請求項８に記載のＮＦ管理方法。
【請求項１０】
前記ＮＦ発見要求は期待ネットワークスライスの識別子を更に含み、前記第２ＮＦ識別子に基づき第２ＮＦの発見ポリシを取得する前記ステップは、前記第２ＮＦ識別子及び前記期待ネットワークスライスの前記識別子に基づき、前記第２ＮＦの前記発見ポリシを取得するステップを含み、
前記１又は複数の第２ＮＦコンポーネントのコンポーネント情報を取得する前記ステップは、
前記第２ＮＦ識別子及び前記ネットワークスライスの前記識別子に基づき、前記期待ネットワークスライスの中の前記１又は複数の第２ＮＦコンポーネントの前記識別子を取得するステップ、を含む、請求項８又は９に記載のＮＦ管理方法。
【請求項１１】
前記ＮＦ発見要求はＮＦグループの識別子を更に含み、前記第２ＮＦ識別子に基づき第２ＮＦの発見ポリシを取得する前記ステップは、前記第２ＮＦ識別子及び前記ＮＦグループの前記識別子に基づき、前記第２ＮＦの前記発見ポリシを取得するステップを含み、
前記１又は複数の第２ＮＦコンポーネントのコンポーネント情報を取得する前記ステップは、
前記第２ＮＦ識別子及び前記ＮＦグループの前記識別子に基づき、前記ＮＦグループの中の前記１又は複数の第２ＮＦコンポーネントの前記識別子を取得するステップ、を含む、請求項８又は９に記載のＮＦ管理方法。
【請求項１２】
前記第２ＮＦの前記発見ポリシは、ＮＦの識別子及び前記ＮＦによりアクセス可能なサービスの識別子を更に含み、
前記方法は、
前記第１ＮＦコンポーネントにより送信された前記ＮＦ発見要求に基づき、前記第１ＮＦコンポーネントのＮＦの識別子を学習するステップと、
前記第１ＮＦコンポーネントによりアクセス可能なサービスの識別子を決定するために、前記ＮＦの前記識別子及び前記ＮＦによりアクセス可能な前記サービスの前記識別子をクエリするステップと、
前記第１ＮＦコンポーネントへ、前記第１ＮＦコンポーネントによりアクセス可能な前記サービスの前記識別子を送信するステップと、
を更に含む請求項８又は９に記載のＮＦ管理方法。
【請求項１３】
前記コンポーネント情報は、コンポーネント識別子及びＮＦ識別子を含む、請求項８乃至１２のいずれか一項に記載のＮＦ管理方法。
【請求項１４】
前記コンポーネント情報は、ＮＦコンポーネントアドレス、ネットワークスライス識別子、及びグループ識別子のうちの少なくとも１つを更に含み得る、請求項１３に記載のＮＦ管理方法。
【請求項１５】
前記発見ポリシは、
前記第２ＮＦが、同じネットワークスライス内のＮＦコンポーネントによってのみアクセス可能である、又は、
前記第２ＮＦが、指定ネットワークスライス内のＮＦコンポーネントによってのみアクセス可能である、又は、
前記第２ＮＦが、全てのネットワークスライス内のＮＦコンポーネントによりアクセス可能である、
を含む、請求項８乃至１４のいずれか一項に記載のＮＦ管理方法。
【請求項１６】
ネットワーク機能ＮＦ管理装置であって、
第１ＮＦコンポーネントにより送信されたＮＦ発見要求を受信するよう構成される受信モジュールであって、前記ＮＦ発見要求は第２ＮＦ識別子を含み、前記第２ＮＦ識別子は第２ＮＦを示すために使用される、受信モジュールと、
前記第２ＮＦ識別子に基づき第２ＮＦコンポーネントのコンポーネント情報を取得するよう構成される処理モジュールであって、前記第２ＮＦコンポーネントは前記第２ＮＦを有し、前記コンポーネント情報は前記第２ＮＦコンポーネントの発見ポリシ及び第２ＮＦコンポーネント識別子を含み、
前記処理モジュールは、前記コンポーネント情報の中の前記発見ポリシに基づき、前記第１ＮＦコンポーネントが前記第２ＮＦコンポーネントにアクセス可能か否かを決定するよう更に構成される、処理モジュールと、
前記第１ＮＦコンポーネントが前記第２ＮＦコンポーネントにアクセス可能なとき、前記第２ＮＦコンポーネント識別子を前記第１ＮＦコンポーネントへ送信するよう構成される送信モジュールと、
を含むＮＦ管理装置。
【請求項１７】
前記処理モジュールは、前記ＮＦ発見要求から前記第２ＮＦ識別子を取得するよう更に構成され、
前記処理モジュールは、前記第２ＮＦ識別子に基づき、ローカルコンポーネント情報ベースから前記第２ＮＦコンポーネントの前記コンポーネント情報を取得するよう更に構成され、前記第２ＮＦコンポーネントの前記コンポーネント情報は、前記発見ポリシ及び前記第２ＮＦコンポーネント識別子を含む、請求項１６に記載のＮＦ管理装置。
【請求項１８】
前記ＮＦ発見要求は、期待ネットワークスライス識別子を更に含み、前記期待ネットワークスライス識別子は、期待される要求を通じて前記第１ＮＦコンポーネントにより発見されたネットワークスライスを示し、該ネットワークスライスの中に、前記第２ＮＦを有するＮＦコンポーネントが位置し、前記コンポーネント情報は前記第２ＮＦコンポーネントのネットワークスライス識別子を更に含み、前記第２ＮＦコンポーネントの前記ネットワークスライス識別子は、前記第２ＮＦコンポーネントの位置するネットワークスライスを示し、
前記処理モジュールは、前記第２ＮＦ識別子及び前記期待ネットワークスライス識別子に基づき、前記ローカルコンポーネント情報ベースから前記第２ＮＦコンポーネントの前記コンポーネント情報を取得するよう更に構成され、前記第２ＮＦコンポーネントの前記コンポーネント情報は、前記第２ＮＦコンポーネント識別子及び前記ネットワークスライス識別子を含む、請求項１７に記載のＮＦ管理装置。
【請求項１９】
前記発見ポリシは、
前記第２ＮＦコンポーネントが、前記第２ＮＦコンポーネントと同じネットワークスライス内のＮＦコンポーネントによってのみアクセス可能である、又は、
前記第２ＮＦコンポーネントが、指定ネットワークスライス内のＮＦコンポーネントによってのみアクセス可能である、又は、
前記第２ＮＦコンポーネントが、全てのネットワークスライス内のＮＦコンポーネントによりアクセス可能である、
を含む、請求項１８に記載のＮＦ管理装置。
【請求項２０】
前記ＮＦ発見要求は、前記第１ＮＦコンポーネントのネットワークスライス識別子を更に含み、
前記処理モジュールは、前記第２ＮＦコンポーネントの前記発見ポリシ及び前記ネットワークスライス識別子に基づき、前記第２ＮＦコンポーネントの発見可能ネットワークスライスを決定するよう更に構成され、
前記処理モジュールは、前記第１ＮＦコンポーネントの前記ネットワークスライス識別子に基づき、前記第１ＮＦコンポーネントの位置するネットワークスライスが前記発見可能ネットワークスライスの中に存在するか否かを決定するよう更に構成され、
前記処理モジュールは、前記第１コンポーネントの位置する前記ネットワークスライスが前記発見可能ネットワークスライスの中に存在するとき、前記第１ＮＦコンポーネントは前記第２ＮＦコンポーネントにアクセス可能であると決定するよう更に構成される、
請求項１９に記載のＮＦ管理装置。
【請求項２１】
前記送信モジュールは、具体的に、前記第２ＮＦコンポーネント識別子に基づき、コンポーネント発見応答を生成し、前記コンポーネント発見応答を前記第１ＮＦコンポーネントへ送信するよう構成される、請求項１６に記載のＮＦ管理装置。
【請求項２２】
前記ＮＦ管理装置は、記憶モジュールを更に含み、
前記記憶モジュールは、新しいＮＦコンポーネントが展開されると、前記新しく展開されたＮＦコンポーネントのコンポーネント情報を取得するよう構成され、前記新しく展開されたＮＦコンポーネントの前記コンポーネント情報は、前記新しく展開されたＮＦコンポーネントのコンポーネント識別子、ＮＦ識別子、発見ポリシ、及びネットワークスライス識別子を含み、
前記記憶モジュールは、前記ローカルコンポーネント情報ベースに、前記新しく展開されたＮＦコンポーネントの前記コンポーネント情報を格納するよう更に構成される、
請求項１６乃至２１のいずれか一項に記載のＮＦ管理装置。
【請求項２３】
ネットワーク機能ＮＦ管理装置であって、
第１ＮＦコンポーネントにより送信されるＮＦ発見要求を受信するよう構成される受信モジュールであって、前記ＮＦ発見要求は第２ＮＦ識別子を含む、受信モジュールと、
前記第２ＮＦ識別子に基づき第２ＮＦの発見ポリシを取得するよう構成される処理モジュールであって、前記処理モジュールは、前記第２ＮＦの前記発見ポリシが、前記第１ＮＦコンポーネントが前記第２ＮＦにアクセスすることを許可する場合、１又は複数の第２ＮＦコンポーネントの識別子を取得するよう更に構成され、前記第２ＮＦコンポーネントは前記第２ＮＦを有する、処理モジュールと、
前記第１ＮＦコンポーネントへ、前記１又は複数の第２ＮＦコンポーネントの前記識別子を送信するよう構成される送信モジュールと、
を含むＮＦ管理装置。
【請求項２４】
前記処理モジュールは、前記１又は複数の第２ＮＦコンポーネントのコンポーネント情報を取得するよう更に構成され、前記第２ＮＦコンポーネントの前記コンポーネント情報は、前記第２ＮＦコンポーネントの前記識別子を含み、
前記処理モジュールは、前記１又は複数の第２ＮＦコンポーネントの前記コンポーネント情報から、前記１又は複数の第２ＮＦコンポーネントの前記識別子を取得するよう更に構成される、請求項２３に記載のＮＦ管理装置。
【請求項２５】
前記ＮＦ発見要求は期待ネットワークスライスの識別子を更に含み、前記第２ＮＦ識別子に基づき第２ＮＦの発見ポリシを取得することは、前記第２ＮＦ識別子及び前記期待ネットワークスライスの前記識別子に基づき、前記第２ＮＦの前記発見ポリシを取得することを含み、
前記処理モジュールは、前記第２ＮＦ識別子及び前記期待ネットワークスライスの前記識別子に基づき、前記期待ネットワークスライスの中の前記１又は複数の第２ＮＦコンポーネントの前記識別子を取得するよう更に構成される、請求項２３又は２４に記載のＮＦ管理装置。
【請求項２６】
前記ＮＦ発見要求はＮＦグループの識別子を更に含み、前記第２ＮＦ識別子に基づき第２ＮＦの発見ポリシを取得することは、前記第２ＮＦ識別子及び前記ＮＦグループの前記識別子に基づき、前記第２ＮＦの前記発見ポリシを取得することを含み、
前記処理モジュールは、前記第２ＮＦ識別子及び前記ＮＦグループの前記識別子に基づき、前記ＮＦグループの中の前記１又は複数の第２ＮＦコンポーネントの前記識別子を取得するよう更に構成される、請求項２３又は２４に記載のＮＦ管理装置。
【請求項２７】
前記第２ＮＦの前記発見ポリシは、ＮＦの識別子及び前記ＮＦによりアクセス可能なサービスの識別子を更に含み、
前記処理モジュールは、前記第１ＮＦコンポーネントにより送信された前記ＮＦ発見要求に基づき、前記第１ＮＦコンポーネントのＮＦの識別子を学習し、前記第１ＮＦコンポーネントによりアクセス可能なサービスの識別子を決定するために、前記ＮＦの前記識別子及び前記ＮＦによりアクセス可能な前記サービスの前記識別子をクエリするよう更に構成され、
前記送信モジュールは、前記第１ＮＦコンポーネントへ、前記第１ＮＦコンポーネントによりアクセス可能な前記サービスの前記識別子を送信するよう更に構成される、
請求項２３又は２４に記載のＮＦ管理装置。
【請求項２８】
前記コンポーネント情報は、コンポーネント識別子及びＮＦ識別子を含む、請求項２３乃至２７のいずれか一項に記載のＮＦ管理装置。
【請求項２９】
前記コンポーネント情報は、コンポーネントアドレス、ネットワークスライス識別子、及びグループ識別子のうちの少なくとも１つを更に含み得る、請求項２８に記載のＮＦ管理装置。
【請求項３０】
前記発見ポリシは、
前記第２ＮＦが、同じネットワークスライス内のＮＦコンポーネントによってのみアクセス可能である、又は、
前記第２ＮＦが、指定ネットワークスライス内のＮＦコンポーネントによってのみアクセス可能である、又は、
前記第２ＮＦが、全てのネットワークスライス内のＮＦコンポーネントによりアクセス可能である、
を含む、請求項２３乃至２９のいずれか一項に記載のＮＦ管理装置。
【発明の詳細な説明】
【技術分野】
【０００１】
［関連出願］
本願は、参照によりその全体がここに組み込まれる中国特許出願番号PCT/CN２０１６/０９２７２３、２０１６年８月１日に中国特許庁に出願、名称「NETWORK  FUNCTION  NF  MANAGEMENT  METHOD  AND  NF  MANAGEMENT  DEVICE」の優先権を主張する。
【０００２】
［技術分野］
本願は、通信分野に関し、具体的には、ＮＦ管理方法及びＮＦ管理装置に関する。
【背景技術】
【０００３】
現在、ネットワーク要素（Network  Element、ＮＥ）のアーキテクチャは進化型パケットコア（Evolved  Packet  Core、ＥＰＣ）において使用されている。アーキテクチャは、移動性管理エンティティ（Mobility  Management  Entity、ＭＭＥ）、サービングゲートウェイ（Serving  Gateway、Ｓ−ＧＷ）、及びパケットデータネットワークゲートウェイ（Packet  Data  Network  Gateway、Ｐ−ＧＷ）のような標準的なＮＥを含む。ＥＰＣの現在のネットワーク機能（例えば、移動性管理、ベアラ管理、及び位置管理）は、ＮＥの固定化されたサービス機能及び処理ロジック、並びにＮＥ間のプロシジャメッセージを用いて実装される。例えば、ユーザのアクセスサービスは、標準化されたサービスプロシジャロジック、並びにＭＭＥ、Ｓ−ＧＷ、Ｐ−ＧＷ、及びネットワーク内の別のＮＥ（例えば、ポリシ及び課金ルール機能（Policy  and  Charging  Rules  Function、ＰＣＲＦ）ユニット、及び宅内加入者サーバ（Home  Subscriber  Server、ＨＳＳ））の間の協力を通じて実装される必要がある。したがって、ＥＰＣにより提供される現在のネットワーク機能（Network  Function、ＮＦ）は、固定化されたサービス機能を有する。
【０００４】
ビジネスモデルの絶え間ない発展、及び技術の絶え間ない発展に伴い、ユーザのサービス要件は変化する。ユーザサービスは、より多くのサービスモード及びより良いサービス機能、例えば超低遅延通信及び高信頼通信、を要求する。したがって、新たなＮＦ要件が課される。しかしながら、ＥＰＣにより提供されるＮＦサービスは、固定化され、全てのＮＥに分散される。したがって、ユーザ要件をサポートするために新しいＮＦが導入される必要のある場合、ＮＥの処理ロジック及びプロシジャ相互作用はＥＰＣ内で再定義され再設計される必要がある。機器供給者にとっては、この再設計は、長い開発周期及び高いコストを意味し、ネットワークオペレータにとっては、この再設計は、新しいネットワークサービスが遅れずに発売できないことを意味する。
【０００５】
前述の問題を解決するために、既存ＮＦ管理方法は以下の通りである。図１に示すように、ネットワークアーキテクチャはＮ個のＵＥを含む。ＵＥは、無線アクセスネットワークノード（ＲＡＮ  Ｎｏｄｅ）を用いてコアネットワークにアクセスし、仮想化技術等に基づきコアネットワークの共通ネットワーク基盤上のセグメント化を通じてＮ個のネットワークスライス（Ｓｌｉｃｅ）を取得する。ネットワークスライスは、専用ネットワークとしても参照され得る。専用ネットワークは、１又は複数のサービスにより要求されるネットワークサービスを実装するために使用される。サービス指向型アーキテクチャ（Service  oriented  architecture）が、ネットワークスライスの中で使用されて良い。元のネットワークアーキテクチャの中の（ＭＭＥ及びＳ−ＧＷのような）ＮＥは、機能種別、例えば認証及びセキュリティ機能、パケットデータセッション管理機能、移動性管理機能、アクセス制御機能、及びポリシ制御機能、に基づき、異なるＮＦとして定義される。これらの機能は、対応するＮＦコンポーネントにより実装される。各ＮＦコンポーネントは、定義されたサービスインタフェースを用いて、別のＮＦコンポーネント又は機能にサービスする。図２に示すアーキテクチャでは、同じオペレータの複数のネットワークスライス（ＳｌｉｃｅＡ、ＳｌｉｃｅＢ、及びＳｌｉｃｅＣ）は、同じ公衆地上移動体ネットワーク（Public  Land  Mobile  Network、ＰＬＭＮ）を使用し、クラウド技術、仮想化技術、等を用いてオペレータの基盤内に展開されて良い。オペレータの基盤は、クラウドコンピューティング及びオペレータの送信基盤を含む。図２では、ＳｌｉｃｅＡはＮＦコンポーネントＮＦ１及びＮＦ２を含み、ＳｌｉｃｅＢはＮＦ４及びＮＦ５を含み、ＳｌｉｃｅＡ及びＳｌｉｃｅＢはＮＦ３を共有し、ＳｌｉｃｅＣはＮＦ６及びＮＦ７を含み、ＮＦ３及びＮＦ７は同じＮＦを有する。ユーザ機器がユーザサービスを実行する必要があるとき、ユーザ機器は、ネットワークノード（Ｎｏｄｅ１、Ｎｏｄｅ２、又はＮｏｄｅ３）を用いて１つのネットワークスライスにアクセスする。異なるＮＦコンポーネントによりサポートされる機能は、可能な限り分離される必要がある。具体的に言うと、異なるＮＦコンポーネントの機能は可能な限り異なる。ＮＦコンポーネントは、別のＮＦコンポーネントの機能を発見しアクセスできる。例えば、ユーザサービスにより要求されるネットワークサービスは、先ず、ＮＦ１の機能を実行し、ＮＦ１の機能が実行されると、ＮＦ３の機能を実行する。図２では、ＮＦ１は、ネットワークスライスＡ及びネットワークスライスＢにより共有されるＮＦ３を発見し及びアクセスし、また、ネットワークスライスＣ内のＮＦ７を発見し及びアクセスできる。
【０００６】
しかしながら、ＮＦコンポーネント間のアクセスは、コアネットワーク内で制限される。例えば、ネットワークスライスが障害があるとき、別のネットワークスライスに影響を及ぼすことを回避するために、オペレータは、ネットワークスライスに対して機能分離要件を有する。ネットワークスライス分離要件に基づき、オペレータのＩｎｆｒａｓｔｒｕｃｔｕｒｅ上に展開されたＮＦコンポーネント間のアクセスは、制御される必要がある。具体的に言うと、ネットワークスライス内のＮＦコンポーネントは、該ネットワークスライス内のＮＦコンポーネント又は該ネットワークスライスにより共有されるＮＦコンポーネントにのみアクセス可能であることが要求される。図２のネットワークスライスＡ内のＮＦ１は、任意のネットワークスライスの中のＮＦ３と同じＮＦを有するＮＦコンポーネントを発見しアクセスできる。例えば、ＮＦ１及びネットワークスライスＣ内のＮＦ７は同じネットワークスライス内になく、これは、オペレータのネットワークスライス分離要件に違反する。同じＮＦを有する全てのＮＦコンポーネントが発見されアクセスされ得る。したがって、ＮＦコンポーネントはネットワークルールに従わずにアクセスされ、正常なネットワーク動作が影響を受ける。例えば、オペレータのネットワークスライス分離要件が否定される。
【発明の概要】
【０００７】
本願は、ＮＦコンポーネント間の発見及びアクセスを管理するために、ＮＦ管理方法及びＮＦ管理装置を提供し、それにより正常なネットワーク動作を実現する。
【０００８】
本願の第１の態様は、ＮＦ管理方法であって、
第１ＮＦコンポーネントにより送信されたＮＦ発見要求を受信するステップであって、前記ＮＦ発見要求は第２ＮＦ識別子を含み、前記第２ＮＦ識別子は第２ＮＦを示すために使用される、ステップと、
前記第２ＮＦ識別子に基づき第２ＮＦコンポーネントのコンポーネント情報を取得するステップであって、前記第２ＮＦコンポーネントは前記第２ＮＦを有し、前記コンポーネント情報は前記第２ＮＦコンポーネントの発見ポリシ及び第２ＮＦコンポーネント識別子を含む、ステップと、
前記コンポーネント情報の中の前記発見ポリシに基づき、前記第１ＮＦコンポーネントが前記第２ＮＦコンポーネントにアクセス可能か否かを決定するステップと、
可能な場合、前記第２ＮＦコンポーネント識別子を前記第１ＮＦコンポーネントへ送信するステップと、を含む方法を提供する。
【０００９】
コアネットワークの中のネットワークスライス内で構成されたＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。ＮＦ管理装置は、第１ＮＦコンポーネントのＮＦ発見要求を受信し、ＮＦ発見要求の中の第２ＮＦ識別子に基づき、第２ＮＦコンポーネントの格納されたコンポーネント情報を取得し、コンポーネント情報の中の発見ポリシに基づき、第１ＮＦコンポーネントが第２ＮＦコンポーネントにアクセス可能か否かを決定し、第１ＮＦコンポーネントが第２ＮＦコンポーネントにアクセス可能な場合、第１ＮＦコンポーネントへ第２ＮＦコンポーネント識別子を送信して、第１ＮＦコンポーネントが第２ＮＦコンポーネント識別子に基づき第２ＮＦコンポーネントにアクセスし、及びユーザサービスを達成するために第２ＮＦを実行できるようにする。発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００１０】
本願の第１の態様を参照して、本願の第１の態様の第１の実装では、第２ＮＦ識別子に基づき第２ＮＦコンポーネントのコンポーネント情報を取得するステップは、
ＮＦ発見要求から第２ＮＦ識別子を取得するステップと、
第２ＮＦ識別子に基づき、ローカルコンポーネント情報ベースから第２ＮＦコンポーネントのコンポーネント情報を取得するステップであって、第２ＮＦコンポーネントのコンポーネント情報は、第２ＮＦコンポーネント識別子を含む、ステップと、を含む。
【００１１】
従来技術において、当業者は、機能種別に基づく異なるＮＦとして、ネットワーク内でサポートされる必要のある機能を定義する。ＮＦコンポーネントは、ＮＦをサポートでき、ネットワークスライス内で構成される。各展開されたＮＦコンポーネントのコンポーネント情報は、ＮＦ管理装置のローカルコンポーネント情報ベースに格納される。全てのＮＦコンポーネントのコンポーネント情報がローカルコンポーネント情報ベースに格納されるので、対応する第２ＮＦコンポーネント識別子は、第２ＮＦ識別子に基づきコンポーネント情報ベースから読み出され得る。第２ＮＦ識別子は、ＮＦコンポーネントが第２ＮＦを有することを示す。ネットワーク全体には第２ＮＦを有する複数のＮＦコンポーネントが存在し得る。したがって、複数の第２ＮＦコンポーネントは、読み出された第２ＮＦコンポーネント識別子に基づき決定されて良い。第２ＮＦコンポーネントのコンポーネント情報は、第２ＮＦコンポーネントが決定された後に、抽出され、各第２ＮＦコンポーネントはそれぞれの発見ポリシを有する。これは、ＮＦ管理装置による中央ＮＦコンポーネント管理を実現する。
【００１２】
本願の第１の態様の第１の実装を参照して、本願の第１の態様の第２の実装では、前記ＮＦ発見要求は、期待ネットワークスライス識別子を更に含み、前記期待ネットワークスライス識別子は、期待される要求を通じて前記第１ＮＦコンポーネントにより発見されたネットワークスライスを示し、該ネットワークスライスの中に、前記第２ＮＦを有するＮＦコンポーネントが位置し、前記コンポーネント情報は前記第２ＮＦコンポーネントのネットワークスライス識別子を更に含み、前記第２ＮＦコンポーネントの前記ネットワークスライス識別子は、前記第２ＮＦコンポーネントの位置するネットワークスライスを示し、
前記第２ＮＦ識別子に基づき、ローカルコンポーネント情報ベースから前記第２ＮＦコンポーネントの前記コンポーネント情報を取得する前記ステップは、
前記第２ＮＦ識別子及び前記期待ネットワークスライス識別子に基づき、前記ローカルコンポーネント情報ベースから前記第２ＮＦコンポーネントの前記コンポーネント情報を取得するステップであって、前記第２ＮＦコンポーネントの前記コンポーネント情報は、前記第２ＮＦコンポーネント識別子及び前記ネットワークスライス識別子を含む、ステップ、を含む。
【００１３】
第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライス識別子を含む必要がある。ＮＦ管理装置は、全ての第２ＮＦコンポーネントを発見し、ローカルコンポーネント情報ベースから、第２ＮＦコンポーネントのコンポーネント情報を取得する。第１ＮＦコンポーネントがネットワークスライス内の第２ＮＦコンポーネントを発見しアクセスすることを期待している場合でも、ＮＦ管理装置は、発見ポリシに基づきネットワークスライス内の第２ＮＦコンポーネントの発見可能ネットワークスライスを決定する必要がある。第１ＮＦコンポーネントの位置するネットワークスライスが発見可能ネットワークスライスの中に存在する場合、第１ＮＦコンポーネントの要件は満たされ、発見ポリシが守られる。
【００１４】
本願の第１の態様の第２の実装を参照して、本願の第１の態様の第３の実装では、前記発見ポリシは、
前記第２ＮＦコンポーネントが、前記第２ＮＦコンポーネントと同じネットワークスライス内のＮＦコンポーネントによってのみアクセス可能である、又は、
前記第２ＮＦコンポーネントが、指定ネットワークスライス内のＮＦコンポーネントによってのみアクセス可能である、又は、
前記第２ＮＦコンポーネントが、全てのネットワークスライス内のＮＦコンポーネントによってアクセス可能である、を含む。
【００１５】
ＮＦコンポーネントの発見ポリシは、ネットワークルールに従いプリセットされる。例えば、ある場合には、第２ＮＦコンポーネントは、ネットワークスライス分離要件に基づき、同じネットワークスライス内のＮＦコンポーネントによってのみアクセス可能である。別の場合には、第２ＮＦコンポーネントは、指定ネットワークスライス内のＮＦコンポーネントによりアクセス可能である。更に別の場合には、第２ＮＦコンポーネントは、いかなる制限も無しに、全てのネットワークスライス内のＮＦコンポーネントによりアクセス可能である。３つの場合は、説明のための単なる例である。実際の用途において別の場合が存在して良く、これは具体的に限定されない。
【００１６】
本願の第１の態様の第３の実装を参照して、本願の第１の態様の第４の実装では、前記ＮＦ発見要求は、前記第１ＮＦコンポーネントのネットワークスライス識別子を更に含み、
前記コンポーネント情報の中の前記発見ポリシに基づき、前記第１ＮＦコンポーネントが前記第２ＮＦコンポーネントにアクセス可能か否かを決定する前記ステップは、
前記第２ＮＦコンポーネントの前記発見ポリシ及び前記ネットワークスライス識別子に基づき、前記第２ＮＦコンポーネントの発見可能ネットワークスライスを決定するステップと、
前記第１ＮＦコンポーネントの前記ネットワークスライス識別子に基づき、前記第１ＮＦコンポーネントの位置するネットワークスライスが前記発見可能ネットワークスライスの中に存在するか否かを決定するステップと、
存在する場合、前記第１ＮＦコンポーネントが前記第２ＮＦコンポーネントにアクセス可能であると決定するステップと、を含む。
【００１７】
第２ＮＦコンポーネントの発見ポリシがネットワークスライス分離要件に基づき設定される場合、第１ＮＦコンポーネントにより送信されたＮＦ発見要求は、第１ＮＦコンポーネントのネットワークスライス識別子（例えば、Ｓｌｉｃｅ１）を更に含む必要があり、又は、ＮＦ管理装置は、第１ＮＦコンポーネントのコンポーネント識別子及びＮＦ管理装置に格納された第１ＮＦコンポーネントのコンポーネント情報に基づき、第１ＮＦコンポーネントの位置するネットワークスライスのネットワークスライス識別子を取得して良い。ＮＦ管理装置は、各第２ＮＦコンポーネントのコンポーネント情報から、各第２ＮＦコンポーネントの発見ポリシ及びネットワークスライス識別子を取得する。第２ＮＦコンポーネントＮＦ１の発見ポリシが、同じネットワークスライス内のＮＦコンポーネントのアクセスのみを許可し、ネットワークスライス識別子がＳｌｉｃｅ１である、第２ＮＦコンポーネントＮＦ２の発見ポリシは、同じネットワークスライス又は共有ネットワークスライス（共有ネットワークスライス識別子はＳｌｉｃｅ３である）内のＮＦコンポーネントのアクセスのみを許可し、ネットワークスライス識別子はＳｌｉｃｅ２である、と仮定する。ＮＦ管理装置は、ＮＦ１の発見ポリシ及びネットワークスライス識別子に基づき、ＮＦ１の発見可能ネットワークスライスがＳｌｉｃｅ１であると決定する。同様に、ＮＦ２の発見可能ネットワークスライスはＳｌｉｃｅ２及びＳｌｉｃｅ３である。第１ＮＦコンポーネントのネットワークスライス識別子（Ｓｌｉｃｅ１）に基づき、第１ＮＦコンポーネントの位置するネットワークスライスがＮＦ１の発見可能ネットワークスライスの中にあると決定され、ＮＦ１が目標ＮＦコンポーネントであると決定される。さらに、第１ＮＦコンポーネントのネットワークスライス識別子（Ｓｌｉｃｅ１）に基づき、第１ＮＦコンポーネントの位置するネットワークスライスがＮＦ２の発見可能ネットワークスライスの中にないと決定され、ＮＦ２は目標ＮＦコンポーネントではないと決定される。目標ＮＦコンポーネントは、発見ポリシに基づき同じＮＦを有する第２ＮＦコンポーネントから決定される。さらに、発見ポリシはネットワークルールに従い設定されるので、決定された目標ＮＦコンポーネントは確実にネットワークルールに従い、それにより、第２ＮＦコンポーネントの中にあり且つ第１ＮＦコンポーネントによるアクセスがネットワークルールに従わないＮＦコンポーネントをフィルタリングする。
【００１８】
本願の第１の態様を参照して、本願の第１の態様の第５の実装では、前記第１ＮＦコンポーネントへ前記第２ＮＦコンポーネント識別子を送信する前記ステップは、
前記第２ＮＦコンポーネント識別子に基づきコンポーネント発見応答を生成し、前記コンポーネント発見応答を前記第１ＮＦコンポーネントへ送信するステップを含む。
【００１９】
第１ＮＦコンポーネントのＮＦ発見要求に対して、ＮＦ管理装置は、コンポーネント発見応答に第２ＮＦコンポーネント識別子を付加し、コンポーネント発見応答を第１ＮＦコンポーネントにフィードバックする。第２ＮＦコンポーネント識別子は、第２ＮＦコンポーネントのコンポーネントアドレス、コンポーネントＩＤ、等であって良く、第２ＮＦコンポーネントを識別する識別子であって良い。
【００２０】
本願の第１の態様又は第１の態様の第１乃至第５の実装のうちのいずれか１つを参照して、本願の第１の態様の第６の実装では、前記方法は、
新しいＮＦコンポーネントが展開されると、前記新しく展開されたＮＦコンポーネントのコンポーネント情報を取得するステップであって、前記新しく展開されたＮＦコンポーネントの前記コンポーネント情報は、前記新しく展開されたＮＦコンポーネントのコンポーネント識別子、ＮＦ識別子、発見ポリシ、及びネットワークスライス識別子を含む、ステップと、
前記ローカルコンポーネント情報ベースに、前記新しく展開されたＮＦコンポーネントの前記コンポーネント情報を格納するステップと、を更に含む。
【００２１】
従来技術において、当業者は、機能種別に基づく異なるＮＦとして、ネットワーク内でサポートされる必要のある機能を定義する。ＮＦコンポーネントは、ＮＦをサポートし、ネットワークスライス内で構成される。新しいＮＦコンポーネントが展開されるとき、新しく展開されるＮＦコンポーネントのコンポーネント情報は、ＮＦ管理装置へ送信される必要がある。コンポーネント情報は、新しく展開されたＮＦコンポーネントの、コンポーネントアドレス（例えばＩＰアドレス）、コンポーネント識別子、ＮＦ識別子、発見ポリシ、及びネットワークスライス識別子を含む。コンポーネント識別子は、新しく展開されたＮＦコンポーネントのユニークな識別子である。ＮＦ識別子は、新しく展開されたＮＦコンポーネントのＮＦ種別を示す。ＮＦ種別は、認証及びセキュリティ機能、ベアラ管理機能、移動性管理機能、アクセス制御機能、等を含んで良い。発見ポリシは、新しく展開されたＮＦコンポーネントの且つネットワークルールに従い当業者により設定された発見条件である。例えば、発見ポリシは、同じネットワークスライス内のＮＦコンポーネントのアクセスのみを許可し、又は指定ネットワークスライス内のＮＦコンポーネントのアクセスのみを許可する。ネットワークスライス識別子は、新しく展開されたＮＦコンポーネントの位置するネットワークスライスを示す。ＮＦ管理装置は、新しく展開されたＮＦコンポーネントのコンポーネント情報を取得し、コンポーネント情報をコンポーネント情報ベースに格納する。ＮＦコンポーネント管理をより良好に実施するために、ＮＦ管理装置は、全てのネットワークスライス内の新しく展開されたＮＦコンポーネントのコンポーネント情報を格納する必要がある。
【００２２】
本願の第２の態様は、ＮＦ管理方法であって、
第１ＮＦコンポーネントにより送信されたＮＦ発見要求を受信するステップであって、ＮＦ発見要求は第２ＮＦ識別子を含む、ステップと、
第２ＮＦ識別子に基づき第２ＮＦの発見ポリシを取得するステップと、
第２ＮＦの発見ポリシが、第１ＮＦコンポーネントの第２ＮＦへのアクセスを許可する場合、１又は複数の第２ＮＦコンポーネントの識別子を取得するステップであって、第２ＮＦコンポーネントは第２ＮＦを有する、ステップと、
第１ＮＦコンポーネントへ、１又は複数の第２ＮＦコンポーネントの識別子を送信するステップと、を含む方法を提供する。
【００２３】
コアネットワークの中のネットワークスライス内で構成されたＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。ＮＦ管理装置は、第１ＮＦコンポーネントのＮＦ発見要求を受信し、ＮＦ発見要求の中の第２ＮＦ識別子に基づき、第２ＮＦコンポーネントの発見ポリシを取得し、第２ＮＦの発見ポリシが第１ＮＦコンポーネントの第２ＮＦへのアクセスを許可する場合、１又は複数の第２ＮＦコンポーネントの識別子を取得し、ここで第２ＮＦコンポーネントは第２ＮＦを有し、並びに、１又は複数の第２ＮＦコンポーネントの識別子を第１ＮＦコンポーネントへ送信して、第１ＮＦコンポーネントが、第２ＮＦコンポーネント識別子に基づき第２ＮＦコンポーネントにアクセスし及びユーザサービスを達成するために第２ＮＦを実行できるようにする。第２ＮＦコンポーネントの発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００２４】
本願の第２の態様を参照して、本願の第２の態様の第１の実装では、１又は複数の第２ＮＦコンポーネントの識別子を取得する前記ステップは、
前記１又は複数の第２ＮＦコンポーネントのコンポーネント情報を取得するステップであって、前記第２ＮＦコンポーネントの前記コンポーネント情報は、前記第２ＮＦコンポーネントの前記識別子を含む、ステップと、
前記１又は複数の第２ＮＦコンポーネントの前記コンポーネント情報から、前記１又は複数の第２ＮＦコンポーネントの前記識別子を取得するステップと、を含む。
【００２５】
従来技術において、当業者は、機能種別に基づく異なるＮＦとして、ネットワーク内でサポートされる必要のある機能を定義する。ＮＦコンポーネントは、ＮＦをサポートでき、ネットワークスライス内で構成される。各展開されたＮＦコンポーネントのコンポーネント情報は、ＮＦ管理装置のローカルコンポーネント情報ベースに格納される。１又は複数の第２ＮＦコンポーネントのコンポーネント情報が取得される。第２ＮＦコンポーネントのコンポーネント情報は、第２ＮＦコンポーネントの識別子を含み、１又は複数の第２ＮＦコンポーネントの識別子が１又は複数の第２ＮＦコンポーネントのコンポーネント情報から取得できるようにし、それにより、ＮＦ管理装置による中央ＮＦコンポーネント管理を実現する。
【００２６】
本願の第２の態様又は第２の態様の第１の実装を参照して、本願の第２の態様の第２の実装では、前記ＮＦ発見要求は期待ネットワークスライスの識別子を更に含み、前記第２ＮＦ識別子に基づき第２ＮＦの発見ポリシを取得する前記ステップは、前記第２ＮＦ識別子及び前記期待ネットワークスライスの前記識別子に基づき、前記第２ＮＦの前記発見ポリシを取得するステップを含み、
前記１又は複数の第２ＮＦコンポーネントのコンポーネント情報を取得する前記ステップは、
前記第２ＮＦ識別子及び前記期待ネットワークスライスの前記識別子に基づき、前記期待ネットワークスライスの中の前記１又は複数の第２ＮＦコンポーネントの前記識別子を取得するステップ、を含む。
【００２７】
第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライスの識別子を含む必要がある。第２ＮＦ識別子及び期待ネットワークスライスの識別子に基づき第２ＮＦの発見ポリシが取得された後に、第２ＮＦの発見ポリシが第１ＮＦコンポーネントの第２ＮＦへのアクセスを許可する場合、第２ＮＦ識別子及び期待ネットワークスライスの識別子に基づき期待ネットワークスライスの中の１又は複数の第２ＮＦコンポーネントの識別子が取得される。
【００２８】
本願の第２の態様又は第２の態様の第１の実装を参照して、本願の第２の態様の第３の実装では、前記ＮＦ発見要求はＮＦグループの識別子を更に含み、前記第２ＮＦ識別子に基づき第２ＮＦの発見ポリシを取得する前記ステップは、前記第２ＮＦ識別子及び前記ＮＦグループの前記識別子に基づき、前記第２ＮＦの前記発見ポリシを取得するステップを含み、
前記１又は複数の第２ＮＦコンポーネントのコンポーネント情報を取得する前記ステップは、
前記第２ＮＦ識別子及び前記ＮＦグループの前記識別子に基づき、前記ＮＦグループの中の前記１又は複数の第２ＮＦコンポーネントの前記識別子を取得するステップ、を含む。
【００２９】
第１ＮＦコンポーネントがＮＦグループの中の第２ＮＦを有するＮＦコンポーネントを発見しアクセスすることを期待している場合、第１ＮＦコンポーネントにより送信されたＮＦ発見要求は、さらにＮＦグループの識別子を含む必要がある。第２ＮＦ識別子及びＮＦグループの識別子に基づき第２ＮＦの発見ポリシが取得された後に、第２ＮＦの発見ポリシが第１ＮＦコンポーネントの第２ＮＦへのアクセスを許可する場合、第２ＮＦ識別子及びＮＦグループの識別子に基づきＮＦグループの中の１又は複数の第２ＮＦコンポーネントの識別子が取得される。
【００３０】
本願の第２の態様又は第２の態様の第１の実装を参照して、本願の第２の態様の第４の実装では、前記第２ＮＦの前記発見ポリシは、ＮＦの識別子及び前記ＮＦによりアクセス可能なサービスの識別子を更に含み、
前記方法は、
前記第１ＮＦコンポーネントにより送信された前記ＮＦ発見要求に基づき、前記第１ＮＦコンポーネントのＮＦの識別子を学習するステップと、
前記第１ＮＦコンポーネントによりアクセス可能なサービスの識別子を決定するために、前記ＮＦの前記識別子及び前記ＮＦによりアクセス可能な前記サービスの前記識別子をクエリするステップと、
前記第１ＮＦコンポーネントへ、前記第１ＮＦコンポーネントによりアクセス可能な前記サービスの前記識別子を送信するステップと、を更に含む。
【００３１】
本願の第２の態様、又は第２の態様の第１乃至第４の実装のうちのいずれか１つを参照して、本願の第２の態様の第５の実装では、前記コンポーネント情報はコンポーネント識別子及びＮＦ識別子を含む。
【００３２】
本願の第２の態様の第５の実装を参照して、本願の第２の態様の第６の実装では、前記コンポーネント情報は、コンポーネントアドレス、ネットワークスライス識別子、及びグループ識別子のうちの少なくとも１つを更に含んで良い。
【００３３】
本願の第２の態様、又は第２の態様の第１乃至第６の実装のいずれか１つを参照して、本願の第２の態様の第７の実装では、前記発見ポリシは、
前記第２ＮＦが、同じネットワークスライス内のＮＦコンポーネントによってのみアクセス可能である、又は、
前記第２ＮＦが、指定ネットワークスライス内のＮＦコンポーネントによってのみアクセス可能である、又は、
前記第２ＮＦが、全てのネットワークスライス内のＮＦコンポーネントによってアクセス可能である、を含む。
【００３４】
本願の第３の態様は、ＮＦ管理装置であって、
第１ＮＦコンポーネントにより送信されたＮＦ発見要求を受信するよう構成される受信モジュールであって、前記ＮＦ発見要求は第２ＮＦ識別子を含み、前記第２ＮＦ識別子は第２ＮＦを示すために使用される、受信モジュールと、
前記第２ＮＦ識別子に基づき第２ＮＦコンポーネントのコンポーネント情報を取得するよう構成される処理モジュールであって、前記第２ＮＦコンポーネントは前記第２ＮＦを有し、前記コンポーネント情報は前記第２ＮＦコンポーネントの発見ポリシ及び第２ＮＦコンポーネント識別子を含み、前記処理モジュールは、前記コンポーネント情報の中の前記発見ポリシに基づき、前記第１ＮＦコンポーネントが前記第２ＮＦコンポーネントにアクセス可能か否かを決定するよう更に構成される、処理モジュールと、
前記第１ＮＦコンポーネントが前記第２ＮＦコンポーネントにアクセス可能なとき、前記第２ＮＦコンポーネント識別子を前記第１ＮＦコンポーネントへ送信するよう構成される送信モジュールと、を含む装置を提供する。
【００３５】
コアネットワークの中のネットワークスライス内で構成された各ＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。受信モジュールは、第１ＮＦコンポーネントのＮＦ発見要求を受信する。処理モジュールは、ＮＦ発見要求の中の第２ＮＦ識別子に基づき、第２ＮＦコンポーネントの格納されたコンポーネント情報を取得し、コンポーネント情報の中の発見ポリシに基づき、第１ＮＦコンポーネントが第２ＮＦコンポーネントにアクセス可能か否かを決定する。送信モジュールは、第１ＮＦコンポーネントが第２ＮＦコンポーネントにアクセス可能な場合、第２ＮＦコンポーネント識別子を第１ＮＦコンポーネントへ送信して、第１ＮＦコンポーネントが第２ＮＦコンポーネント識別子に基づき第２ＮＦコンポーネントにアクセスし及びユーザサービスを達成するために第２ＮＦを実行できるようにする。発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００３６】
本願の第３の態様を参照して、本願の第３の態様の第１の実装では、
前記処理モジュールは、前記ＮＦ発見要求から前記第２ＮＦ識別子を取得するよう更に構成され、
前記処理モジュールは、前記第２ＮＦ識別子に基づき、ローカルコンポーネント情報ベースから前記第２ＮＦコンポーネントの前記コンポーネント情報を取得するよう更に構成され、前記第２ＮＦコンポーネントの前記コンポーネント情報は、前記発見ポリシ及び前記第２ＮＦコンポーネント識別子を含む。
【００３７】
従来技術において、当業者は、機能種別に基づく異なるＮＦとして、ネットワーク内でサポートされる機能を定義する。ＮＦコンポーネントは、ＮＦをサポートし、ネットワークスライス内で構成される。各展開されたＮＦコンポーネントのコンポーネント情報は、ＮＦ管理装置のローカルコンポーネント情報ベースに格納される。全てのＮＦコンポーネントのコンポーネント情報がローカルコンポーネント情報ベースに格納されるので、対応する第２ＮＦコンポーネント識別子は、第２ＮＦ識別子に基づきコンポーネント情報ベースから読み出され得る。第２ＮＦ識別子は、ＮＦコンポーネントが第２ＮＦを有することを示す。ネットワーク全体には第２ＮＦを有する複数のＮＦコンポーネントが存在し得る。したがって、複数の第２ＮＦコンポーネントは、読み出された第２ＮＦコンポーネント識別子に基づき決定されて良い。処理モジュールは、第２ＮＦコンポーネントを決定した後に、第２ＮＦコンポーネントのコンポーネント情報を抽出し、各第２ＮＦコンポーネントはそれぞれの発見ポリシを有する。これは、ＮＦ管理装置による中央ＮＦコンポーネント管理を実現する。
【００３８】
本願の第３の態様の第１の実装を参照して、本願の第３の態様の第２の実装では、前記ＮＦ発見要求は、期待ネットワークスライス識別子を更に含み、前記期待ネットワークスライス識別子は、期待される要求を通じて前記第１ＮＦコンポーネントにより発見されたネットワークスライスを示し、該ネットワークスライスの中に、前記第２ＮＦを有するＮＦコンポーネントが位置し、前記コンポーネント情報は前記第２ＮＦコンポーネントのネットワークスライス識別子を更に含み、前記第２ＮＦコンポーネントの前記ネットワークスライス識別子は、前記第２ＮＦコンポーネントの位置するネットワークスライスを示し、
前記処理モジュールは、前記第２ＮＦ識別子及び前記期待ネットワークスライス識別子に基づき、ローカルコンポーネント情報ベースから前記第２ＮＦコンポーネントの前記コンポーネント情報を取得するよう更に構成され、前記第２ＮＦコンポーネントの前記コンポーネント情報は、前記第２ＮＦコンポーネント識別子及び前記ネットワークスライス識別子を含む。
【００３９】
第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライス識別子を含む必要がある。ＮＦ管理装置は、全ての第２ＮＦコンポーネントを発見し、ローカルコンポーネント情報ベースから、第２ＮＦコンポーネントのコンポーネント情報を取得する。第１ＮＦコンポーネントがネットワークスライス内の第２ＮＦコンポーネントを発見しアクセスすることを期待している場合でも、処理モジュールは、発見ポリシに基づきネットワークスライス内の第２ＮＦコンポーネントの発見可能ネットワークスライスを決定する必要がある。第１ＮＦコンポーネントの位置するネットワークスライスが発見可能ネットワークスライスの中に存在する場合、第１ＮＦコンポーネントの要件は満たされ、発見ポリシが守られる。
【００４０】
本願の第３の態様の第２の実装を参照して、本願の第３の態様の第３の実装では、前記発見ポリシは、
前記第２ＮＦコンポーネントが、前記第２ＮＦコンポーネントと同じネットワークスライス内のＮＦコンポーネントによってのみアクセス可能である、又は、
前記第２ＮＦコンポーネントが、指定ネットワークスライス内のＮＦコンポーネントによってのみアクセス可能である、又は、
前記第２ＮＦコンポーネントが、全てのネットワークスライス内のＮＦコンポーネントによってアクセス可能である、を含む。
【００４１】
ＮＦコンポーネントの発見ポリシは、ネットワークルールに従いプリセットされる。例えば、ある場合には、第２ＮＦコンポーネントは、ネットワークスライス分離要件に基づき、同じネットワークスライス内のＮＦコンポーネントによってのみアクセス可能である。別の場合には、第２ＮＦコンポーネントは、指定ネットワークスライス内のＮＦコンポーネントによりアクセス可能である。更に別の場合には、第２ＮＦコンポーネントは、いかなる制限も無しに、全てのネットワークスライス内のＮＦコンポーネントによりアクセス可能である。３つの場合は、説明のための単なる例である。実際の用途において別の場合が存在して良く、これは具体的に限定されない。
【００４２】
本願の第３の態様の第３の実装を参照して、本願の第３の態様の第４の実装では、前記ＮＦ発見要求は、前記第１ＮＦコンポーネントのネットワークスライス識別子を更に含み、
前記処理モジュールは、前記第２ＮＦコンポーネントの前記発見ポリシ及び前記ネットワークスライス識別子に基づき、前記第２ＮＦコンポーネントの発見可能ネットワークスライスを決定するよう更に構成され、
前記処理モジュールは、前記第１ＮＦコンポーネントの前記ネットワークスライス識別子に基づき、前記第１ＮＦコンポーネントの位置するネットワークスライスが前記発見可能ネットワークスライスの中に存在するか否かを決定するよう更に構成され、
前記処理モジュールは、前記第１ＮＦコンポーネントの位置する前記ネットワークスライスが前記発見可能ネットワークスライスの中にあるとき、前記第１ＮＦコンポーネントは前記第２ＮＦコンポーネントにアクセス可能であると決定するよう更に構成される。
【００４３】
第２ＮＦコンポーネントの発見ポリシがネットワークスライス分離要件に基づき設定される場合、第１ＮＦコンポーネントにより送信されたＮＦ発見要求は、第１ＮＦコンポーネントのネットワークスライス識別子（例えば、Ｓｌｉｃｅ１）を更に含む必要があり、又は、ＮＦ管理装置は、第１ＮＦコンポーネントのコンポーネント識別子及びＮＦ管理装置に格納された第１ＮＦコンポーネントのコンポーネント情報に基づき、第１ＮＦコンポーネントの位置するネットワークスライスのネットワークスライス識別子を取得して良い。処理モジュールは、各第２ＮＦコンポーネントのコンポーネント情報から、各第２ＮＦコンポーネントの発見ポリシ及びネットワークスライス識別子を取得する。第２ＮＦコンポーネントＮＦ１の発見ポリシが、同じネットワークスライス内のＮＦコンポーネントのアクセスのみを許可し、ネットワークスライス識別子がＳｌｉｃｅ１である、第２ＮＦコンポーネントＮＦ２の発見ポリシは、同じネットワークスライス又は共有ネットワークスライス（共有ネットワークスライス識別子はＳｌｉｃｅ３である）内のＮＦコンポーネントのアクセスのみを許可し、ネットワークスライス識別子はＳｌｉｃｅ２である、と仮定する。ＮＦ管理装置は、ＮＦ１の発見ポリシ及びネットワークスライス識別子に基づき、ＮＦ１の発見可能ネットワークスライスがＳｌｉｃｅ１であると決定する。同様に、ＮＦ２の発見可能ネットワークスライスはＳｌｉｃｅ２及びＳｌｉｃｅ３である。処理モジュールは、第１ＮＦコンポーネントのネットワークスライス識別子（Ｓｌｉｃｅ１）に基づき、第１ＮＦコンポーネントの位置するネットワークスライスがＮＦ１の発見可能ネットワークスライスの中にあると決定し、ＮＦ１が目標ＮＦコンポーネントであると決定する。さらに、処理モジュールは、第１ＮＦコンポーネントのネットワークスライス識別子（Ｓｌｉｃｅ１）に基づき、第１ＮＦコンポーネントの位置するネットワークスライスがＮＦ２の発見可能ネットワークスライスの中にないと決定し、ＮＦ２が目標ＮＦコンポーネントではないと決定し、発見ポリシに基づき、第２ＮＦコンポーネントから同じＮＦを有する目標ＮＦコンポーネントを決定する。さらに、発見ポリシはネットワークルールに従い設定されるので、決定された目標ＮＦコンポーネントは確実にネットワークルールに従い、それにより、第２ＮＦコンポーネントの中にあり且つ第１ＮＦコンポーネントによるアクセスがネットワークルールに従わないＮＦコンポーネントをフィルタリングする。
【００４４】
本願の第３の態様を参照して、本願の第３の態様の第５の実装では、前記送信モジュールは、具体的に、前記第２ＮＦコンポーネント識別子に基づき、コンポーネント発見応答を生成し、前記コンポーネント発見応答を前記第１ＮＦコンポーネントへ送信するよう構成される。
【００４５】
第１ＮＦコンポーネントのＮＦ発見要求に対して、ＮＦ管理装置は、コンポーネント発見応答に第２ＮＦコンポーネント識別子を付加し、コンポーネント発見応答を第１ＮＦコンポーネントにフィードバックする。第２ＮＦコンポーネント識別子は、第２ＮＦコンポーネントのコンポーネントアドレス、コンポーネントＩＤ、等であって良く、第２ＮＦコンポーネントを識別する識別子であって良い。
【００４６】
本願の第３の態様の第１乃至第５の実装のうちのいずれか１つを参照して、本願の第３の態様の第６の実装では、前記ＮＦ管理装置は記憶モジュールを更に含み、
前記記憶モジュールは、新しいＮＦコンポーネントが展開されると、前記新しく展開されたＮＦコンポーネントのコンポーネント情報を取得するよう構成され、前記新しく展開されたＮＦコンポーネントの前記コンポーネント情報は、前記新しく展開されたＮＦコンポーネントのコンポーネント識別子、ＮＦ識別子、発見ポリシ、及びネットワークスライス識別子を含み、
前記記憶モジュールは、前記ローカルコンポーネント情報ベースに、前記新しく展開されたＮＦコンポーネントの前記コンポーネント情報を格納するよう更に構成される。
【００４７】
従来技術において、当業者は、機能種別に基づく異なるＮＦとして、ネットワーク内でサポートされる機能を定義する。ＮＦコンポーネントは、ＮＦをサポートし、ネットワークスライス内で構成される。新しいＮＦコンポーネントが展開されるとき、新しく展開されるＮＦコンポーネントのコンポーネント情報は、ＮＦ管理装置へ送信される必要がある。コンポーネント情報は、新しく展開されたＮＦコンポーネントの、コンポーネントアドレス（例えばＩＰアドレス）、コンポーネント識別子、ＮＦ識別子、発見ポリシ、及びネットワークスライス識別子を含む。コンポーネント識別子は、新しく展開されたＮＦコンポーネントのユニークな識別子である。ＮＦ識別子は、新しく展開されたＮＦコンポーネントのＮＦ種別を示す。ＮＦ種別は、認証及びセキュリティ機能コンポーネント、ベアラ管理機能コンポーネント、移動性管理機能コンポーネント、アクセス制御機能コンポーネント、等を識別して良い。発見ポリシは、新しく展開されたＮＦコンポーネントの且つネットワークルールに従い当業者により設定された発見条件である。例えば、発見ポリシは、同じネットワークスライス内のＮＦコンポーネントのアクセスのみを許可し、又は指定ネットワークスライス内のＮＦコンポーネントのアクセスのみを許可する。ネットワークスライス識別子は、新しく展開されたＮＦコンポーネントの位置するネットワークスライスを示す。ＮＦ管理装置は、新しく展開されたＮＦコンポーネントのコンポーネント情報を取得し、コンポーネント情報をコンポーネント情報ベースに格納する。ＮＦコンポーネント管理をより良好に実施するために、ＮＦ管理装置は、全てのネットワークスライス内の新しく展開されたＮＦコンポーネントのコンポーネント情報を格納する必要がある。
【００４８】
本願の第４の態様は、ＮＦ管理装置を提供し、前記ＮＦ管理装置は、前述の方法の実施形態におけるＮＦ管理装置を実装する機能を有する。機能は、ハードウェアにより実装されて良く、又は対応するソフトウェアを実行することによりハードウェアにより実装されて良い。ハードウェア又はソフトウェアは、機能に対応する１又は複数のモジュールを含む。
【００４９】
可能な設計では、ＮＦ管理装置は、受信モジュールと、処理モジュールと、送信モジュールと、を含む。処理モジュールは、前述の方法における対応する機能を実行するようＮＦ管理装置をサポートするよう構成される。受信モジュール及び送信モジュールは、ＮＦ管理装置と別の装置との間の通信をサポートするよう構成される。
【００５０】
受信モジュールは、第１ＮＦコンポーネントにより送信されたＮＦ発見要求を受信するよう構成され、ＮＦ発見要求は第２ＮＦ識別子を含む。処理モジュールは、第２ＮＦ識別子に基づき第２ＮＦの発見ポリシを取得するよう構成される。処理モジュールは、さらに、第２ＮＦの発見ポリシが第１ＮＦコンポーネントの第２ＮＦへのアクセスを許可する場合、１又は複数の第２ＮＦコンポーネントの識別子を取得するよう構成され、第２ＮＦコンポーネントは第２ＮＦを有する。送信モジュールは、１又は複数の第２ＮＦコンポーネントの識別子を第１ＮＦコンポーネントへ送信するよう構成される。
【００５１】
コアネットワークの中のネットワークスライス内で構成されたＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。受信モジュールは、第１ＮＦコンポーネントのＮＦ発見要求を受信する。処理モジュールは、ＮＦ発見要求の中の第２ＮＦ識別子に基づき、第２ＮＦコンポーネントの発見ポリシを取得する。第２ＮＦの発見ポリシが第１ＮＦコンポーネントの第２ＮＦへのアクセスを許可する場合、処理モジュールは、１又は複数の第２ＮＦコンポーネントの識別子を取得する。第２ＮＦコンポーネントは第２ＮＦを有する。送信モジュールは、１又は複数の第２ＮＦコンポーネントの識別子を第１ＮＦコンポーネントへ送信して、第１ＮＦコンポーネントが第２ＮＦコンポーネント識別子に基づき第２ＮＦコンポーネントにアクセスし及びユーザサービスを達成するために第２ＮＦを実行できるようにする。第２ＮＦコンポーネントの発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００５２】
本願の第４の態様を参照して、本願の第４の態様の第１の実装では、処理モジュールは、さらに、１又は複数の第２ＮＦコンポーネントのコンポーネント情報を取得するよう構成され、第２ＮＦコンポーネントのコンポーネント情報は、第２ＮＦコンポーネントの識別子を含み、処理モジュールは、さらに、１又は複数の第２ＮＦコンポーネントのコンポーネント情報から、１又は複数の第２ＮＦコンポーネントの識別子を取得するよう構成される。
【００５３】
従来技術において、当業者は、機能種別に基づく異なるＮＦとして、ネットワーク内でサポートされる必要のある機能を定義する。ＮＦコンポーネントは、ＮＦをサポートでき、ネットワークスライス内で構成される。各展開されたＮＦコンポーネントのコンポーネント情報は、ＮＦ管理装置のローカルコンポーネント情報ベースに格納される。処理モジュールは、１又は複数の第２ＮＦコンポーネントのコンポーネント情報を取得する。第２ＮＦコンポーネントのコンポーネント情報は、第２ＮＦコンポーネントの識別子を含み、１又は複数の第２ＮＦコンポーネントの識別子が１又は複数の第２ＮＦコンポーネントのコンポーネント情報から取得できるようにし、それにより、ＮＦ管理装置による中央ＮＦコンポーネント管理を実現する。
【００５４】
本願の第４の態様又は第４の態様の第１の実装を参照して、本願の第４の態様の第２の実装では、前記ＮＦ発見要求は期待ネットワークスライスの識別子を更に含み、前記第２ＮＦ識別子に基づき第２ＮＦの発見ポリシを取得する前記ステップは、前記第２ＮＦ識別子及び前記期待ネットワークスライスの前記識別子に基づき、前記第２ＮＦの前記発見ポリシを取得するステップを含み、
前記処理モジュールは、さらに、前記第２ＮＦ識別子及び前記期待ネットワークスライスの前記識別子に基づき、前記期待ネットワークスライスの中の前記１又は複数の第２ＮＦコンポーネントの前記識別子を取得するよう構成される。
【００５５】
第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライスの識別子を含む必要がある。処理モジュールが第２ＮＦ識別子及び期待ネットワークスライスの識別子に基づき第２ＮＦの発見ポリシを取得した後に、第２ＮＦの発見ポリシが第１ＮＦコンポーネントの第２ＮＦへのアクセスを許可する場合、処理モジュールは、第２ＮＦ識別子及び期待ネットワークスライスの識別子に基づき期待ネットワークスライスの中の１又は複数の第２ＮＦコンポーネントの識別子を取得する。
【００５６】
本願の第４の態様又は第４の態様の第１の実装を参照して、本願の第４の態様の第３の実装では、前記ＮＦ発見要求はＮＦグループの識別子を更に含み、前記第２ＮＦ識別子に基づき第２ＮＦの発見ポリシを取得する前記ステップは、前記第２ＮＦ識別子及び前記ＮＦグループの前記識別子に基づき、前記第２ＮＦの前記発見ポリシを取得するステップを含み、
前記処理モジュールは、さらに、前記第２ＮＦ識別子及び前記ＮＦグループの前記識別子に基づき、前記ＮＦグループの中の前記１又は複数の第２ＮＦコンポーネントの前記識別子を取得するよう構成される。
【００５７】
第１ＮＦコンポーネントがＮＦグループの中の第２ＮＦを有するＮＦコンポーネントを発見しアクセスすることを期待している場合、第１ＮＦコンポーネントにより送信されたＮＦ発見要求は、さらにＮＦグループの識別子を含む必要がある。処理モジュールが第２ＮＦ識別子及びＮＦグループの識別子に基づき第２ＮＦの発見ポリシを取得した後に、第２ＮＦの発見ポリシが第１ＮＦコンポーネントの第２ＮＦへのアクセスを許可する場合、処理モジュールは、第２ＮＦ識別子及びＮＦグループの識別子に基づきＮＦグループの中の１又は複数の第２ＮＦコンポーネントの識別子を取得する。
【００５８】
本願の第４の態様又は第４の態様の第１の実装を参照して、本願の第４の態様の第４の実装では、前記第２ＮＦの前記発見ポリシは、ＮＦの識別子及び前記ＮＦによりアクセス可能なサービスの識別子を更に含み、
前記処理モジュールは、さらに、
前記第１ＮＦコンポーネントにより送信された前記ＮＦ発見要求に基づき、前記第１ＮＦコンポーネントのＮＦの識別子を学習し、
前記第１ＮＦコンポーネントによりアクセス可能なサービスの識別子を決定するために、前記ＮＦの前記識別子及び前記ＮＦによりアクセス可能な前記サービスの前記識別子をクエリする、よう構成され、
前記送信モジュールは、さらに、前記第１ＮＦコンポーネントへ、前記第１ＮＦコンポーネントによりアクセス可能な前記サービスの前記識別子を送信するよう構成される。
【００５９】
本願の第４の態様、又は第４の態様の第１乃至第４の実装のうちのいずれか１つを参照して、本願の第４の態様の第５の実装では、前記コンポーネント情報はコンポーネント識別子及びＮＦ識別子を含む。
【００６０】
本願の第４の態様の第５の実装を参照して、本願の第４の態様の第６の実装では、前記コンポーネント情報は、コンポーネントアドレス、ネットワークスライス識別子、及びグループ識別子のうちの少なくとも１つを更に含んで良い。
【００６１】
本願の第４の態様、又は第４の態様の第１乃至第６の実装のいずれか１つを参照して、本願の第４の態様の第７の実装では、前記発見ポリシは、
前記第２ＮＦが、同じネットワークスライス内のＮＦコンポーネントによってのみアクセス可能である、又は、
前記第２ＮＦが、指定ネットワークスライス内のＮＦコンポーネントによってのみアクセス可能である、又は、
前記第２ＮＦが、全てのネットワークスライス内のＮＦコンポーネントによってアクセス可能である、を含む。
【００６２】
本願の第５の態様は、ＮＦ管理装置であって、
無線ネットワークインタフェースとＣＰＵとメモリとを含むＮＦ管理装置を提供し、ここで、前記無線ネットワークインタフェース、前記ＣＰＵ、及び前記メモリはバスを用いて互いに接続され、前記メモリはコンピュータ命令を格納し、前記ＣＰＵは以下の方法を実施するために該コンピュータ命令を実行する：
第１ＮＦコンポーネントにより送信されたＮＦ発見要求を受信するステップであって、前記ＮＦ発見要求は第２ＮＦ識別子を含み、前記第２ＮＦ識別子は第２ＮＦを示すために使用される、ステップと、
前記第２ＮＦ識別子に基づき第２ＮＦコンポーネントのコンポーネント情報を取得するステップであって、前記第２ＮＦコンポーネントは前記第２ＮＦを有し、前記コンポーネント情報は前記第２ＮＦコンポーネントの発見ポリシ及び第２ＮＦコンポーネント識別子を含む、ステップと、
前記コンポーネント情報の中の前記発見ポリシに基づき、前記第１ＮＦコンポーネントが前記第２ＮＦコンポーネントにアクセス可能か否かを決定するステップと、
可能な場合、前記第２ＮＦコンポーネント識別子を前記第１ＮＦコンポーネントへ送信するステップ。
【００６３】
発見ポリシはネットワークルールに従いプリセットされるので、第１ＮＦコンポーネントの目標ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００６４】
本願の第６の態様は、ＮＦ管理装置であって、ネットワークインタフェースと、プロセッサと、メモリと、を含むＮＦ管理装置を提供し、ここで、前記ネットワークインタフェース、前記プロセッサ、及び前記メモリは、バスを用いて互いに接続され、前記メモリはコンピュータ命令を格納し、前記プロセッサは前述の方法の実施形態における対応する機能を実装するために該コンピュータ命令を実行して良い。詳細については、方法の実施形態の詳細な説明を参照のこと。詳細事項は、再び記載されない。ＮＲＦは無線ネットワークのために使用され、ネットワークインタフェースは無線ネットワークインタフェース内のインタフェースである。
【００６５】
本願の第７の態様は、ＮＦ管理システムであって、ＮＦ管理装置と、ネットワークスライスと、該ネットワークスライスの中のＮＦコンポーネントと、を含むＮＦ管理システムを提供し、ここで、少なくとも１つのネットワークスライスが存在し、少なくとも１つのＮＦコンポーネントが存在する。
【００６６】
ＮＦ管理装置は、第１ＮＦコンポーネントにより送信されたＮＦ発見要求を受信する。ＮＦ発見要求は第２ＮＦ識別子を含み、第２ＮＦ識別子は第２ＮＦを示すために使用される。
【００６７】
ＮＦ管理装置は、第２ＮＦ識別子に基づき第２ＮＦコンポーネントのコンポーネント情報を取得する。第２ＮＦコンポーネントは第２ＮＦを有し、コンポーネント情報は、第２ＮＦコンポーネントの発見ポリシ及び第２ＮＦコンポーネント識別子を含む。
【００６８】
ＮＦ管理装置は、コンポーネント情報の中の発見ポリシに基づき、第１ＮＦコンポーネントが第２ＮＦコンポーネントにアクセス可能か否かを決定する。
【００６９】
ＮＦ管理装置は、第１ＮＦコンポーネントが第２ＮＦコンポーネントにアクセス可能であるとき、第１ＮＦコンポーネントへ第２ＮＦコンポーネント識別子を送信する。
【００７０】
コアネットワークの中のネットワークスライス内で構成された各ＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。ＮＦ管理装置は、第１ＮＦコンポーネントのＮＦ発見要求を受信し、ＮＦ発見要求の中の第２ＮＦ識別子に基づき、第２ＮＦコンポーネントの格納されたコンポーネント情報を取得し、コンポーネント情報の中の発見ポリシに基づき、第１ＮＦコンポーネントが第２ＮＦコンポーネントにアクセス可能か否かを決定し、第１ＮＦコンポーネントが第２ＮＦコンポーネントにアクセス可能な場合、第１ＮＦコンポーネントへ第２ＮＦコンポーネント識別子を送信して、第１ＮＦコンポーネントが第２ＮＦコンポーネント識別子に基づき第２ＮＦコンポーネントにアクセスし、及びユーザサービスを達成するために第２ＮＦを実行できるようにする。発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００７１】
本願の第８の態様は、通信システムを提供する。
【００７２】
前記システムは、前述の態様におけるＮＦ管理装置を含む。前記システムは、本発明の実施形態で提供されるソリューションにおけるＮＦ管理装置と相互作用する別の装置を更に含んで良い。
【００７３】
第９の態様によると、本発明の一実施形態は、コンピュータ記憶媒体を提供する。コンピュータ記憶媒体は、前述の装置により使用されるコンピュータソフトウェア命令を格納するよう構成され、前述の態様を実行するよう設計されたプログラムを含む。
【００７４】
第１０の態様によると、本願は、さらに命令を含むコンピュータプログラムプロダクトを提供する。コンピュータプログラムプロダクトがコンピュータ上で実行すると、該コンピュータは、前述の態様の方法を実行する。
【００７５】
コアネットワークの中のネットワークスライス内で構成されたＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。ＮＦ管理装置は、第１ＮＦコンポーネントのＮＦ発見要求を受信し、ＮＦ発見要求の中の第２ＮＦ識別子に基づき、第２ＮＦコンポーネントの発見ポリシを取得し、第２ＮＦの発見ポリシが第１ＮＦコンポーネントの第２ＮＦへのアクセスを許可する場合、１又は複数の第２ＮＦコンポーネントの識別子を取得し、ここで第２ＮＦコンポーネントは第２ＮＦを有し、並びに、１又は複数の第２ＮＦコンポーネントの識別子を第１ＮＦコンポーネントへ送信して、第１ＮＦコンポーネントが、第２ＮＦコンポーネント識別子に基づき第２ＮＦコンポーネントにアクセスし及びユーザサービスを達成するために第２ＮＦを実行できるようにする。第２ＮＦコンポーネントの発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない従来技術と比較して、全てのＮＦコンポーネント間のアクセスがネットワークルールに従い、それにより正常なネットワーク動作を実現する。
【図面の簡単な説明】
【００７６】
本願の実施形態における技術的ソリューションをより明確に記載するために、実施形態及び従来技術を説明するのに必要な添付の図面を以下に簡単に記載する。
【００７７】
【図１】従来技術におけるＮＦ管理方法のネットワークフレームワークの概略図である。
【００７８】
【図２】従来技術における別のＮＦ管理方法のネットワークフレームワークの概略図である。
【００７９】
【図３】本願によるＮＦ管理方法のネットワークフレームワークの概略図である。
【００８０】
【図４】本願によるＮＦ管理方法の概略フローチャートである。
【００８１】
【図５】本願によるＮＦ管理方法の別の概略フローチャートである。
【００８２】
【図６】本願によるＮＦ管理装置の概略構造図である。
【００８３】
【図７】本願によるＮＦ管理装置の別の概略構造図である。
【００８４】
【図８】本願によるＮＦ管理装置のエンティティ機器の概略構造図である。
【００８５】
【図９】本願によるＮＦ管理方法の更に別の概略フローチャートである。
【発明を実施するための形態】
【００８６】
本願は、ＮＦコンポーネント間の発見及びアクセスに対して中央管理を実行するために、ＮＦ管理方法及びＮＦ管理装置を提供し、それにより正常なネットワーク動作を実現する。
【００８７】
当業者に本願の技術的ソリューションをより良く理解させるために、以下は、本願の実施形態における技術的ソリューションを本願の実施形態における添付の図面を参照して明確且つ完全に記載する。明らかに、記載される実施形態は、本願の実施形態のほんの一部であり、全部ではない。本願の実施形態に基づき創造的労力を有しないで当業者により得られる全ての他の実施形態は、本願の保護範囲に包含されるべきである。
【００８８】
先ず、本願において使用されるシステムアーキテクチャ又はシナリオが簡単に記載される。
【００８９】
図２は、既存ネットワークアーキテクチャを示す。同じオペレータの複数のネットワークスライスは、同じ公衆地上移動体ネットワーク（Public  Land  Mobile  Network、ＰＬＭＮ）を用いる。ネットワーク内でサポートされる必要のある機能は、機能種別に基づき異なるＮＦとして定義される。ネットワーク内に展開される各ＮＦコンポーネントは、１つのＮＦを有する。各ＮＦコンポーネントは、サービスインタフェースを含み、サービスインタフェースを介して別のＮＦコンポーネント又は機能にサービスする。本願では、ＮＦ管理装置はＰＬＭＮに追加される。図３に示すように、ＮＦ管理装置は、各ＮＦコンポーネントに接続される。
【００９０】
当業者がＮＦコンポーネントを構成するとき、ＮＦコンポーネントのコンポーネント情報は、ＮＦ管理装置に格納される必要がある。ＮＦコンポーネントのコンポーネント情報は、一般的に、コンポーネントアドレス、コンポーネント識別子、ＮＦ識別子、発見ポリシ、ネットワークスライス識別子、等を含む。コンポーネントアドレスは、通常、ＮＦコンポーネントに正確にアクセスするために、別のＮＦコンポーネントにより使用される。コンポーネント識別子は、ＮＦコンポーネントをユニークに識別するために使用される。例えば、コンポーネントアドレス、コンポーネントＩＤ、又は第２ＮＦコンポーネントを識別するために使用可能な任意の他の識別子は、コンポーネント識別子として使用できる。ＮＦ識別子は、ＮＦコンポーネントのＮＦを示す。発見ポリシは、ＮＦコンポーネントの且つネットワークルールに従い設定された発見条件である。発見ポリシは、同じネットワークスライス内のＮＦコンポーネントのアクセス、指定ネットワークスライス内のＮＦコンポーネントのアクセス、全てのＮＦコンポーネントのアクセスのみを許可する、等である。ネットワークスライス識別子は、ＮＦコンポーネントの位置するネットワークスライスを示す。ＮＦコンポーネントが複数のネットワークスライスにより共有される場合、ネットワークスライス識別子は、複数のネットワークスライスの識別子を含む。さらに、ＮＦコンポーネントが任意のネットワークスライスに属しない場合、ネットワークスライス識別子はヌルである。図３では、第１ネットワークスライスのネットワークスライス識別子はＳｌｉｃｅＡであり、第２ネットワークスライスのネットワークスライス識別子はＳｌｉｃｅＢであり、及び第３ネットワークスライスのネットワークスライス識別子はＳｌｉｃｅＣである。ＮＦ１、ＮＦ２、ＮＦ３、ＮＦ４、ＮＦ５、ＮＦ６、及びＮＦ７は、ＮＦコンポーネント識別子である。ＳｌｉｃｅＡはＮＦコンポーネントＮＦ１及びＮＦ２を含み、ＳｌｉｃｅＢはＮＦ４及びＮＦ５を含み、ＳｌｉｃｅＡ及びＳｌｉｃｅＢはＮＦ３を共有し、ＳｌｉｃｅＣはＮＦ６及びＮＦ７を含む。さらに、ＮＦ３及びＮＦ７は同じＮＦを有する。ＮＦ１の有する機能は第１ＮＦであり、ＮＦ３の有する機能及びＮＦ７の有する機能は第２ＮＦであると仮定する。
【００９１】
ＮＦコンポーネント情報の中の発見ポリシについて、同じＮＦを有するＮＦコンポーネントは、同じ発見ポリシを有して良い。コンポーネント情報記憶を最適化するために、同じＮＦを有する複数のＮＦコンポーネントの発見ポリシ情報は、別個のＮＦ発見ポリシ情報に格納されて良く、発見ポリシ情報はＮＦ及び対応する発見ポリシ情報を格納する。
【００９２】
さらに、同じＮＦを有し且つ同じネットワークスライス内に展開されたＮＦコンポーネントは、同じ発見ポリシを有して良い。同じＮＦを有し且つ同じネットワークスライス内に展開された複数のＮＦコンポーネントの発見ポリシ情報は、別個のＮＦ発見ポリシ情報に格納されて良く、発見ポリシ情報は、ＮＦ、ネットワークスライスの識別子、及び対応する発見ポリシ情報を含む。
【００９３】
別の場合には、同じＮＦを有し且つ同じＮＦグループに属するＮＦコンポーネントは、同じ発見ポリシを有して良い。同じＮＦを有し且つ同じＮＦグループに属する複数のＮＦコンポーネントの発見ポリシ情報は、別個のＮＦ発見ポリシ情報に格納されて良く、発見ポリシ情報は、ＮＦ、ＮＦグループの識別子、及び対応する発見ポリシ情報を含む。
【００９４】
発見ポリシ情報は、ＮＦのものであり且つネットワークルールに従い設定された発見及びアクセス条件であって良く、具体的には、ＮＦへのアクセスを許可された別のＮＦの識別子を含む。ＮＦは、別のＮＦに複数のサービスを提供して良く、ＮＦの各サービスはＮＦにより提供される機能に対応する。別のＮＦによりアクセス可能なＮＦのサービスを制約するために、発見ポリシ情報は、別のＮＦの識別子、及びＮＦから別のＮＦによりアクセス可能なサービスの識別子を含んで良い。
【００９５】
例えば、ＮＦ管理装置は、サーバである。図８は、ＮＦ管理装置の概略構造図である。ＮＦ管理装置は、異なる構成又は異なる性能により大きく変わり得る。ＮＦ管理装置は、１又は複数の中央処理ユニット（central  processing  unit、ＣＰＵ）８２２（例えば、１又は複数のプロセッサ）、メモリ８３２、アプリケーションプログラム８４２若しくはデータ８４４を格納する１又は複数の記憶媒体８３０（例えば、１又は複数の大容量記憶装置）を含んで良い。メモリ８３２及び記憶媒体８３０は、一時的記憶装置又は永久的記憶装置であって良い。記憶媒体８３０に格納されたプログラムは、１又は複数のモジュール（図示しない）を含んで良く、各モジュールは、サーバに対する一連の命令動作を含んで良い。またさらに、ＣＰＵ８２２は、記憶媒体８３０と通信し、サーバにおいて記憶媒体８３０内の一連の命令動作を実行するよう構成されて良い。
【００９６】
ＮＦ管理装置は、１又は複数の電源８２９、１又は複数の無線ネットワークインタフェース８５０、１又は複数の入力／出力インタフェース８５８、及び／又は１又は複数のオペレーティングシステム８４１、例えばＷｉｎｄｏｗｓＳｅｒｖｅｒ（商標）、ＭａｃＯＳ  Ｘ（商標）、Ｕｎｉｘ（商標）、Ｌｉｎｕｘ（商標）、ＦｒｅｅＢＳＤ（商標）を更に含んで良い。
【００９７】
前述のシステムアーキテクチャ又はシナリオの特定の詳細は、単なる例外である。実際のシナリオでは、ユーザに提供される必要のあるサービス範囲及びサービス内容は非常に広範囲に及び、したがって、分割されたネットワークスライス及び構成されたＮＦコンポーネントがより包括的である。
【００９８】
以下の実施形態は、前述のシステムアーキテクチャ又はシナリオに適用されるＮＦ管理方法を記載する。
【００９９】
図４を参照すると、本願の一実施形態は、以下のステップを含むＮＦ管理方法を提供する。
【０１００】
４０１。第１ＮＦコンポーネントにより送信されたＮＦ発見要求を受信する。ここで、ＮＦ発見要求は第２ＮＦ識別子を含む。
【０１０１】
本実施形態では、ユーザ機器により開始されたユーザサービスにより要求されたネットワーク機能が、第１ＮＦコンポーネントにより処理されるとき、第１ＮＦコンポーネントの第１ＮＦを実行する処理において、第１ＮＦコンポーネントは、第２ＮＦを実行するために第２ＮＦコンポーネントにアクセスする必要がある。図２に示すように、無線アクセスネットワークノードは、先ず、ユーザ機器が、第１ＮＦを有する第１ＮＦコンポーネント（ＮＦ１）にアクセスすることを可能にし、第１ＮＦコンポーネントは第１ネットワークスライス（ＳｌｉｃｅＡ）内に展開される。図３に示すように、ＮＦ１が第１ＮＦを実行する処理において第２ＮＦを実行する必要があるとき、ＮＦ１は、ＮＦ発見要求に第２ＮＦ識別子を付加し、該ＮＦ発見要求をＮＦ管理装置へ送信する。ＮＦ発見要求は、コンポーネントを発見するよう要求するために使用され、コンポーネントは第２ＮＦを提供する。さらに、第２ＮＦコンポーネントは、第２ＮＦを示す１又は複数の第２ＮＦ識別子を含んで良い。ＮＦ管理装置は、ＮＦ発見要求を受信する。
【０１０２】
第１ＮＦを有する第１ＮＦコンポーネント（ＮＦ１）は、ＮＦ＿Ａにより表されて良い。ＮＦ＿Ａは種別であり、ＮＦ１が機能種別Ａを有するＮＦコンポーネントであることを示す。
【０１０３】
４０２。第２ＮＦ識別子に基づき、第２ＮＦコンポーネントのコンポーネント情報を取得する。ここで、コンポーネント情報は、第２ＮＦコンポーネントの発見ポリシ及び第２ＮＦコンポーネント識別子を含む。
【０１０４】
本実施形態では、ＮＦ発見要求は、第２ＮＦ識別子を含み、ＮＦ管理装置は各ＮＦコンポーネントのコンポーネント情報を格納する。したがって、ＮＦ発見要求が受信された後に、第２ＮＦを有する１又は複数の第２ＮＦコンポーネントのコンポーネント情報は、ＮＦ発見要求の中の第２ＮＦ識別子、例えばＮＦ３のコンポーネント情報及びＮＦ７のコンポーネント情報に基づき取得されて良い。コンポーネント情報は、発見ポリシ及び第２ＮＦコンポーネント識別子を含む。具体的に、コンポーネント情報は、ＮＦ識別子を更に含んで良い。ＮＦ管理装置は、第２ＮＦ識別子を含むコンポーネント情報を取得するために、第２ＮＦ識別子に基づきローカルデータベースをクエリして良い。発見ポリシは、ＮＦコンポーネント構成中に、ネットワークルールに従い当業者によりプリセットされて良い。
【０１０５】
４０３。コンポーネント情報の中の発見ポリシに基づき、第１ＮＦコンポーネントが第２ＮＦコンポーネントにアクセス可能か否かを決定する。可能な場合、ステップ４０４を実行する。
【０１０６】
本実施形態では、発見ポリシは、ＮＦコンポーネント構成中に、ネットワークルールに従い当業者によりプリセットされる。したがって、ＮＦ３のコンポーネント情報及びＮＦ７のコンポーネント情報が取得された後に、ＮＦ３のコンポーネント情報の中の発見ポリシ及びＮＦ７のコンポーネント情報の中の発見ポリシに基づき、ＮＦ１がＮＦ３にアクセス可能か否かが決定され、可能である場合、ステップ４０４が実行され、ＮＦ１がＮＦ７にアクセス可能か否かが決定され、可能である場合、ステップ４０４が実行される。
【０１０７】
４０４。第２ＮＦコンポーネント識別子を第１ＮＦコンポーネントへ送信する。
【０１０８】
本実施形態では、第１ＮＦコンポーネントが第２ＮＦコンポーネントにアクセス可能であると決定すると、ＮＦ管理装置は、第２ＮＦコンポーネント識別子を第１ＮＦコンポーネントへ送信する。１又は複数の第２ＮＦコンポーネント識別子が存在して良い。
【０１０９】
本願の本実施形態では、ＮＦ管理装置は、発見ポリシに基づき、第１ＮＦコンポーネントが第２ＮＦコンポーネントにアクセス可能か否かを決定する。発見ポリシはネットワークルールに従いプリセットされるので、第１ＮＦコンポーネントの第２ＮＦコンポーネントへのアクセスは、確実にネットワークルールに従う。ＮＦコンポーネント間のアクセスがネットワークルールに従わない従来技術と比較して、全てのＮＦコンポーネント間のアクセスがネットワークルールに従い、それにより正常なネットワーク動作を実現する。
【０１１０】
任意で、本願の幾つかの実施形態では、ＮＦ管理方法は、
新しいＮＦコンポーネントが展開されると、新しく展開されたＮＦコンポーネントのコンポーネント情報を取得するステップであって、新しく展開されたＮＦコンポーネントのコンポーネント情報は、新しく展開されたＮＦコンポーネントのコンポーネント識別子、ＮＦ識別子、発見ポリシ、及びネットワークスライス識別子を含む、ステップと、
ローカルコンポーネント情報ベースに、新しく展開されたＮＦコンポーネントのコンポーネント情報を格納するステップと、を更に含む。
【０１１１】
本願の本実施形態では、従来技術において、当業者は、機能種別に基づく異なるＮＦとして、ネットワーク内でサポートされる必要のある機能を定義する。ＮＦコンポーネントは、ＮＦをサポートし、ネットワークスライス内で構成される。新しいＮＦコンポーネントが展開されるとき、新しく展開されるＮＦコンポーネントのコンポーネント情報は、ＮＦ管理装置へ送信される必要がある。コンポーネント情報は、新しく展開されたＮＦコンポーネントの、コンポーネント識別子、ＮＦ識別子、発見ポリシ、及びネットワークスライス識別子を含む。コンポーネント識別子は、新しく展開されたＮＦコンポーネントのユニークな識別子（コンポーネントＩＤ又はＩＰアドレスのようなコンポーネントアドレスであって良い）である。ＮＦ識別子は、新しく展開されたＮＦコンポーネントのＮＦ種別を示す。ＮＦ種別は、認証及びセキュリティ機能、ベアラ管理機能、移動性管理機能、アクセス制御機能、等を識別して良い。発見ポリシは、新しく展開されたＮＦコンポーネントの且つネットワークルールに従い当業者により設定された発見条件である。例えば、発見ポリシは、同じネットワークスライス内のＮＦコンポーネントのアクセスのみを許可し、又は指定ネットワークスライス内のＮＦコンポーネントのアクセスのみを許可する。ネットワークスライス識別子は、新しく展開されたＮＦコンポーネントの位置するネットワークスライスを示す。ＮＦ管理装置は、新しく展開されたＮＦコンポーネントのコンポーネント情報を取得し、コンポーネント情報をコンポーネント情報ベースに格納する。ＮＦコンポーネント管理をより良好に実施するために、ＮＦ管理装置は、全てのネットワークスライス内の新しく展開されたＮＦコンポーネントのコンポーネント情報を格納する必要がある。
【０１１２】
ＮＦコンポーネントが複数のネットワークスライスにより共有される場合、コンポーネント情報は、該ＮＦコンポーネントを共有する複数のネットワークスライスのネットワークスライス識別子を含むことに留意すべきである。
【０１１３】
任意で、本願の幾つかの実施形態では、第２ＮＦ識別子に基づき第２ＮＦコンポーネントのコンポーネント情報を取得するステップは、
ＮＦ発見要求から第２ＮＦ識別子を取得するステップと、
第２ＮＦ識別子に基づき、ローカルコンポーネント情報ベースから第２ＮＦコンポーネントのコンポーネント情報を取得するステップであって、第２ＮＦコンポーネントのコンポーネント情報は、第２ＮＦコンポーネント識別子を含む、ステップと、を含む。
【０１１４】
本願の本実施形態では、ＮＦ発見要求は第２ＮＦ識別子を含み、ＮＦ管理装置は、第２ＮＦ識別子を取得するためにＮＦ発見要求をパースして良い。全てのＮＦコンポーネントのコンポーネント情報は、コンポーネント情報ベースに格納される。例えば、ＮＦコンポーネントＮＦ３の機能が第２ＮＦである場合、ＮＦコンポーネントＮＦ３のコンポーネント情報はコンポーネント識別子ＮＦ３及び第２ＮＦ識別子を含む。ＮＦコンポーネントＮＦ７の機能が第２ＮＦである場合、ＮＦコンポーネントＮＦ７のコンポーネント情報はコンポーネント識別子ＮＦ７及び第２ＮＦ識別子を含む。対応するコンポーネント識別子ＮＦ３及びＮＦ７は、第２ＮＦ識別子に基づき、コンポーネント情報ベースから読み出されて良い。この場合、読み出したコンポーネント識別子ＮＦ３及びＮＦ７に基づき、ＮＦ３及びＮＦ７が第２ＮＦコンポーネントであることが決定でき、ＮＦ３のコンポーネント情報及びＮＦ７のコンポーネント情報が抽出される。ＮＦ３のコンポーネント情報はＮＦ３の発見ポリシを含み、ＮＦ７のコンポーネント情報はＮＦ７の発見ポリシを含む。これは、ＮＦ管理装置による中央ＮＦコンポーネント管理を実現する。
【０１１５】
任意で、本願の幾つかの実施形態では、第２ＮＦコンポーネントの発見ポリシ及びネットワークスライス識別子に基づき、第２ＮＦコンポーネントの発見可能ネットワークスライスを決定するステップは、
期待ネットワークスライス識別子に基づき、第２ＮＦコンポーネントのネットワークスライス識別子から、目標ネットワークスライス識別子を選択するステップと、
発見ポリシ及び目標ネットワークスライス識別子に基づき、目標ネットワークスライス識別子に対応する目標ネットワークスライス内の第２ＮＦコンポーネントの発見可能ネットワークスライスを決定するステップと、を含む。
【０１１６】
本願の本実施形態では、図３で、第１ＮＦコンポーネント（ＮＦ１）が、第２ＮＦを実行するために第２ネットワークスライス内の第２ＮＦコンポーネント（ＮＦ７）にアクセスする必要のある場合、ＮＦ発見要求は、さらに、第２ネットワークスライスのネットワークスライス識別子（ＳｌｉｃｅＢ）を運ぶ必要があり、第２ネットワークスライスのネットワークスライス識別子（ＳｌｉｃｅＢ）は、期待ネットワークスライス識別子である。さらに、ステップ５０３から、第２ＮＦコンポーネント（ＮＦ３）のネットワークスライス識別子はＳｌｉｃｅＡ及びＳｌｉｃｅＢであり、ＮＦ７のネットワークスライス識別子はＳｌｉｃｅＣであることが分かる。この場合、ＳｌｉｃｅＢは目標ネットワークスライス識別子として選択され、ＳｌｉｃｅＢに対応する第２ネットワークスライスは第２ＮＦコンポーネントＮＦ３を含み、ＮＦ３の発見ポリシは、第１ネットワークスライス及び第２ネットワークスライス内のＮＦコンポーネントのアクセスのみを許可する。したがって、ＮＦ３の発見ポリシ及び目標ネットワークスライス識別子（ＳｌｉｃｅＢ）に基づき、発見可能ネットワークスライスが第２ネットワークスライスであることが決定される。期待ネットワークスライス識別子がＳｌｉｃｅＣである場合、決定される目標ネットワークスライス識別子はＳｌｉｃｅＣである。しかしながら、ＮＦ７の発見ポリシに基づき、ＮＦ１の位置する第１ネットワークスライス内のＮＦコンポーネントは、第３ネットワークスライス内のＮＦ７にアクセスできない。したがって、発見可能ネットワークスライスは存在しない。第１ＮＦコンポーネントの指向性発見及びアクセス要求のために、ＮＦ管理装置は、ＮＦ管理をより良く標準化するために、発見ポリシに基づくフィルタリングを実行する必要がある。
【０１１７】
前述の実施形態では、ＮＦ管理装置は、第１ＮＦコンポーネントにより送信されたＮＦ発見要求の中の第２ＮＦ識別子に基づき、第２ＮＦコンポーネントを含む全てのネットワークスライスを発見する。別の場合には、第１ＮＦコンポーネントは、決定されたネットワークスライス内の第２ＮＦコンポーネントを発見することを期待して要求する。具体的に言うと、ＮＦ発見要求は、期待ネットワークスライス識別子を更に含む。任意で、本願の幾つかの実施形態では、ＮＦ発見要求は、期待ネットワークスライス識別子を更に含み、期待ネットワークスライス識別子は、期待される要求を通じて第１ＮＦコンポーネントにより発見されたネットワークスライスを示し、該ネットワークスライスの中に、第２ＮＦを有するＮＦコンポーネントが位置する。コンポーネント情報は、第２ＮＦコンポーネントのネットワークスライス識別子を更に含み、第２ＮＦコンポーネントのネットワークスライス識別子は、第２ＮＦコンポーネントの位置するネットワークスライスを示す。
【０１１８】
第２ＮＦ識別子に基づき、ローカルコンポーネント情報ベースから第２ＮＦコンポーネントのコンポーネント情報を取得するステップは、
第２ＮＦ識別子及び期待ネットワークスライス識別子に基づき、ローカルコンポーネント情報ベースから第２ＮＦコンポーネントのコンポーネント情報を取得するステップであって、第２ＮＦコンポーネントのコンポーネント情報は、第２ＮＦコンポーネント識別子及びネットワークスライス識別子を含む、ステップを含む。
【０１１９】
本願の本実施形態では、図３で、第１ＮＦコンポーネント（ＮＦ１）が、第２ＮＦを実行するために第２ネットワークスライス内の第２ＮＦコンポーネント（ＮＦ７）にアクセスする必要のある場合、ＮＦ発見要求は、さらに、第２ネットワークスライスのネットワークスライス識別子（ＳｌｉｃｅＢ）を運ぶ必要があり、第２ネットワークスライスのネットワークスライス識別子（ＳｌｉｃｅＢ）は、期待ネットワークスライス識別子である。さらに、ステップ５０３から、第２ＮＦコンポーネント（ＮＦ３）のネットワークスライス識別子はＳｌｉｃｅＡ及びＳｌｉｃｅＢであり、ＮＦ７のネットワークスライス識別子はＳｌｉｃｅＣであることが分かる。この場合、ＳｌｉｃｅＢは目標ネットワークスライス識別子として選択され、ＳｌｉｃｅＢに対応する第２ネットワークスライスは第２ＮＦコンポーネントＮＦ３を含み、ＮＦ３のコンポーネント発見ポリシは、第１ネットワークスライス及び第２ネットワークスライス内のＮＦコンポーネントのアクセスのみを許可する。したがって、ＮＦ３のコンポーネント発見ポリシ及び目標ネットワークスライス識別子（ＳｌｉｃｅＢ）に基づき、発見可能ネットワークスライスが第２ネットワークスライスであることが決定される。期待ネットワークスライス識別子がＳｌｉｃｅＣである場合、決定される目標ネットワークスライス識別子はＳｌｉｃｅＣである。しかしながら、ＮＦ７のコンポーネント発見ポリシに基づき、ＮＦ１の位置する第１ネットワークスライス内のＮＦコンポーネントは、第３ネットワークスライス内のＮＦ７にアクセスできない。したがって、発見可能ネットワークスライスは存在しない。第１ＮＦコンポーネントの指向性発見及びアクセス要求のために、ＮＦ管理装置は、ＮＦ管理をより良く標準化するために、コンポーネント発見ポリシに基づくフィルタリングを実行する必要がある。
【０１２０】
前述の実施形態では、発見ポリシは、ネットワークルールに従いプリセットされ、発見ポリシは詳細に記載されない。上記の説明では、発見ポリシはオペレータのネットワークスライス分離要件に基づき設定される。任意で、本願の幾つかの実施形態では、発見ポリシは、
第２ＮＦコンポーネントが、第２ＮＦコンポーネントと同じネットワークスライス内のＮＦコンポーネントによってのみアクセス可能である、又は、
第２ＮＦコンポーネントが、指定ネットワークスライス内のＮＦコンポーネントによってのみアクセス可能である、又は、
第２ＮＦコンポーネントが、全てのネットワークスライス内のＮＦコンポーネントによりアクセス可能である、を含む。
【０１２１】
本願の本実施形態では、ＮＦコンポーネントの発見ポリシは、ネットワークルールに従いプリセットされる。例えば、ある場合には、第２ＮＦコンポーネントは、ネットワークスライス分離要件に基づき、同じネットワークスライス内のＮＦコンポーネントによってのみアクセス可能である。別の場合には、第２ＮＦコンポーネントは、指定ネットワークスライス内のＮＦコンポーネントによりアクセス可能である。更に別の場合には、第２ＮＦコンポーネントは、いかなる制限も無しに、全てのネットワークスライス内のＮＦコンポーネントによりアクセス可能である。３つの場合は、説明のための単なる例である。実際の用途において別の場合が存在して良く、これは具体的に限定されない。
【０１２２】
前述の実施形態では、発見ポリシは、オペレータのネットワークスライス分離要件に基づき設定され、したがって、ＮＦ発見要求は第１ＮＦコンポーネントのネットワークスライス識別子を更に含む必要がある。図５を参照すると、本願の一実施形態は、以下のステップを含むＮＦ管理方法を提供する。
【０１２３】
５０１。第１ＮＦコンポーネントにより送信されたＮＦ発見要求を受信する。ここで、ＮＦ発見要求は第２ＮＦ識別子を含む。
【０１２４】
詳細については、ステップ４０１を参照する。
【０１２５】
５０２。第２ＮＦ識別子に基づき、第２ＮＦコンポーネントのコンポーネント情報を取得する。ここで、コンポーネント情報は、第２ＮＦコンポーネントの発見ポリシ及び第２ＮＦコンポーネント識別子を含む。
【０１２６】
詳細については、ステップ４０２を参照する。
【０１２７】
５０３。コンポーネント情報に基づき、第２ＮＦコンポーネントの発見ポリシ及びネットワークスライス識別子を取得する。
【０１２８】
本実施形態では、ＮＦ３のコンポーネント情報及びＮＦ７のコンポーネント情報が取得された後に、ＮＦ３の発見ポリシ及びネットワークスライス識別子がコンポーネント情報から取得されて良い。ＮＦ３は、第１ネットワークスライス及び第２ネットワークスライスにより共有され、発見ポリシは、オペレータのネットワークスライス分離要件に基づき設定される。ＮＦ３の発見ポリシが、第１ネットワークスライス及び第２ネットワークスライス内のＮＦコンポーネントのアクセスのみを許可する場合、ＮＦ３のネットワークスライス識別子はＳｌｉｃｅＡ及びＳｌｉｃｅＢであり、ＮＦ７の発見ポリシが第３ネットワークスライス内のＮＦコンポーネントのアクセスのみを許可する場合、ＮＦ７のネットワークスライス識別子はＳｌｉｃｅＣである。
【０１２９】
５０４。第２ＮＦコンポーネントの発見ポリシ及びネットワークスライス識別子に基づき、第２ＮＦコンポーネントの発見可能ネットワークスライスを決定する。
【０１３０】
本実施形態では、ネットワークスライス識別子（ＳｌｉｃｅＡ及びＳｌｉｃｅＢ）及びＮＦ３の発見ポリシに基づき、ＮＦ３の発見可能ネットワークスライスは第１ネットワークスライス及び第２ネットワークスライスであると決定される。具体的に言うと、第１ネットワークスライス及び第２ネットワークスライス内のＮＦコンポーネントのＮＦ３へのアクセスのみが、オペレータのネットワークスライス分離要件を満たす。ＮＦ７の発見ポリシ及びネットワークスライス識別子（ＳｌｉｃｅＣ）に基づき、ＮＦ７の発見可能ネットワークスライスが第３ネットワークスライスであることが決定される。具体的に言うと、第３ネットワークスライス内のＮＦコンポーネントのＮＦ７へのアクセスのみが、オペレータのネットワークスライス分離要件を満たす。
【０１３１】
５０５。第１ＮＦコンポーネントのネットワークスライス識別子に基づき、第１ＮＦコンポーネントの位置するネットワークスライスが発見可能ネットワークスライスの中に存在するか否かを決定し、存在する場合、ステップ５０６を実行する。
【０１３２】
本実施形態では、第１ＮＦコンポーネント（ＮＦ１）により送信されるＮＦ発見要求は、ＮＦ１のネットワークスライス識別子（ＳｌｉｃｅＡ）を含む。ＳｌｉｃｅＡに基づき、ＮＦ１が第１ネットワークスライス内であることが分かる。ＮＦ３の発見可能ネットワークスライスが第１ネットワークスライス及び第２ネットワークスライスであるので、ＮＦ１の位置する第１ネットワークスライスは、ＮＦ３の発見可能ネットワークスライスの中にあり、ステップ５０６が実行される。ＮＦ７の発見可能ネットワークスライスが第３ネットワークスライスであるので、ＮＦ１の位置する第１ネットワークスライスは、ＮＦ７の発見可能ネットワークスライスの中になく、ステップ５０６は実行されない。
【０１３３】
別の可能な実装では、第１ＮＦコンポーネント（ＮＦ１）により送信されるＮＦ発見要求は、第１ＮＦコンポーネントのコンポーネント識別子を含む。第１ＮＦコンポーネントのコンポーネント情報は、第１ＮＦコンポーネントのコンポーネント識別子に基づきコンポーネント情報ベースから取得され、コンポーネント情報は第１ＮＦコンポーネントのネットワークスライス識別子（ＳｌｉｃｅＡ）を含む。
【０１３４】
５０６。第１ＮＦコンポーネントが第２ＮＦコンポーネントにアクセスできると決定する。
【０１３５】
本実施形態では、ＮＦ１の位置する第１ネットワークスライスがＮＦ３の発見可能ネットワークスライス内に存在する場合、ＮＦ１はＮＦ３にアクセスできると決定される。
【０１３６】
５０７。第２ＮＦコンポーネント識別子に基づきコンポーネント発見応答を生成し、コンポーネント発見応答を第１ＮＦコンポーネントへ送信する。
【０１３７】
本実施形態では、ＮＦ１がＮＦ３にアクセスできると決定された後に、ＮＦ３のＩＰアドレス又はＩＤのような第２ＮＦコンポーネント識別子は、ＮＦ３のコンポーネント情報から取得される。コンポーネント発見応答は、ＮＦ３の第２ＮＦコンポーネント識別子に基づき生成され、コンポーネント発見応答はＮＦ発見要求を送信する第１ＮＦコンポーネント（ＮＦ１）にフィードバックされる。コンポーネント発見応答を受信した後に、ＮＦ１は、コンポーネント発見応答の中のＮＦ３の第２ＮＦコンポーネント識別子に基づきＮＦ３にアクセスし、ＮＦ３は、ユーザサービスを達成するために、サービスインタフェースを用いて第２ＮＦを提供する。
【０１３８】
本願の本実施形態では、発見ポリシはオペレータのネットワークスライス分離要件に基づき設定されるので、ＮＦ１のＮＦ３へのアクセスは、ネットワークスライス分離要件を確実に満たすが、ＮＦ１のＮＦ７へのアクセスは、ネットワークスライス分離要件を満たさない。したがって、ＮＦ７のネットワークアドレス及び他の情報は、ＮＦ１により発見されない。発見ポリシに基づき決定される目標ＮＦコンポーネントは確実にネットワークルールに従うこと、それにより正常なネットワーク動作を保証することが分かる。
【０１３９】
前述の実施形態では、全てのＮＦ発見ポリシは、コンポーネント情報に含まれる。図９に示すように、別個のＮＦ発見ポリシ情報が存在する場合、本願は以下のステップを含むＮＦ管理方法を提供する。
【０１４０】
９０１。第１ＮＦコンポーネントにより送信されたＮＦ発見要求を受信する。ここで、ＮＦ発見要求は第２ＮＦ識別子を含む。
【０１４１】
本実施形態では、ＮＦ発見要求は、あるＮＦ種別のＮＦコンポーネントを発見するよう要求するために使用される。具体的に、例えば、ＮＦ発見要求は発見要求であって良い。
【０１４２】
任意で、第１ＮＦコンポーネントがネットワークスライス内に展開された第２ＮＦを発見することを期待するとき、ＮＦ発見要求は、期待ネットワークスライスの識別子を含み、第１ＮＦコンポーネントがＮＦグループ内の第２ＮＦを発見することを期待するとき、ＮＦ発見要求はＮＦグループの識別子を含み、又は、第１ＮＦコンポーネントが第２ＮＦから１又は複数の指定サービスを取得することを期待するとき、ＮＦ発見要求はアクセスされることを期待する第２ＮＦのサービスの識別子を含む。したがって、第２ＮＦ識別子に加えて、ＮＦ発見要求は、期待ネットワークスライスの識別子及び／又はＮＦグループの識別子を含み得る。
【０１４３】
９０２。第２ＮＦ識別子に基づき第２ＮＦの発見ポリシを取得する。
【０１４４】
本実施形態では、ＮＦ発見要求は第２ＮＦ識別子を含み、ＮＦ管理装置は各ＮＦに対応する発見ポリシを格納する。したがって、ＮＦ発見要求が受信された後に、第２ＮＦの発見ポリシ情報は、ＮＦ発見要求の中の第２ＮＦ識別子に基づき取得されて良く、発見ポリシは、ＮＦコンポーネント構成の間にネットワークルールに従い当業者によりプリセットされて良い。
【０１４５】
同じＮＦを有し且つ同じネットワークスライス内に展開された複数のＮＦコンポーネントの発見ポリシ情報が、別個のＮＦ発見ポリシ情報に格納され得るとき、期待ネットワークスライス内に展開された第２ＮＦの発見ポリシ情報は、ＮＦ発見要求の中の第２ＮＦ識別子及び期待ネットワークスライスの識別子に基づき決定される。
【０１４６】
同じＮＦを有し且つ同じＮＦグループに属する複数のＮＦコンポーネントの発見ポリシ情報が、別個のＮＦ発見ポリシ情報に格納され得るとき、ＮＦグループに属する第２ＮＦの発見ポリシ情報は、ＮＦ発見要求の中の第２ＮＦ識別子及びＮＦグループの識別子に基づき決定される。
【０１４７】
９０３。第２ＮＦの発見ポリシに基づき、第１ＮＦコンポーネントが第２ＮＦにアクセス可能か否かを決定する。可能な場合、ステップ９０４を実行する。
【０１４８】
詳細については、図４に示す実施形態におけるステップ４０３を参照のこと。第１ＮＦコンポーネントが第２ＮＦにアクセス可能な場合、ステップ９０４が実行される。さらに、第２ＮＦの発見ポリシ情報は、ＮＦの識別子、及び該ＮＦによりアクセス可能なサービス（つまり、ある種類のＮＦによりアクセス可能な第２ＮＦからのサービス）の識別子を含む。第１ＮＦコンポーネントのＮＦの識別子は、第１ＮＦコンポーネントにより送信されたＮＦ発見要求に基づき学習されて良い。ＮＦの識別子及びＮＦによりアクセス可能なサービスの識別子は、第１ＮＦコンポーネントによりアクセス可能なサービスの識別子を決定するためにクエリされる。
【０１４９】
具体的に、第１ＮＦコンポーネントにより送信されたＮＦ発見要求に基づき第１ＮＦコンポーネントのＮＦの識別子を取得するステップは、具体的に以下の方法を含む。ＮＦ管理装置により格納された第１ＮＦコンポーネントに関する情報は第１ＮＦコンポーネントのＮＦの識別子を含み、ＮＦ管理装置は、ステップ９０１で、第１ＮＦコンポーネントにより送信されたＮＦ発見要求を受信した後に、第１ＮＦコンポーネントのＮＦの識別子を取得するために、第１ＮＦコンポーネントに関する情報を決定する、又は、ステップ９０１で第１ＮＦコンポーネントにより送信されたＮＦ発見要求は第１ＮＦコンポーネントのＮＦの識別子を含み、ＮＦ管理装置が第１ＮＦコンポーネントのＮＦの識別子を取得するようにする。
【０１５０】
９０４。１又は複数の第２ＮＦコンポーネントの識別子を取得する。
【０１５１】
具体的に、ＮＦ管理装置は、ＮＦ発見要求の中の第２ＮＦ識別子、及びＮＦ管理装置により格納されたコンポーネント情報ベースに含まれる全てのＮＦコンポーネントのコンポーネント情報に基づき、第２ＮＦを有する第２ＮＦコンポーネントの識別子を取得して良い。複数の第２ＮＦコンポーネントが存在して良い。例えば、両コンポーネントＮＦ３及びＮＦ７が第２ＮＦを有し、したがってコンポーネントＮＦ３及びＮＦ７の識別子は第２ＮＦコンポーネントの識別子である。
【０１５２】
９０５。１又は複数の第２ＮＦコンポーネントの識別子を第１ＮＦコンポーネントへ送信する。
【０１５３】
さらに、第２ＮＦによりアクセス可能なサービスの識別子が第１ＮＦコンポーネントに提供される。
【０１５４】
本願の本実施形態では、ＮＦ管理装置は、第１ＮＦコンポーネントのＮＦ発見要求を受信し、ＮＦ発見要求の中の第２ＮＦ識別子に基づき、第２ＮＦコンポーネントの発見ポリシを取得し、第２ＮＦの発見ポリシが第１ＮＦコンポーネントの第２ＮＦへのアクセスを許可する場合、１又は複数の第２ＮＦコンポーネントの識別子を取得し、ここで第２ＮＦコンポーネントは第２ＮＦを有し、並びに、１又は複数の第２ＮＦコンポーネントの識別子を第１ＮＦコンポーネントへ送信して、第１ＮＦコンポーネントが、第２ＮＦコンポーネント識別子に基づき第２ＮＦコンポーネントにアクセスし及びユーザサービスを達成するために第２ＮＦを実行できるようにする。第２ＮＦコンポーネントの発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【０１５５】
前述の実施形態は本願におけるＮＦ管理方法を記載し、以下は、機器の実施形態を詳細に記載する。
【０１５６】
図６を参照すると、本願の一実施形態は、受信モジュール６０１と処理モジュール６０２と送信モジュール６０３とを含むＮＦ管理装置を提供する。
【０１５７】
受信モジュール６０１は、第１ＮＦコンポーネントにより送信されたＮＦ発見要求を受信するよう構成される。ＮＦ発見要求は第２ＮＦ識別子を含み、第２ＮＦ識別子は第２ＮＦを示すために使用される。
【０１５８】
詳細については、ステップ４０１を参照する。
【０１５９】
処理モジュール６０２は、第２ＮＦ識別子に基づき第２ＮＦコンポーネントのコンポーネント情報を取得するよう構成される。第２ＮＦコンポーネントは第２ＮＦを有し、コンポーネント情報は、第２ＮＦコンポーネントの発見ポリシ及び第２ＮＦコンポーネント識別子を含む。
【０１６０】
詳細については、ステップ４０２を参照する。
【０１６１】
処理モジュール６０２は、さらに、コンポーネント情報の中の発見ポリシに基づき、第１ＮＦコンポーネントが第２ＮＦコンポーネントにアクセス可能か否かを決定するよう構成される。
【０１６２】
詳細については、ステップ４０３を参照する。
【０１６３】
送信モジュール６０３は、第１ＮＦコンポーネントが第２ＮＦコンポーネントにアクセス可能であるとき、第１ＮＦコンポーネントへ第２ＮＦコンポーネント識別子を送信するよう構成される。
【０１６４】
詳細については、ステップ４０４を参照する。
【０１６５】
本願の本実施形態では、コアネットワークの中のネットワークスライス内で構成された各ＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。受信モジュール６０１は、第１ＮＦコンポーネントのＮＦ発見要求を受信する。処理モジュール６０２は、ＮＦ発見要求の中の第２ＮＦ識別子に基づき、第２ＮＦコンポーネントの格納されたコンポーネント情報を取得し、コンポーネント情報の中の発見ポリシに基づき、第１ＮＦコンポーネントが第２ＮＦコンポーネントにアクセス可能か否かを決定する。送信モジュール６０３は、第１ＮＦコンポーネントが第２ＮＦコンポーネントにアクセス可能な場合、第２ＮＦコンポーネント識別子を第１ＮＦコンポーネントへ送信して、第１ＮＦコンポーネントが第２ＮＦコンポーネント識別子に基づき第２ＮＦコンポーネントにアクセスし及びユーザサービスを達成するために第２ＮＦを実行できるようにする。発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【０１６６】
任意で、本願の幾つかの実施形態では、処理モジュール６０２は、さらに、ＮＦ発見要求から第２ＮＦ識別子を取得するよう構成される。
【０１６７】
処理モジュール６０２は、さらに、第２ＮＦ識別子に基づき、ローカルコンポーネント情報ベースから、第２ＮＦコンポーネントのコンポーネント情報を取得するよう構成される。第２ＮＦコンポーネントのコンポーネント情報は、発見ポリシ及び第２ＮＦコンポーネント識別子を含む。
【０１６８】
本願の本実施形態では、従来技術において、当業者は、機能種別に基づく異なるＮＦとして、ネットワーク内でサポートされる機能を定義する。ＮＦコンポーネントは、ＮＦをサポートし、ネットワークスライス内で構成される。各展開されたＮＦコンポーネントのコンポーネント情報は、ＮＦ管理装置のローカルコンポーネント情報ベースに格納される。全てのＮＦコンポーネントのコンポーネント情報がローカルコンポーネント情報ベースに格納されるので、対応する第２ＮＦコンポーネント識別子は、第２ＮＦ識別子に基づきコンポーネント情報ベースから読み出され得る。第２ＮＦ識別子は、ＮＦコンポーネントが第２ＮＦを有することを示す。ネットワーク全体には第２ＮＦを有する複数のＮＦコンポーネントが存在し得る。したがって、複数の第２ＮＦコンポーネントは、読み出された第２ＮＦコンポーネント識別子に基づき決定されて良い。処理モジュール６０２は、第２ＮＦコンポーネントを決定した後に、第２ＮＦコンポーネントのコンポーネント情報を抽出し、各第２ＮＦコンポーネントはそれぞれの発見ポリシを有する。これは、ＮＦ管理装置による中央ＮＦコンポーネント管理を実現する。
【０１６９】
任意で、本願の幾つかの実施形態では、ＮＦ発見要求は、期待ネットワークスライス識別子を更に含み、期待ネットワークスライス識別子は、期待される要求を通じて第１ＮＦコンポーネントにより発見されたネットワークスライスを示し、該ネットワークスライスの中に、第２ＮＦを有するＮＦコンポーネントが位置し、コンポーネント情報は第２ＮＦコンポーネントのネットワークスライス識別子を更に含み、第２ＮＦコンポーネントのネットワークスライス識別子は第２ＮＦコンポーネントの位置するネットワークスライスを示す。
【０１７０】
処理モジュール６０２は、さらに、第２ＮＦ識別子及び期待ネットワークスライス識別子に基づき、ローカルコンポーネント情報ベースから、第２ＮＦコンポーネントのコンポーネント情報を取得するよう構成される。第２ＮＦコンポーネントのコンポーネント情報は、第２ＮＦコンポーネント識別子及びネットワークスライス識別子を含む。
【０１７１】
本願の本実施形態では、第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライス識別子を含む必要がある。処理モジュール６０２は、全ての第２ＮＦコンポーネントを発見し、ローカルコンポーネント情報ベースから、第２ＮＦコンポーネントのコンポーネント情報を取得する。第１ＮＦコンポーネントがネットワークスライス内の第２ＮＦコンポーネントを発見しアクセスすることを期待している場合でも、ＮＦ管理装置は、発見ポリシに基づきネットワークスライス内の第２ＮＦコンポーネントの発見可能ネットワークスライスを決定する必要がある。第１ＮＦコンポーネントの位置するネットワークスライスが発見可能ネットワークスライスの中に存在する場合、第１ＮＦコンポーネントの要件は満たされ、発見ポリシが守られる。
【０１７２】
任意で、本願の幾つかの実施形態では、ＮＦ発見要求は、第１ＮＦコンポーネントのネットワークスライス識別子を更に含む。
【０１７３】
処理モジュール６０２は、さらに、第２ＮＦコンポーネントの発見ポリシ及びネットワークスライス識別子に基づき、第２ＮＦコンポーネントの発見可能ネットワークスライスを決定するよう構成される。
【０１７４】
詳細については、ステップ５０４を参照する。
【０１７５】
処理モジュール６０２は、さらに、第１ＮＦコンポーネントのネットワークスライス識別子に基づき、第１ＮＦコンポーネントの位置するネットワークスライスが発見可能ネットワークスライスの中に存在するか否かを決定するよう構成される。
【０１７６】
詳細については、ステップ５０５を参照する。
【０１７７】
処理モジュール６０２は、さらに、第１コンポーネントの位置するネットワークスライスが発見可能ネットワークスライスの中に存在する場合、第１ＮＦコンポーネントが第２ＮＦコンポーネントにアクセス可能であると決定するよう構成される。
【０１７８】
詳細については、ステップ５０６を参照する。
【０１７９】
本願の本実施形態では、第２ＮＦコンポーネントの発見ポリシがネットワークスライス分離要件に基づき設定される場合、第１ＮＦコンポーネントにより送信されたＮＦ発見要求は、第１ＮＦコンポーネントのネットワークスライス識別子（例えば、ｓｌｉｃｅ１）を更に含む必要があり、又は、ＮＦ管理装置は、第１ＮＦコンポーネントのコンポーネント識別子及びＮＦ管理装置により格納された第１ＮＦコンポーネントのコンポーネント情報に基づき、第１ＮＦコンポーネントの位置するネットワークスライスのネットワークスライス識別子を取得して良い。処理モジュール６０２は、各第２ＮＦコンポーネントのコンポーネント情報から、各第２ＮＦコンポーネントの発見ポリシ及びネットワークスライス識別子を取得する。第２ＮＦコンポーネントＮＦ１の発見ポリシが、同じネットワークスライス内のＮＦコンポーネントのアクセスのみを許可し、ネットワークスライス識別子がＳｌｉｃｅ１である、第２ＮＦコンポーネントＮＦ２の発見ポリシは、同じネットワークスライス又は共有ネットワークスライス（共有ネットワークスライス識別子はＳｌｉｃｅ３である）内のＮＦコンポーネントのアクセスのみを許可し、ネットワークスライス識別子はＳｌｉｃｅ２である、と仮定する。処理モジュール６０２は、ＮＦ１の発見ポリシ及びネットワークスライス識別子に基づき、ＮＦ１の発見可能ネットワークスライスがＳｌｉｃｅ１であると決定する。同様に、ＮＦ２の発見可能ネットワークスライスはＳｌｉｃｅ２及びＳｌｉｃｅ３である。処理モジュール６０２は、第１ＮＦコンポーネントのネットワークスライス識別子（Ｓｌｉｃｅ１）に基づき、第１ＮＦコンポーネントの位置するネットワークスライスがＮＦ１の発見可能ネットワークスライスの中にあると決定し、ＮＦ１が目標ＮＦコンポーネントであると決定する。さらに、処理モジュール６０２は、第１ＮＦコンポーネントのネットワークスライス識別子（Ｓｌｉｃｅ１）に基づき、第１ＮＦコンポーネントの位置するネットワークスライスがＮＦ２の発見可能ネットワークスライスの中にないと決定し、ＮＦ２が目標ＮＦコンポーネントではないと決定し、発見ポリシに基づき、第２ＮＦコンポーネントから同じＮＦを有する目標ＮＦコンポーネントを決定する。さらに、発見ポリシはネットワークルールに従い設定されるので、決定された目標ＮＦコンポーネントは確実にネットワークルールに従い、それにより、第２ＮＦコンポーネントの中にあり且つ第１ＮＦコンポーネントによるアクセスがネットワークルールに従わないＮＦコンポーネントをフィルタリングする。
【０１８０】
任意で、本願の幾つかの実施形態では、送信モジュール６０３は、具体的に、第２ＮＦコンポーネント識別子に基づき、コンポーネント発見応答を生成し、コンポーネント発見応答を第１ＮＦコンポーネントへ送信するよう構成される。
【０１８１】
詳細については、ステップ５０７を参照する。
【０１８２】
本願の本実施形態では、処理モジュール６０２が目標ＮＦコンポーネントを決定した後に、送信モジュール６０３は、第１ＮＦコンポーネントのＮＦ発見要求に対するコンポーネント発見応答に第２ＮＦコンポーネント識別子を付加し、コンポーネント発見応答を第１ＮＦコンポーネントにフィードバックする。第２ＮＦコンポーネント識別子は、第２ＮＦコンポーネントのコンポーネントアドレス、コンポーネントＩＤ、等であって良く、第２ＮＦコンポーネントを識別する識別子であって良い。
【０１８３】
任意で、図７に示すように、本願の幾つかの実施形態では、ＮＦ管理装置は記憶モジュール７０１を更に含む。
【０１８４】
記憶モジュール７０１は、新しいＮＦコンポーネントが展開されると、新しく展開されたＮＦコンポーネントのコンポーネント情報を取得するよう構成される。新しく展開されたＮＦコンポーネントのコンポーネント情報は、新しく展開されたＮＦコンポーネントのコンポーネント識別子、ＮＦ識別子、発見ポリシ、及びネットワークスライス識別子、を含む。
【０１８５】
記憶モジュール７０１は、さらに、新しく展開されたＮＦコンポーネントのコンポーネント情報をローカルコンポーネント情報ベースに格納するよう構成される。
【０１８６】
本願の本実施形態では、従来技術において、当業者は、機能種別に基づく異なるＮＦとして、ネットワーク機能を定義する。ＮＦコンポーネントは、ＮＦをサポートし、ネットワークスライス内で構成される。新しいＮＦコンポーネントが展開されるとき、新しく展開されるＮＦコンポーネントのコンポーネント情報は、ＮＦ管理装置へ送信される必要がある。コンポーネント情報は、新しく展開されたＮＦコンポーネントの、コンポーネントアドレス（例えばＩＰアドレス）、コンポーネント識別子、ＮＦ識別子、発見ポリシ、及びネットワークスライス識別子を含む。コンポーネント識別子は、新しく展開されたＮＦコンポーネントのユニークな識別子である。ＮＦ識別子は、新しく展開されたＮＦコンポーネントのＮＦを示す。発見ポリシは、新しく展開されたＮＦコンポーネントの且つネットワークルールに従い当業者により設定された発見条件である。例えば、発見ポリシは、同じネットワークスライス内のＮＦコンポーネントのアクセスのみを許可し、又は指定ネットワークスライス内のＮＦコンポーネントのアクセスのみを許可する。ネットワークスライス識別子は、新しく展開されたＮＦコンポーネントの位置するネットワークスライスを示す。記憶モジュール７０１は、新しく展開されたＮＦコンポーネントのコンポーネント情報を取得し、コンポーネント情報をコンポーネント情報ベースに格納する。ＮＦコンポーネント管理をより良好に実施するために、ＮＦ管理装置は、全てのネットワークスライス内の新しく展開されたＮＦコンポーネントのコンポーネント情報を格納する必要がある。
【０１８７】
図９に示す方法の実施形態に基づき、図６を参照すると、本願の一実施形態で提供される別のＮＦ管理装置は、図９のＮＦ管理装置の機能を実装するよう構成され、受信モジュール６０１と処理モジュール６０２と送信モジュール６０３とを含む。
【０１８８】
受信モジュール６０１は、第１ＮＦコンポーネントにより送信されたＮＦ発見要求を受信するよう構成される。ＮＦ発見要求は第２ＮＦ識別子を含む。
【０１８９】
処理モジュール６０２は、第２ＮＦ識別子に基づき第２ＮＦの発見ポリシを取得するよう構成される。
【０１９０】
処理モジュール６０２は、さらに、第２ＮＦの発見ポリシが第１ＮＦコンポーネントの第２ＮＦへのアクセスを許可する場合、１又は複数の第２ＮＦコンポーネントの識別子を取得するよう構成される。第２ＮＦコンポーネントは第２ＮＦを有する。
【０１９１】
送信モジュール６０３は、１又は複数の第２ＮＦコンポーネントの識別子を第１ＮＦコンポーネントへ送信するよう構成される。
【０１９２】
本願の本実施形態では、コアネットワークの中のネットワークスライス内で構成された各ＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。受信モジュール６０１は、第１ＮＦコンポーネントのＮＦ発見要求を受信する。処理モジュール６０２は、ＮＦ発見要求の中の第２ＮＦ識別子に基づき、第２ＮＦコンポーネントの発見ポリシを取得する。第２ＮＦの発見ポリシが第１ＮＦコンポーネントの第２ＮＦへのアクセスを許可する場合、処理モジュール６０２は、１又は複数の第２ＮＦコンポーネントの識別子を取得する。第２ＮＦコンポーネントは第２ＮＦを有する。送信モジュール６０３は、１又は複数の第２ＮＦコンポーネントの識別子を第１ＮＦコンポーネントへ送信して、第１ＮＦコンポーネントが第２ＮＦコンポーネント識別子に基づき第２ＮＦコンポーネントにアクセスし及びユーザサービスを達成するために第２ＮＦを実行できるようにする。第２ＮＦコンポーネントの発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【０１９３】
任意で、本願の幾つかの実施形態では、処理モジュール６０２は、さらに、１又は複数の第２ＮＦコンポーネントのコンポーネント情報を取得するよう構成され、第２ＮＦコンポーネントのコンポーネント情報は、第２ＮＦコンポーネントの識別子を含み、処理モジュール６０２は、さらに、１又は複数の第２ＮＦコンポーネントのコンポーネント情報から、１又は複数の第２ＮＦコンポーネントの識別子を取得するよう構成される。
【０１９４】
本願の本実施形態では、従来技術において、当業者は、機能種別に基づく異なるＮＦとして、ネットワーク内でサポートされる必要のある機能を定義する。ＮＦコンポーネントは、ＮＦをサポートでき、ネットワークスライス内で構成される。各展開されたＮＦコンポーネントのコンポーネント情報は、ＮＦ管理装置のローカルコンポーネント情報ベースに格納される。処理モジュール６０２は、１又は複数の第２ＮＦコンポーネントのコンポーネント情報を取得する。第２ＮＦコンポーネントのコンポーネント情報は、第２ＮＦコンポーネントの識別子を含み、１又は複数の第２ＮＦコンポーネントの識別子が１又は複数の第２ＮＦコンポーネントのコンポーネント情報から取得できるようにし、それにより、ＮＦ管理装置による中央ＮＦコンポーネント管理を実現する。
【０１９５】
任意で、本願の幾つかの実施形態では、ＮＦ発見要求は、期待ネットワークスライスの識別子を更に含み、第２ＮＦ識別子に基づき第２ＮＦの発見ポリシを取得するステップは、第２ＮＦ識別子及び期待ネットワークスライスの識別子に基づき、第２ＮＦの発見ポリシを取得するステップを含む。
【０１９６】
処理モジュール６０２は、さらに、第２ＮＦ識別子及び期待ネットワークスライスの識別子に基づき、期待ネットワークスライスの中の１又は複数の第２ＮＦコンポーネントの識別子を取得するよう構成される。
【０１９７】
本願の本実施形態では、第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライスの識別子を含む。処理モジュール６０２が第２ＮＦ識別子及び期待ネットワークスライスの識別子に基づき第２ＮＦの発見ポリシを取得した後に、第２ＮＦの発見ポリシが第１ＮＦコンポーネントの第２ＮＦへのアクセスを許可する場合、処理モジュールは、第２ＮＦ識別子及び期待ネットワークスライスの識別子に基づき期待ネットワークスライスの中の１又は複数の第２ＮＦコンポーネントの識別子を取得する。
【０１９８】
任意で、本願の幾つかの実施形態では、ＮＦ発見要求は、ＮＦグループの識別子を更に含み、第２ＮＦ識別子に基づき第２ＮＦの発見ポリシを取得するステップは、第２ＮＦ識別子及びＮＦグループの識別子に基づき、第２ＮＦの発見ポリシを取得するステップを含む。
【０１９９】
処理モジュール６０２は、さらに、第２ＮＦ識別子及びＮＦグループの識別子に基づき、ＮＦグループの中の１又は複数の第２ＮＦコンポーネントの識別子を取得するよう構成される。
【０２００】
本願の本実施形態では、第１ＮＦコンポーネントがＮＦグループの中の第２ＮＦを有するＮＦコンポーネントを発見しアクセスすることを期待している場合、第１ＮＦコンポーネントにより送信されたＮＦ発見要求は、さらにＮＦグループの識別子を含む必要がある。処理モジュール６０２が第２ＮＦ識別子及びＮＦグループの識別子に基づき第２ＮＦの発見ポリシを取得した後に、第２ＮＦの発見ポリシが第１ＮＦコンポーネントの第２ＮＦへのアクセスを許可する場合、処理モジュールは、第２ＮＦ識別子及びＮＦグループの識別子に基づきＮＦグループの中の１又は複数の第２ＮＦコンポーネントの識別子を取得する。
【０２０１】
任意で、本願の幾つかの実施形態では、第２ＮＦの発見ポリシは、ＮＦの識別子及びＮＦによりアクセス可能なサービスの識別子を更に含む。処理モジュール６０２は、さらに、第１ＮＦコンポーネントにより送信されたＮＦ発見要求に基づき、第１ＮＦコンポーネントのＮＦの識別子を学習し、第１ＮＦコンポーネントによりアクセス可能なサービスの識別子を決定するために、ＮＦの識別子及びＮＦによりアクセス可能なサービスの識別子をクエリするよう構成される。送信モジュール６０３は、さらに、第１ＮＦコンポーネントへ、第１ＮＦコンポーネントによりアクセス可能なサービスの識別子を送信するよう構成される。
【０２０２】
任意で、本願の幾つかの実施形態では、コンポーネント情報はコンポーネント識別子及びＮＦ識別子を含む。
【０２０３】
任意で、本願の幾つかの実施形態では、コンポーネント情報は、コンポーネントアドレス、ネットワークスライス識別子、及びグループ識別子のうちの少なくとも１つを更に含み得る。
【０２０４】
ＮＦ管理装置のモジュール構造の一実施形態が上述された。以下は、ＮＦ管理装置がサーバである一例を用いて、ＮＦ管理装置のエンティティ機器を記載する。
【０２０５】
図８を参照すると、本願の一実施形態は、無線ネットワークインタフェース８５０とＣＰＵ８２２とメモリ８３２とを含むＮＦ管理装置を提供する。ここで、無線ネットワークインタフェース８５０、ＣＰＵ８２２、及びメモリ８３２はバスを用いて互いに接続され、メモリ８３２はコンピュータ命令を格納し、ＣＰＵ８２２は以下の方法を実施するために該コンピュータ命令を実行する：  第１ＮＦコンポーネントにより送信されたＮＦ発見要求を受信するステップであって、ＮＦ発見要求は第２ＮＦ識別子を含み、第２ＮＦ識別子は第２ＮＦを示すために使用される、ステップと、
第２ＮＦ識別子に基づき第２ＮＦコンポーネントのコンポーネント情報を取得するステップであって、第２ＮＦコンポーネントは第２ＮＦを有し、コンポーネント情報は第２ＮＦコンポーネントの発見ポリシ及び第２ＮＦコンポーネント識別子を含む、ステップと、
コンポーネント情報の中の発見ポリシに基づき、第１ＮＦコンポーネントが第２ＮＦコンポーネントにアクセス可能か否かを決定するステップと、
可能な場合、第２ＮＦコンポーネント識別子を第１ＮＦコンポーネントへ送信するステップ。
【０２０６】
メモリ８３２はＮＦコンポーネントのコンポーネント情報を格納して良く、無線ネットワークインタフェース８５０は各ＮＦコンポーネントに接続される。
【０２０７】
図９の実施形態に基づき、図８を参照すると、図８は、本願の一実施形態による別のＮＦ管理装置の可能な概略構造図であり、ＮＦ管理装置は、
ネットワークインタフェース８５０（ネットワークインタフェースは無線ネットワークインタフェースにおけるインタフェースである）と、プロセッサ８２２と、メモリ８３２と、を含み、ネットワークインタフェース８５０、プロセッサ８２２、及びメモリ８０３はバスを用いて互いに接続され、メモリ８３２はコンピュータ命令を格納し、プロセッサ８２２は図９の方法を実施するために該コンピュータ命令を実行する。例えば、方法は、
第１ＮＦコンポーネントにより送信されたＮＦ発見要求を受信するステップであって、ＮＦ発見要求は第２ＮＦ識別子を含む、ステップと、
第２ＮＦ識別子に基づき第２ＮＦの発見ポリシを取得するステップと、
第２ＮＦの発見ポリシが、第１ＮＦコンポーネントの第２ＮＦへのアクセスを許可する場合、１又は複数の第２ＮＦコンポーネントの識別子を取得するステップであって、第２ＮＦコンポーネントは第２ＮＦを有する、ステップと、
第１ＮＦコンポーネントへ、１又は複数の第２ＮＦコンポーネントの識別子を送信するステップと、を含み得る。
【０２０８】
本発明で開示された内容と組み合わせて記載された方法又はアルゴリズムステップは、ハードウェアにより実施されて良く、又はソフトウェア命令を実行することによりプロセッサにより実施されて良い。ソフトウェア命令は、対応するソフトウェアモジュールを含んで良い。ソフトウェアモジュールは、ランダムアクセスメモリ（Random  Access  Memory、ＲＡＭ）、フラッシュメモリ、読み出し専用メモリ（Read−Only  Memory、ＲＯＭ）、消去可能プログラマブル読み出し専用メモリ（Erasable  Programmable  ROM、ＥＰＲＯＭ）、電気的消去可能プログラマブル読み出し専用メモリ（Electrically  EPROM、ＥＥＰＲＯＭ）、レジスタ、ハードディスク、モバイルハードディスク、コンパクトディスク読み出し専用メモリ（compact  disc  read−only  memory、ＣＤ−ＲＯＭ）、又は従来良く知られている任意の他の形式の記憶媒体に格納されて良い。例えば、プロセッサが記憶媒体から情報を読み出し又は記憶媒体に情報を書き込めるように、記憶媒体はプロセッサに結合される。勿論、記憶媒体は、プロセッサのコンポーネントであって良い。プロセッサ及び記憶媒体は、ＡＳＩＣの中に置かれて良い。さらに、ＡＳＩＣはコアネットワークインタフェース装置の中に置かれて良い。勿論、プロセッサ及び記憶媒体は、個別コンポーネントとしてコアネットワークインタフェース装置の中に存在して良い。
【０２０９】
当業者は、前述の１又は複数の例で、本発明において記載された機能がハードウェア、ソフトウェア、ファームウェア、又はそれらの任意の組み合わせにより実施され得ることに気付くべきである。機能がソフトウェアにより実装されるとき、前述の機能は、コンピュータ可読媒体に格納され、又はコンピュータ可読媒体の中の１又は複数の命令又はコードとして送信されて良い。コンピュータ可読媒体は、コンピュータ記憶媒体及び通信媒体を含み、通信媒体はコンピュータプログラムをある場所から別の場所へ送信させる任意の媒体を含む。記憶媒体は、汎用又は専用コンピュータにとってアクセス可能な任意の利用可能な媒体であって良い。
【０２１０】
留意すべきことに、説明を簡単にするために、前述の方法の実施形態は、一連の動作として表現された。しかしながら、当業者は、本願に従い幾つかのステップが他の順序で又は同時に実行されて良いので、本願が記載の動作順序に限定されないことを理解すべきである。さらに、本願明細書に記載の実施形態は全て好適な実施形態に属し、関連する動作及びモジュールは必ずしも本願により必要とされるものではないことが、当業者により理解されるべきである。
【０２１１】
当業者は、実施形態における方法のステップの全部又は一部が関連するハードウェアに指示するプログラムにより実装されて良いことを理解し得る。プログラムは、コンピュータ可読記憶媒体に格納されて良い。記憶媒体は、ＲＯＭ、ＲＡＭ、磁気ディスク、又は光ディスクを含み得る。
【０２１２】
本願の実施形態で提供されるデータ送信方法、アクセスネットワーク装置、及びユーザ機器は、以上に詳述された。本願の原理及び実装は本願明細書の特定の例を用いて本願明細書に記載された。実施形態の記載は、単に本願の方法及び核となる思想の理解を助けるために提供された。さらに、当業者は、本願の思想に基づき、特定の実装及び適用範囲の観点で、本願に対する変形及び変更を行うことができる。したがって、本願明細書の内容は、本願に対する限定として考えられるべきではない。
【図１】
2019525604.tif 000003
【図２】
2019525604.tif 000004
【図３】
2019525604.tif 000005
【図４】
2019525604.tif 000006
【図５】
2019525604.tif 000007
【図６】
2019525604.tif 000008
【図７】
2019525604.tif 000009
【図８】
2019525604.tif 000010
【図９】
2019525604.tif 000011
【手続補正書】
【提出日】平成31年3月26日(2019.3.26)
【手続補正１】
【補正対象書類名】明細書
【補正対象項目名】全文
【補正方法】変更
【補正の内容】
【発明の詳細な説明】
【技術分野】
【０００１】
［関連出願］
本願は、参照によりその全体がここに組み込まれる中国特許出願番号PCT/CN２０１６/０９２７２３、２０１６年８月１日に中国特許庁に出願、名称「NETWORK  FUNCTION  NF  MANAGEMENT  METHOD  AND  NF  MANAGEMENT  DEVICE」の優先権を主張する。
【０００２】
［技術分野］
本願は、通信分野に関し、具体的には、ＮＦ管理方法及びＮＦ管理装置に関する。
【背景技術】
【０００３】
現在、ネットワーク要素（Network  Element、ＮＥ）のアーキテクチャは進化型パケットコア（Evolved  Packet  Core、ＥＰＣ）において使用されている。アーキテクチャは、移動性管理エンティティ（Mobility  Management  Entity、ＭＭＥ）、サービングゲートウェイ（Serving  Gateway、Ｓ−ＧＷ）、及びパケットデータネットワークゲートウェイ（Packet  Data  Network  Gateway、Ｐ−ＧＷ）のような標準的なＮＥを含む。ＥＰＣの現在のネットワーク機能（例えば、移動性管理、ベアラ管理、及び位置管理）は、ＮＥの固定化されたサービス機能及び処理ロジック、並びにＮＥ間のプロシジャメッセージを用いて実装される。例えば、ユーザのアクセスサービスは、標準化されたサービスプロシジャロジック、並びにＭＭＥ、Ｓ−ＧＷ、Ｐ−ＧＷ、及びネットワーク内の別のＮＥ（例えば、ポリシ及び課金ルール機能（Policy  and  Charging  Rules  Function、ＰＣＲＦ）ユニット、及び宅内加入者サーバ（Home  Subscriber  Server、ＨＳＳ））の間の協力を通じて実装される必要がある。したがって、ＥＰＣにより提供される現在のネットワーク機能（Network  Function、ＮＦ）は、固定化されたサービス機能を有する。
【０００４】
ビジネスモデルの絶え間ない発展、及び技術の絶え間ない発展に伴い、ユーザのサービス要件は変化する。ユーザサービスは、より多くのサービスモード及びより良いサービス機能、例えば超低遅延通信及び高信頼通信、を要求する。したがって、新たなＮＦ要件が課される。しかしながら、ＥＰＣにより提供されるＮＦサービスは、固定化され、全てのＮＥに分散される。したがって、ユーザ要件をサポートするために新しいＮＦが導入される必要のある場合、ＮＥの処理ロジック及びプロシジャ相互作用はＥＰＣ内で再定義され再設計される必要がある。機器供給者にとっては、この再設計は、長い開発周期及び高いコストを意味し、ネットワークオペレータにとっては、この再設計は、新しいネットワークサービスが遅れずに発売できないことを意味する。
【０００５】
前述の問題を解決するために、既存ＮＦ管理方法は以下の通りである。図１に示すように、ネットワークアーキテクチャはＮ個のＵＥを含む。ＵＥは、無線アクセスネットワークノード（ＲＡＮ  Ｎｏｄｅ）を用いてコアネットワークにアクセスし、仮想化技術等に基づきコアネットワークの共通ネットワーク基盤上のセグメント化を通じてＮ個のネットワークスライス（Ｓｌｉｃｅ）を取得する。ネットワークスライスは、専用ネットワークとしても参照され得る。専用ネットワークは、１又は複数のサービスにより要求されるネットワークサービスを実装するために使用される。サービス指向型アーキテクチャ（Service  oriented  architecture）が、ネットワークスライスの中で使用されて良い。元のネットワークアーキテクチャの中の（ＭＭＥ及びＳ−ＧＷのような）ＮＥは、機能種別、例えば認証及びセキュリティ機能、パケットデータセッション管理機能、移動性管理機能、アクセス制御機能、及びポリシ制御機能、に基づき、異なるＮＦとして定義される。これらの機能は、対応するＮＦコンポーネントにより実装される。各ＮＦコンポーネントは、定義されたサービスインタフェースを用いて、別のＮＦコンポーネント又は機能にサービスする。図２に示すアーキテクチャでは、同じオペレータの複数のネットワークスライス（ＳｌｉｃｅＡ、ＳｌｉｃｅＢ、及びＳｌｉｃｅＣ）は、同じ公衆地上移動体ネットワーク（Public  Land  Mobile  Network、ＰＬＭＮ）を使用し、クラウド技術、仮想化技術、等を用いてオペレータの基盤内に展開されて良い。オペレータの基盤は、クラウドコンピューティング及びオペレータの送信基盤を含む。図２では、ＳｌｉｃｅＡはＮＦコンポーネントＮＦ１及びＮＦ２を含み、ＳｌｉｃｅＢはＮＦ４及びＮＦ５を含み、ＳｌｉｃｅＡ及びＳｌｉｃｅＢはＮＦ３を共有し、ＳｌｉｃｅＣはＮＦ６及びＮＦ７を含み、ＮＦ３及びＮＦ７は同じＮＦを有する。ユーザ機器がユーザサービスを実行する必要があるとき、ユーザ機器は、ネットワークノード（Ｎｏｄｅ１、Ｎｏｄｅ２、又はＮｏｄｅ３）を用いて１つのネットワークスライスにアクセスする。異なるＮＦコンポーネントによりサポートされる機能は、可能な限り分離される必要がある。具体的に言うと、異なるＮＦコンポーネントの機能は可能な限り異なる。ＮＦコンポーネントは、別のＮＦコンポーネントの機能を発見しアクセスできる。例えば、ユーザサービスにより要求されるネットワークサービスは、先ず、ＮＦ１の機能を実行し、ＮＦ１の機能が実行されると、ＮＦ３の機能を実行する。図２では、ＮＦ１は、ネットワークスライスＡ及びネットワークスライスＢにより共有されるＮＦ３を発見し及びアクセスし、また、ネットワークスライスＣ内のＮＦ７を発見し及びアクセスできる。
【０００６】
しかしながら、ＮＦコンポーネント間のアクセスは、コアネットワーク内で制限される。例えば、ネットワークスライスが障害があるとき、別のネットワークスライスに影響を及ぼすことを回避するために、オペレータは、ネットワークスライスに対して機能分離要件を有する。ネットワークスライス分離要件に基づき、オペレータのＩｎｆｒａｓｔｒｕｃｔｕｒｅ上に展開されたＮＦコンポーネント間のアクセスは、制御される必要がある。具体的に言うと、ネットワークスライス内のＮＦコンポーネントは、該ネットワークスライス内のＮＦコンポーネント又は該ネットワークスライスにより共有されるＮＦコンポーネントにのみアクセス可能であることが要求される。図２のネットワークスライスＡ内のＮＦ１は、任意のネットワークスライスの中のＮＦ３と同じＮＦを有するＮＦコンポーネントを発見しアクセスできる。例えば、ＮＦ１及びネットワークスライスＣ内のＮＦ７は同じネットワークスライス内になく、これは、オペレータのネットワークスライス分離要件に違反する。同じＮＦを有する全てのＮＦコンポーネントが発見されアクセスされ得る。したがって、ＮＦコンポーネントはネットワークルールに従わずにアクセスされ、正常なネットワーク動作が影響を受ける。例えば、オペレータのネットワークスライス分離要件が否定される。
【発明の概要】
【０００７】
本願は、ＮＦコンポーネント間の発見及びアクセスを管理するために、ＮＦ管理方法及びＮＦ管理装置を提供し、それにより正常なネットワーク動作を実現する。
【０００８】
本願の第１の態様は、ＮＦ管理方法であって、
第１ＮＦコンポーネントにより送信されたＮＦ発見要求を受信するステップであって、前記ＮＦ発見要求は第２ＮＦ識別子を含み、前記第２ＮＦ識別子は第２ＮＦを示すために使用される、ステップと、
前記第２ＮＦ識別子に基づき第２ＮＦコンポーネントのコンポーネント情報を取得するステップであって、前記第２ＮＦコンポーネントは前記第２ＮＦを有し、前記コンポーネント情報は前記第２ＮＦコンポーネントの発見ポリシ及び第２ＮＦコンポーネント識別子を含む、ステップと、
前記コンポーネント情報の中の前記発見ポリシに基づき、前記第１ＮＦコンポーネントが前記第２ＮＦコンポーネントにアクセス可能か否かを決定するステップと、
可能な場合、前記第２ＮＦコンポーネント識別子を前記第１ＮＦコンポーネントへ送信するステップと、を含む方法を提供する。
【０００９】
コアネットワークの中のネットワークスライス内で構成されたＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。ＮＦ管理装置は、第１ＮＦコンポーネントのＮＦ発見要求を受信し、ＮＦ発見要求の中の第２ＮＦ識別子に基づき、第２ＮＦコンポーネントの格納されたコンポーネント情報を取得し、コンポーネント情報の中の発見ポリシに基づき、第１ＮＦコンポーネントが第２ＮＦコンポーネントにアクセス可能か否かを決定し、第１ＮＦコンポーネントが第２ＮＦコンポーネントにアクセス可能な場合、第１ＮＦコンポーネントへ第２ＮＦコンポーネント識別子を送信して、第１ＮＦコンポーネントが第２ＮＦコンポーネント識別子に基づき第２ＮＦコンポーネントにアクセスし、及びユーザサービスを達成するために第２ＮＦを実行できるようにする。発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００１０】
本願の第１の態様を参照して、本願の第１の態様の第１の実装では、第２ＮＦ識別子に基づき第２ＮＦコンポーネントのコンポーネント情報を取得するステップは、
ＮＦ発見要求から第２ＮＦ識別子を取得するステップと、
第２ＮＦ識別子に基づき、ローカルコンポーネント情報ベースから第２ＮＦコンポーネントのコンポーネント情報を取得するステップであって、第２ＮＦコンポーネントのコンポーネント情報は、第２ＮＦコンポーネント識別子を含む、ステップと、を含む。
【００１１】
従来技術において、当業者は、機能種別に基づく異なるＮＦとして、ネットワーク内でサポートされる必要のある機能を定義する。ＮＦコンポーネントは、ＮＦをサポートでき、ネットワークスライス内で構成される。各展開されたＮＦコンポーネントのコンポーネント情報は、ＮＦ管理装置のローカルコンポーネント情報ベースに格納される。全てのＮＦコンポーネントのコンポーネント情報がローカルコンポーネント情報ベースに格納されるので、対応する第２ＮＦコンポーネント識別子は、第２ＮＦ識別子に基づきコンポーネント情報ベースから読み出され得る。第２ＮＦ識別子は、ＮＦコンポーネントが第２ＮＦを有することを示す。ネットワーク全体には第２ＮＦを有する複数のＮＦコンポーネントが存在し得る。したがって、複数の第２ＮＦコンポーネントは、読み出された第２ＮＦコンポーネント識別子に基づき決定されて良い。第２ＮＦコンポーネントのコンポーネント情報は、第２ＮＦコンポーネントが決定された後に、抽出され、各第２ＮＦコンポーネントはそれぞれの発見ポリシを有する。これは、ＮＦ管理装置による中央ＮＦコンポーネント管理を実現する。
【００１２】
本願の第１の態様の第１の実装を参照して、本願の第１の態様の第２の実装では、前記ＮＦ発見要求は、期待ネットワークスライス識別子を更に含み、前記期待ネットワークスライス識別子は、期待される要求を通じて前記第１ＮＦコンポーネントにより発見されたネットワークスライスを示し、該ネットワークスライスの中に、前記第２ＮＦを有するＮＦコンポーネントが位置し、前記コンポーネント情報は前記第２ＮＦコンポーネントのネットワークスライス識別子を更に含み、前記第２ＮＦコンポーネントの前記ネットワークスライス識別子は、前記第２ＮＦコンポーネントの位置するネットワークスライスを示し、
前記第２ＮＦ識別子に基づき、ローカルコンポーネント情報ベースから前記第２ＮＦコンポーネントの前記コンポーネント情報を取得する前記ステップは、
前記第２ＮＦ識別子及び前記期待ネットワークスライス識別子に基づき、前記ローカルコンポーネント情報ベースから前記第２ＮＦコンポーネントの前記コンポーネント情報を取得するステップであって、前記第２ＮＦコンポーネントの前記コンポーネント情報は、前記第２ＮＦコンポーネント識別子及び前記ネットワークスライス識別子を含む、ステップ、を含む。
【００１３】
第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライス識別子を含む必要がある。ＮＦ管理装置は、全ての第２ＮＦコンポーネントを発見し、ローカルコンポーネント情報ベースから、第２ＮＦコンポーネントのコンポーネント情報を取得する。第１ＮＦコンポーネントがネットワークスライス内の第２ＮＦコンポーネントを発見しアクセスすることを期待している場合でも、ＮＦ管理装置は、発見ポリシに基づきネットワークスライス内の第２ＮＦコンポーネントの発見可能ネットワークスライスを決定する必要がある。第１ＮＦコンポーネントの位置するネットワークスライスが発見可能ネットワークスライスの中に存在する場合、第１ＮＦコンポーネントの要件は満たされ、発見ポリシが守られる。
【００１４】
本願の第１の態様の第２の実装を参照して、本願の第１の態様の第３の実装では、前記発見ポリシは、
前記第２ＮＦコンポーネントが、前記第２ＮＦコンポーネントと同じネットワークスライス内のＮＦコンポーネントによってのみアクセス可能である、又は、
前記第２ＮＦコンポーネントが、指定ネットワークスライス内のＮＦコンポーネントによってのみアクセス可能である、又は、
前記第２ＮＦコンポーネントが、全てのネットワークスライス内のＮＦコンポーネントによってアクセス可能である、を含む。
【００１５】
ＮＦコンポーネントの発見ポリシは、ネットワークルールに従いプリセットされる。例えば、ある場合には、第２ＮＦコンポーネントは、ネットワークスライス分離要件に基づき、同じネットワークスライス内のＮＦコンポーネントによってのみアクセス可能である。別の場合には、第２ＮＦコンポーネントは、指定ネットワークスライス内のＮＦコンポーネントによりアクセス可能である。更に別の場合には、第２ＮＦコンポーネントは、いかなる制限も無しに、全てのネットワークスライス内のＮＦコンポーネントによりアクセス可能である。３つの場合は、説明のための単なる例である。実際の用途において別の場合が存在して良く、これは具体的に限定されない。
【００１６】
本願の第１の態様の第３の実装を参照して、本願の第１の態様の第４の実装では、前記ＮＦ発見要求は、前記第１ＮＦコンポーネントのネットワークスライス識別子を更に含み、
前記コンポーネント情報の中の前記発見ポリシに基づき、前記第１ＮＦコンポーネントが前記第２ＮＦコンポーネントにアクセス可能か否かを決定する前記ステップは、
前記第２ＮＦコンポーネントの前記発見ポリシ及び前記ネットワークスライス識別子に基づき、前記第２ＮＦコンポーネントの発見可能ネットワークスライスを決定するステップと、
前記第１ＮＦコンポーネントの前記ネットワークスライス識別子に基づき、前記第１ＮＦコンポーネントの位置するネットワークスライスが前記発見可能ネットワークスライスの中に存在するか否かを決定するステップと、
存在する場合、前記第１ＮＦコンポーネントが前記第２ＮＦコンポーネントにアクセス可能であると決定するステップと、を含む。
【００１７】
第２ＮＦコンポーネントの発見ポリシがネットワークスライス分離要件に基づき設定される場合、第１ＮＦコンポーネントにより送信されたＮＦ発見要求は、第１ＮＦコンポーネントのネットワークスライス識別子（例えば、Ｓｌｉｃｅ１）を更に含む必要があり、又は、ＮＦ管理装置は、第１ＮＦコンポーネントのコンポーネント識別子及びＮＦ管理装置に格納された第１ＮＦコンポーネントのコンポーネント情報に基づき、第１ＮＦコンポーネントの位置するネットワークスライスのネットワークスライス識別子を取得して良い。ＮＦ管理装置は、各第２ＮＦコンポーネントのコンポーネント情報から、各第２ＮＦコンポーネントの発見ポリシ及びネットワークスライス識別子を取得する。第２ＮＦコンポーネントＮＦ１の発見ポリシが、同じネットワークスライス内のＮＦコンポーネントのアクセスのみを許可し、ネットワークスライス識別子がＳｌｉｃｅ１である、第２ＮＦコンポーネントＮＦ２の発見ポリシは、同じネットワークスライス又は共有ネットワークスライス（共有ネットワークスライス識別子はＳｌｉｃｅ３である）内のＮＦコンポーネントのアクセスのみを許可し、ネットワークスライス識別子はＳｌｉｃｅ２である、と仮定する。ＮＦ管理装置は、ＮＦ１の発見ポリシ及びネットワークスライス識別子に基づき、ＮＦ１の発見可能ネットワークスライスがＳｌｉｃｅ１であると決定する。同様に、ＮＦ２の発見可能ネットワークスライスはＳｌｉｃｅ２及びＳｌｉｃｅ３である。第１ＮＦコンポーネントのネットワークスライス識別子（Ｓｌｉｃｅ１）に基づき、第１ＮＦコンポーネントの位置するネットワークスライスがＮＦ１の発見可能ネットワークスライスの中にあると決定され、ＮＦ１が目標ＮＦコンポーネントであると決定される。さらに、第１ＮＦコンポーネントのネットワークスライス識別子（Ｓｌｉｃｅ１）に基づき、第１ＮＦコンポーネントの位置するネットワークスライスがＮＦ２の発見可能ネットワークスライスの中にないと決定され、ＮＦ２は目標ＮＦコンポーネントではないと決定される。目標ＮＦコンポーネントは、発見ポリシに基づき同じＮＦを有する第２ＮＦコンポーネントから決定される。さらに、発見ポリシはネットワークルールに従い設定されるので、決定された目標ＮＦコンポーネントは確実にネットワークルールに従い、それにより、第２ＮＦコンポーネントの中にあり且つ第１ＮＦコンポーネントによるアクセスがネットワークルールに従わないＮＦコンポーネントをフィルタリングする。
【００１８】
本願の第１の態様を参照して、本願の第１の態様の第５の実装では、前記第１ＮＦコンポーネントへ前記第２ＮＦコンポーネント識別子を送信する前記ステップは、
前記第２ＮＦコンポーネント識別子に基づきコンポーネント発見応答を生成し、前記コンポーネント発見応答を前記第１ＮＦコンポーネントへ送信するステップを含む。
【００１９】
第１ＮＦコンポーネントのＮＦ発見要求に対して、ＮＦ管理装置は、コンポーネント発見応答に第２ＮＦコンポーネント識別子を付加し、コンポーネント発見応答を第１ＮＦコンポーネントにフィードバックする。第２ＮＦコンポーネント識別子は、第２ＮＦコンポーネントのコンポーネントアドレス、コンポーネントＩＤ、等であって良く、第２ＮＦコンポーネントを識別するために使用されて良い。
【００２０】
本願の第１の態様又は第１の態様の第１乃至第５の実装のうちのいずれか１つを参照して、本願の第１の態様の第６の実装では、前記方法は、
新しいＮＦコンポーネントが展開されると、前記新しく展開されたＮＦコンポーネントのコンポーネント情報を取得するステップであって、前記新しく展開されたＮＦコンポーネントの前記コンポーネント情報は、前記新しく展開されたＮＦコンポーネントのコンポーネント識別子、ＮＦ識別子、発見ポリシ、及びネットワークスライス識別子を含む、ステップと、
前記ローカルコンポーネント情報ベースに、前記新しく展開されたＮＦコンポーネントの前記コンポーネント情報を格納するステップと、を更に含む。
【００２１】
従来技術において、当業者は、機能種別に基づく異なるＮＦとして、ネットワーク内でサポートされる必要のある機能を定義する。ＮＦコンポーネントは、ＮＦをサポートし、ネットワークスライス内で構成される。新しいＮＦコンポーネントが展開されるとき、新しく展開されるＮＦコンポーネントのコンポーネント情報は、ＮＦ管理装置へ送信される必要がある。コンポーネント情報は、新しく展開されたＮＦコンポーネントの、コンポーネントアドレス（例えばＩＰアドレス）、コンポーネント識別子、ＮＦ識別子、発見ポリシ、及びネットワークスライス識別子を含む。コンポーネント識別子は、新しく展開されたＮＦコンポーネントのユニークな識別子である。ＮＦ識別子は、新しく展開されたＮＦコンポーネントのＮＦ種別を示す。ＮＦ種別は、認証及びセキュリティ機能、ベアラ管理機能、移動性管理機能、アクセス制御機能、等を含んで良い。発見ポリシは、新しく展開されたＮＦコンポーネントの且つネットワークルールに従い当業者により設定された発見条件である。例えば、発見ポリシは、同じネットワークスライス内のＮＦコンポーネントのアクセスのみを許可し、又は指定ネットワークスライス内のＮＦコンポーネントのアクセスのみを許可する。ネットワークスライス識別子は、新しく展開されたＮＦコンポーネントの位置するネットワークスライスを示す。ＮＦ管理装置は、新しく展開されたＮＦコンポーネントのコンポーネント情報を取得し、コンポーネント情報をコンポーネント情報ベースに格納する。ＮＦコンポーネント管理をより良好に実施するために、ＮＦ管理装置は、全てのネットワークスライス内の新しく展開されたＮＦコンポーネントのコンポーネント情報を格納する必要がある。
【００２２】
本願の第２の態様は、ＮＦ管理方法であって、
第１ＮＦコンポーネントにより送信されたＮＦ発見要求を受信するステップであって、ＮＦ発見要求は第２ＮＦ識別子を含む、ステップと、
第２ＮＦ識別子に基づき第２ＮＦの発見ポリシを取得するステップと、
第２ＮＦの発見ポリシが、第１ＮＦコンポーネントの第２ＮＦへのアクセスを許可する場合、１又は複数の第２ＮＦコンポーネントの識別子を取得するステップであって、第２ＮＦコンポーネントは第２ＮＦを有する、ステップと、
第１ＮＦコンポーネントへ、１又は複数の第２ＮＦコンポーネントの識別子を送信するステップと、を含む方法を提供する。
【００２３】
コアネットワークの中のネットワークスライス内で構成されたＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。ＮＦ管理装置は、第１ＮＦコンポーネントのＮＦ発見要求を受信し、ＮＦ発見要求の中の第２ＮＦ識別子に基づき、第２ＮＦコンポーネントの発見ポリシを取得し、第２ＮＦの発見ポリシが第１ＮＦコンポーネントの第２ＮＦへのアクセスを許可する場合、１又は複数の第２ＮＦコンポーネントの識別子を取得し、ここで第２ＮＦコンポーネントは第２ＮＦを有し、並びに、１又は複数の第２ＮＦコンポーネントの識別子を第１ＮＦコンポーネントへ送信して、第１ＮＦコンポーネントが、第２ＮＦコンポーネント識別子に基づき第２ＮＦコンポーネントにアクセスし及びユーザサービスを達成するために第２ＮＦを実行できるようにする。第２ＮＦコンポーネントの発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００２４】
本願の第２の態様を参照して、本願の第２の態様の第１の実装では、１又は複数の第２ＮＦコンポーネントの識別子を取得する前記ステップは、
前記１又は複数の第２ＮＦコンポーネントのコンポーネント情報を取得するステップであって、前記第２ＮＦコンポーネントの前記コンポーネント情報は、前記第２ＮＦコンポーネントの前記識別子を含む、ステップと、
前記１又は複数の第２ＮＦコンポーネントの前記コンポーネント情報から、前記１又は複数の第２ＮＦコンポーネントの前記識別子を取得するステップと、を含む。
【００２５】
従来技術において、当業者は、機能種別に基づく異なるＮＦとして、ネットワーク内でサポートされる必要のある機能を定義する。ＮＦコンポーネントは、ＮＦをサポートでき、ネットワークスライス内で構成される。各展開されたＮＦコンポーネントのコンポーネント情報は、ＮＦ管理装置のローカルコンポーネント情報ベースに格納される。１又は複数の第２ＮＦコンポーネントのコンポーネント情報が取得される。第２ＮＦコンポーネントのコンポーネント情報は、第２ＮＦコンポーネントの識別子を含み、１又は複数の第２ＮＦコンポーネントの識別子が１又は複数の第２ＮＦコンポーネントのコンポーネント情報から取得できるようにし、それにより、ＮＦ管理装置による中央ＮＦコンポーネント管理を実現する。
【００２６】
本願の第２の態様又は第２の態様の第１の実装を参照して、本願の第２の態様の第２の実装では、前記ＮＦ発見要求は期待ネットワークスライスの識別子を更に含み、前記第２ＮＦ識別子に基づき第２ＮＦの発見ポリシを取得する前記ステップは、前記第２ＮＦ識別子及び前記期待ネットワークスライスの前記識別子に基づき、前記第２ＮＦの前記発見ポリシを取得するステップを含み、
前記１又は複数の第２ＮＦコンポーネントのコンポーネント情報を取得する前記ステップは、
前記第２ＮＦ識別子及び前記期待ネットワークスライスの前記識別子に基づき、前記期待ネットワークスライスの中の前記１又は複数の第２ＮＦコンポーネントの前記識別子を取得するステップ、を含む。
【００２７】
第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライスの識別子を含む必要がある。第２ＮＦ識別子及び期待ネットワークスライスの識別子に基づき第２ＮＦの発見ポリシが取得された後に、第２ＮＦの発見ポリシが第１ＮＦコンポーネントの第２ＮＦへのアクセスを許可する場合、第２ＮＦ識別子及び期待ネットワークスライスの識別子に基づき期待ネットワークスライスの中の１又は複数の第２ＮＦコンポーネントの識別子が取得される。
【００２８】
本願の第２の態様又は第２の態様の第１の実装を参照して、本願の第２の態様の第３の実装では、前記ＮＦ発見要求はＮＦグループの識別子を更に含み、前記第２ＮＦ識別子に基づき第２ＮＦの発見ポリシを取得する前記ステップは、前記第２ＮＦ識別子及び前記ＮＦグループの前記識別子に基づき、前記第２ＮＦの前記発見ポリシを取得するステップを含み、
前記１又は複数の第２ＮＦコンポーネントのコンポーネント情報を取得する前記ステップは、
前記第２ＮＦ識別子及び前記ＮＦグループの前記識別子に基づき、前記ＮＦグループの中の前記１又は複数の第２ＮＦコンポーネントの前記識別子を取得するステップ、を含む。
【００２９】
第１ＮＦコンポーネントがＮＦグループの中の第２ＮＦを有するＮＦコンポーネントを発見しアクセスすることを期待している場合、第１ＮＦコンポーネントにより送信されたＮＦ発見要求は、さらにＮＦグループの識別子を含む必要がある。第２ＮＦ識別子及びＮＦグループの識別子に基づき第２ＮＦの発見ポリシが取得された後に、第２ＮＦの発見ポリシが第１ＮＦコンポーネントの第２ＮＦへのアクセスを許可する場合、第２ＮＦ識別子及びＮＦグループの識別子に基づきＮＦグループの中の１又は複数の第２ＮＦコンポーネントの識別子が取得される。
【００３０】
本願の第２の態様又は第２の態様の第１の実装を参照して、本願の第２の態様の第４の実装では、前記第２ＮＦの前記発見ポリシは、ＮＦの識別子及び前記ＮＦによりアクセス可能なサービスの識別子を更に含み、
前記方法は、
前記第１ＮＦコンポーネントにより送信された前記ＮＦ発見要求に基づき、前記第１ＮＦコンポーネントのＮＦの識別子を学習するステップと、
前記第１ＮＦコンポーネントによりアクセス可能なサービスの識別子を決定するために、前記ＮＦの前記識別子及び前記ＮＦによりアクセス可能な前記サービスの前記識別子をクエリするステップと、
前記第１ＮＦコンポーネントへ、前記第１ＮＦコンポーネントによりアクセス可能な前記サービスの前記識別子を送信するステップと、を更に含む。
【００３１】
本願の第２の態様、又は第２の態様の第１乃至第４の実装のうちのいずれか１つを参照して、本願の第２の態様の第５の実装では、前記コンポーネント情報はコンポーネント識別子及びＮＦ識別子を含む。
【００３２】
本願の第２の態様の第５の実装を参照して、本願の第２の態様の第６の実装では、前記コンポーネント情報は、コンポーネントアドレス、ネットワークスライス識別子、及びグループ識別子のうちのいずれか１つ又は何らかの組み合わせを更に含んで良い。
【００３３】
本願の第２の態様、又は第２の態様の第１乃至第６の実装のいずれか１つを参照して、本願の第２の態様の第７の実装では、前記発見ポリシは、
前記第２ＮＦが、同じネットワークスライス内のＮＦコンポーネントによってのみアクセス可能である、又は、
前記第２ＮＦが、指定ネットワークスライス内のＮＦコンポーネントによってのみアクセス可能である、又は、
前記第２ＮＦが、全てのネットワークスライス内のＮＦコンポーネントによってアクセス可能である、を含む。
【００３４】
本願の第３の態様は、ＮＦ管理装置であって、
第１ＮＦコンポーネントにより送信されたＮＦ発見要求を受信するよう構成される受信モジュールであって、前記ＮＦ発見要求は第２ＮＦ識別子を含み、前記第２ＮＦ識別子は第２ＮＦを示すために使用される、受信モジュールと、
前記第２ＮＦ識別子に基づき第２ＮＦコンポーネントのコンポーネント情報を取得するよう構成される処理モジュールであって、前記第２ＮＦコンポーネントは前記第２ＮＦを有し、前記コンポーネント情報は前記第２ＮＦコンポーネントの発見ポリシ及び第２ＮＦコンポーネント識別子を含み、前記処理モジュールは、前記コンポーネント情報の中の前記発見ポリシに基づき、前記第１ＮＦコンポーネントが前記第２ＮＦコンポーネントにアクセス可能か否かを決定するよう更に構成される、処理モジュールと、
前記第１ＮＦコンポーネントが前記第２ＮＦコンポーネントにアクセス可能なとき、前記第２ＮＦコンポーネント識別子を前記第１ＮＦコンポーネントへ送信するよう構成される送信モジュールと、を含む装置を提供する。
【００３５】
コアネットワークの中のネットワークスライス内で構成された各ＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。受信モジュールは、第１ＮＦコンポーネントのＮＦ発見要求を受信する。処理モジュールは、ＮＦ発見要求の中の第２ＮＦ識別子に基づき、第２ＮＦコンポーネントの格納されたコンポーネント情報を取得し、コンポーネント情報の中の発見ポリシに基づき、第１ＮＦコンポーネントが第２ＮＦコンポーネントにアクセス可能か否かを決定する。送信モジュールは、第１ＮＦコンポーネントが第２ＮＦコンポーネントにアクセス可能な場合、第２ＮＦコンポーネント識別子を第１ＮＦコンポーネントへ送信して、第１ＮＦコンポーネントが第２ＮＦコンポーネント識別子に基づき第２ＮＦコンポーネントにアクセスし及びユーザサービスを達成するために第２ＮＦを実行できるようにする。発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００３６】
本願の第３の態様を参照して、本願の第３の態様の第１の実装では、
前記処理モジュールは、前記ＮＦ発見要求から前記第２ＮＦ識別子を取得するよう更に構成され、
前記処理モジュールは、前記第２ＮＦ識別子に基づき、ローカルコンポーネント情報ベースから前記第２ＮＦコンポーネントの前記コンポーネント情報を取得するよう更に構成され、前記第２ＮＦコンポーネントの前記コンポーネント情報は、前記発見ポリシ及び前記第２ＮＦコンポーネント識別子を含む。
【００３７】
従来技術において、当業者は、機能種別に基づく異なるＮＦとして、ネットワーク内でサポートされる機能を定義する。ＮＦコンポーネントは、ＮＦをサポートし、ネットワークスライス内で構成される。各展開されたＮＦコンポーネントのコンポーネント情報は、ＮＦ管理装置のローカルコンポーネント情報ベースに格納される。全てのＮＦコンポーネントのコンポーネント情報がローカルコンポーネント情報ベースに格納されるので、対応する第２ＮＦコンポーネント識別子は、第２ＮＦ識別子に基づきコンポーネント情報ベースから読み出され得る。第２ＮＦ識別子は、ＮＦコンポーネントが第２ＮＦを有することを示す。ネットワーク全体には第２ＮＦを有する複数のＮＦコンポーネントが存在し得る。したがって、複数の第２ＮＦコンポーネントは、読み出された第２ＮＦコンポーネント識別子に基づき決定されて良い。処理モジュールは、第２ＮＦコンポーネントを決定した後に、第２ＮＦコンポーネントのコンポーネント情報を抽出し、各第２ＮＦコンポーネントはそれぞれの発見ポリシを有する。これは、ＮＦ管理装置による中央ＮＦコンポーネント管理を実現する。
【００３８】
本願の第３の態様の第１の実装を参照して、本願の第３の態様の第２の実装では、前記ＮＦ発見要求は、期待ネットワークスライス識別子を更に含み、前記期待ネットワークスライス識別子は、期待される要求を通じて前記第１ＮＦコンポーネントにより発見されたネットワークスライスを示し、該ネットワークスライスの中に、前記第２ＮＦを有するＮＦコンポーネントが位置し、前記コンポーネント情報は前記第２ＮＦコンポーネントのネットワークスライス識別子を更に含み、前記第２ＮＦコンポーネントの前記ネットワークスライス識別子は、前記第２ＮＦコンポーネントの位置するネットワークスライスを示し、
前記処理モジュールは、前記第２ＮＦ識別子及び前記期待ネットワークスライス識別子に基づき、ローカルコンポーネント情報ベースから前記第２ＮＦコンポーネントの前記コンポーネント情報を取得するよう更に構成され、前記第２ＮＦコンポーネントの前記コンポーネント情報は、前記第２ＮＦコンポーネント識別子及び前記ネットワークスライス識別子を含む。
【００３９】
第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライス識別子を含む必要がある。ＮＦ管理装置は、全ての第２ＮＦコンポーネントを発見し、ローカルコンポーネント情報ベースから、第２ＮＦコンポーネントのコンポーネント情報を取得する。第１ＮＦコンポーネントがネットワークスライス内の第２ＮＦコンポーネントを発見しアクセスすることを期待している場合でも、処理モジュールは、発見ポリシに基づきネットワークスライス内の第２ＮＦコンポーネントの発見可能ネットワークスライスを決定する必要がある。第１ＮＦコンポーネントの位置するネットワークスライスが発見可能ネットワークスライスの中に存在する場合、第１ＮＦコンポーネントの要件は満たされ、発見ポリシが守られる。
【００４０】
本願の第３の態様の第２の実装を参照して、本願の第３の態様の第３の実装では、前記発見ポリシは、
前記第２ＮＦコンポーネントが、前記第２ＮＦコンポーネントと同じネットワークスライス内のＮＦコンポーネントによってのみアクセス可能である、又は、
前記第２ＮＦコンポーネントが、指定ネットワークスライス内のＮＦコンポーネントによってのみアクセス可能である、又は、
前記第２ＮＦコンポーネントが、全てのネットワークスライス内のＮＦコンポーネントによってアクセス可能である、を含む。
【００４１】
ＮＦコンポーネントの発見ポリシは、ネットワークルールに従いプリセットされる。例えば、ある場合には、第２ＮＦコンポーネントは、ネットワークスライス分離要件に基づき、同じネットワークスライス内のＮＦコンポーネントによってのみアクセス可能である。別の場合には、第２ＮＦコンポーネントは、指定ネットワークスライス内のＮＦコンポーネントによりアクセス可能である。更に別の場合には、第２ＮＦコンポーネントは、いかなる制限も無しに、全てのネットワークスライス内のＮＦコンポーネントによりアクセス可能である。３つの場合は、説明のための単なる例である。実際の用途において別の場合が存在して良く、これは具体的に限定されない。
【００４２】
本願の第３の態様の第３の実装を参照して、本願の第３の態様の第４の実装では、前記ＮＦ発見要求は、前記第１ＮＦコンポーネントのネットワークスライス識別子を更に含み、
前記処理モジュールは、前記第２ＮＦコンポーネントの前記発見ポリシ及び前記ネットワークスライス識別子に基づき、前記第２ＮＦコンポーネントの発見可能ネットワークスライスを決定するよう更に構成され、
前記処理モジュールは、前記第１ＮＦコンポーネントの前記ネットワークスライス識別子に基づき、前記第１ＮＦコンポーネントの位置するネットワークスライスが前記発見可能ネットワークスライスの中に存在するか否かを決定するよう更に構成され、
前記処理モジュールは、前記第１ＮＦコンポーネントの位置する前記ネットワークスライスが前記発見可能ネットワークスライスの中にあるとき、前記第１ＮＦコンポーネントは前記第２ＮＦコンポーネントにアクセス可能であると決定するよう更に構成される。
【００４３】
第２ＮＦコンポーネントの発見ポリシがネットワークスライス分離要件に基づき設定される場合、第１ＮＦコンポーネントにより送信されたＮＦ発見要求は、第１ＮＦコンポーネントのネットワークスライス識別子（例えば、Ｓｌｉｃｅ１）を更に含む必要があり、又は、ＮＦ管理装置は、第１ＮＦコンポーネントのコンポーネント識別子及びＮＦ管理装置に格納された第１ＮＦコンポーネントのコンポーネント情報に基づき、第１ＮＦコンポーネントの位置するネットワークスライスのネットワークスライス識別子を取得して良い。処理モジュールは、各第２ＮＦコンポーネントのコンポーネント情報から、各第２ＮＦコンポーネントの発見ポリシ及びネットワークスライス識別子を取得する。第２ＮＦコンポーネントＮＦ１の発見ポリシが、同じネットワークスライス内のＮＦコンポーネントのアクセスのみを許可し、ネットワークスライス識別子がＳｌｉｃｅ１である、第２ＮＦコンポーネントＮＦ２の発見ポリシは、同じネットワークスライス又は共有ネットワークスライス（共有ネットワークスライス識別子はＳｌｉｃｅ３である）内のＮＦコンポーネントのアクセスのみを許可し、ネットワークスライス識別子はＳｌｉｃｅ２である、と仮定する。ＮＦ管理装置は、ＮＦ１の発見ポリシ及びネットワークスライス識別子に基づき、ＮＦ１の発見可能ネットワークスライスがＳｌｉｃｅ１であると決定する。同様に、ＮＦ２の発見可能ネットワークスライスはＳｌｉｃｅ２及びＳｌｉｃｅ３である。処理モジュールは、第１ＮＦコンポーネントのネットワークスライス識別子（Ｓｌｉｃｅ１）に基づき、第１ＮＦコンポーネントの位置するネットワークスライスがＮＦ１の発見可能ネットワークスライスの中にあると決定し、ＮＦ１が目標ＮＦコンポーネントであると決定する。さらに、処理モジュールは、第１ＮＦコンポーネントのネットワークスライス識別子（Ｓｌｉｃｅ１）に基づき、第１ＮＦコンポーネントの位置するネットワークスライスがＮＦ２の発見可能ネットワークスライスの中にないと決定し、ＮＦ２が目標ＮＦコンポーネントではないと決定し、発見ポリシに基づき、第２ＮＦコンポーネントから同じＮＦを有する目標ＮＦコンポーネントを決定する。さらに、発見ポリシはネットワークルールに従い設定されるので、決定された目標ＮＦコンポーネントは確実にネットワークルールに従い、それにより、第２ＮＦコンポーネントの中にあり且つ第１ＮＦコンポーネントによるアクセスがネットワークルールに従わないＮＦコンポーネントをフィルタリングする。
【００４４】
本願の第３の態様を参照して、本願の第３の態様の第５の実装では、前記送信モジュールは、具体的に、前記第２ＮＦコンポーネント識別子に基づき、コンポーネント発見応答を生成し、前記コンポーネント発見応答を前記第１ＮＦコンポーネントへ送信するよう構成される。
【００４５】
第１ＮＦコンポーネントのＮＦ発見要求に対して、ＮＦ管理装置は、コンポーネント発見応答に第２ＮＦコンポーネント識別子を付加し、コンポーネント発見応答を第１ＮＦコンポーネントにフィードバックする。第２ＮＦコンポーネント識別子は、第２ＮＦコンポーネントのコンポーネントアドレス、コンポーネントＩＤ、等であって良く、第２ＮＦコンポーネントを識別する識別子であって良い。
【００４６】
本願の第３の態様の第１乃至第５の実装のうちのいずれか１つを参照して、本願の第３の態様の第６の実装では、前記ＮＦ管理装置は記憶モジュールを更に含み、
前記記憶モジュールは、新しいＮＦコンポーネントが展開されると、前記新しく展開されたＮＦコンポーネントのコンポーネント情報を取得するよう構成され、前記新しく展開されたＮＦコンポーネントの前記コンポーネント情報は、前記新しく展開されたＮＦコンポーネントのコンポーネント識別子、ＮＦ識別子、発見ポリシ、及びネットワークスライス識別子を含み、
前記記憶モジュールは、前記ローカルコンポーネント情報ベースに、前記新しく展開されたＮＦコンポーネントの前記コンポーネント情報を格納するよう更に構成される。
【００４７】
従来技術において、当業者は、機能種別に基づく異なるＮＦとして、ネットワーク内でサポートされる機能を定義する。ＮＦコンポーネントは、ＮＦをサポートし、ネットワークスライス内で構成される。新しいＮＦコンポーネントが展開されるとき、新しく展開されるＮＦコンポーネントのコンポーネント情報は、ＮＦ管理装置へ送信される必要がある。コンポーネント情報は、新しく展開されたＮＦコンポーネントの、コンポーネントアドレス（例えばＩＰアドレス）、コンポーネント識別子、ＮＦ識別子、発見ポリシ、及びネットワークスライス識別子を含む。コンポーネント識別子は、新しく展開されたＮＦコンポーネントのユニークな識別子である。ＮＦ識別子は、新しく展開されたＮＦコンポーネントのＮＦ種別を示す。ＮＦ種別は、認証及びセキュリティ機能コンポーネント、ベアラ管理機能コンポーネント、移動性管理機能コンポーネント、アクセス制御機能コンポーネント、等を識別して良い。発見ポリシは、新しく展開されたＮＦコンポーネントの且つネットワークルールに従い当業者により設定された発見条件である。例えば、発見ポリシは、同じネットワークスライス内のＮＦコンポーネントのアクセスのみを許可し、又は指定ネットワークスライス内のＮＦコンポーネントのアクセスのみを許可する。ネットワークスライス識別子は、新しく展開されたＮＦコンポーネントの位置するネットワークスライスを示す。ＮＦ管理装置は、新しく展開されたＮＦコンポーネントのコンポーネント情報を取得し、コンポーネント情報をコンポーネント情報ベースに格納する。ＮＦコンポーネント管理をより良好に実施するために、ＮＦ管理装置は、全てのネットワークスライス内の新しく展開されたＮＦコンポーネントのコンポーネント情報を格納する必要がある。
【００４８】
本願の第４の態様は、ＮＦ管理装置を提供し、前記ＮＦ管理装置は、前述の方法の実施形態におけるＮＦ管理装置を実装する機能を有する。機能は、ハードウェアにより実装されて良く、又は対応するソフトウェアを実行することによりハードウェアにより実装されて良い。ハードウェア又はソフトウェアは、機能に対応する１又は複数のモジュールを含む。
【００４９】
可能な設計では、ＮＦ管理装置は、受信モジュールと、処理モジュールと、送信モジュールと、を含む。処理モジュールは、前述の方法における対応する機能を実行するようＮＦ管理装置をサポートするよう構成される。受信モジュール及び送信モジュールは、ＮＦ管理装置と別の装置との間の通信をサポートするよう構成される。
【００５０】
受信モジュールは、第１ＮＦコンポーネントにより送信されたＮＦ発見要求を受信するよう構成され、ＮＦ発見要求は第２ＮＦ識別子を含む。処理モジュールは、第２ＮＦ識別子に基づき第２ＮＦの発見ポリシを取得するよう構成される。処理モジュールは、さらに、第２ＮＦの発見ポリシが第１ＮＦコンポーネントの第２ＮＦへのアクセスを許可する場合、１又は複数の第２ＮＦコンポーネントの識別子を取得するよう構成され、第２ＮＦコンポーネントは第２ＮＦを有する。送信モジュールは、１又は複数の第２ＮＦコンポーネントの識別子を第１ＮＦコンポーネントへ送信するよう構成される。
【００５１】
コアネットワークの中のネットワークスライス内で構成されたＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。受信モジュールは、第１ＮＦコンポーネントのＮＦ発見要求を受信する。処理モジュールは、ＮＦ発見要求の中の第２ＮＦ識別子に基づき、第２ＮＦコンポーネントの発見ポリシを取得する。第２ＮＦの発見ポリシが第１ＮＦコンポーネントの第２ＮＦへのアクセスを許可する場合、処理モジュールは、１又は複数の第２ＮＦコンポーネントの識別子を取得する。第２ＮＦコンポーネントは第２ＮＦを有する。送信モジュールは、１又は複数の第２ＮＦコンポーネントの識別子を第１ＮＦコンポーネントへ送信して、第１ＮＦコンポーネントが第２ＮＦコンポーネント識別子に基づき第２ＮＦコンポーネントにアクセスし及びユーザサービスを達成するために第２ＮＦを実行できるようにする。第２ＮＦコンポーネントの発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００５２】
本願の第４の態様を参照して、本願の第４の態様の第１の実装では、処理モジュールは、さらに、１又は複数の第２ＮＦコンポーネントのコンポーネント情報を取得するよう構成され、第２ＮＦコンポーネントのコンポーネント情報は、第２ＮＦコンポーネントの識別子を含み、処理モジュールは、さらに、１又は複数の第２ＮＦコンポーネントのコンポーネント情報から、１又は複数の第２ＮＦコンポーネントの識別子を取得するよう構成される。
【００５３】
従来技術において、当業者は、機能種別に基づく異なるＮＦとして、ネットワーク内でサポートされる必要のある機能を定義する。ＮＦコンポーネントは、ＮＦをサポートでき、ネットワークスライス内で構成される。各展開されたＮＦコンポーネントのコンポーネント情報は、ＮＦ管理装置のローカルコンポーネント情報ベースに格納される。処理モジュールは、１又は複数の第２ＮＦコンポーネントのコンポーネント情報を取得する。第２ＮＦコンポーネントのコンポーネント情報は、第２ＮＦコンポーネントの識別子を含み、１又は複数の第２ＮＦコンポーネントの識別子が１又は複数の第２ＮＦコンポーネントのコンポーネント情報から取得できるようにし、それにより、ＮＦ管理装置による中央ＮＦコンポーネント管理を実現する。
【００５４】
本願の第４の態様又は第４の態様の第１の実装を参照して、本願の第４の態様の第２の実装では、前記ＮＦ発見要求は期待ネットワークスライスの識別子を更に含み、前記第２ＮＦ識別子に基づき第２ＮＦの発見ポリシを取得する前記ステップは、前記第２ＮＦ識別子及び前記期待ネットワークスライスの前記識別子に基づき、前記第２ＮＦの前記発見ポリシを取得するステップを含み、
前記処理モジュールは、さらに、前記第２ＮＦ識別子及び前記期待ネットワークスライスの前記識別子に基づき、前記期待ネットワークスライスの中の前記１又は複数の第２ＮＦコンポーネントの前記識別子を取得するよう構成される。
【００５５】
第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライスの識別子を含む必要がある。処理モジュールが第２ＮＦ識別子及び期待ネットワークスライスの識別子に基づき第２ＮＦの発見ポリシを取得した後に、第２ＮＦの発見ポリシが第１ＮＦコンポーネントの第２ＮＦへのアクセスを許可する場合、処理モジュールは、第２ＮＦ識別子及び期待ネットワークスライスの識別子に基づき期待ネットワークスライスの中の１又は複数の第２ＮＦコンポーネントの識別子を取得する。
【００５６】
本願の第４の態様又は第４の態様の第１の実装を参照して、本願の第４の態様の第３の実装では、前記ＮＦ発見要求はＮＦグループの識別子を更に含み、前記第２ＮＦ識別子に基づき第２ＮＦの発見ポリシを取得する前記ステップは、前記第２ＮＦ識別子及び前記ＮＦグループの前記識別子に基づき、前記第２ＮＦの前記発見ポリシを取得するステップを含み、
前記処理モジュールは、さらに、前記第２ＮＦ識別子及び前記ＮＦグループの前記識別子に基づき、前記ＮＦグループの中の前記１又は複数の第２ＮＦコンポーネントの前記識別子を取得するよう構成される。
【００５７】
第１ＮＦコンポーネントがＮＦグループの中の第２ＮＦを有するＮＦコンポーネントを発見しアクセスすることを期待している場合、第１ＮＦコンポーネントにより送信されたＮＦ発見要求は、さらにＮＦグループの識別子を含む必要がある。処理モジュールが第２ＮＦ識別子及びＮＦグループの識別子に基づき第２ＮＦの発見ポリシを取得した後に、第２ＮＦの発見ポリシが第１ＮＦコンポーネントの第２ＮＦへのアクセスを許可する場合、処理モジュールは、第２ＮＦ識別子及びＮＦグループの識別子に基づきＮＦグループの中の１又は複数の第２ＮＦコンポーネントの識別子を取得する。
【００５８】
本願の第４の態様又は第４の態様の第１の実装を参照して、本願の第４の態様の第４の実装では、前記第２ＮＦの前記発見ポリシは、ＮＦの識別子及び前記ＮＦによりアクセス可能なサービスの識別子を更に含み、
前記処理モジュールは、さらに、
前記第１ＮＦコンポーネントにより送信された前記ＮＦ発見要求に基づき、前記第１ＮＦコンポーネントのＮＦの識別子を学習し、
前記第１ＮＦコンポーネントによりアクセス可能なサービスの識別子を決定するために、前記ＮＦの前記識別子及び前記ＮＦによりアクセス可能な前記サービスの前記識別子をクエリする、よう構成され、
前記送信モジュールは、さらに、前記第１ＮＦコンポーネントへ、前記第１ＮＦコンポーネントによりアクセス可能な前記サービスの前記識別子を送信するよう構成される。
【００５９】
本願の第４の態様、又は第４の態様の第１乃至第４の実装のうちのいずれか１つを参照して、本願の第４の態様の第５の実装では、前記コンポーネント情報はコンポーネント識別子及びＮＦ識別子を含む。
【００６０】
本願の第４の態様の第５の実装を参照して、本願の第４の態様の第６の実装では、前記コンポーネント情報は、コンポーネントアドレス、ネットワークスライス識別子、及びグループ識別子のうちのいずれか１つ又は何らかの組み合わせを更に含んで良い。
【００６１】
本願の第４の態様、又は第４の態様の第１乃至第６の実装のいずれか１つを参照して、本願の第４の態様の第７の実装では、前記発見ポリシは、
前記第２ＮＦが、同じネットワークスライス内のＮＦコンポーネントによってのみアクセス可能である、又は、
前記第２ＮＦが、指定ネットワークスライス内のＮＦコンポーネントによってのみアクセス可能である、又は、
前記第２ＮＦが、全てのネットワークスライス内のＮＦコンポーネントによってアクセス可能である、を含む。
【００６２】
本願の第５の態様は、ＮＦ管理装置であって、
無線ネットワークインタフェースとＣＰＵとメモリとを含むＮＦ管理装置を提供し、ここで、前記無線ネットワークインタフェース、前記ＣＰＵ、及び前記メモリはバスを用いて互いに接続され、前記メモリはコンピュータ命令を格納し、前記ＣＰＵは以下の方法を実施するために該コンピュータ命令を実行する：
第１ＮＦコンポーネントにより送信されたＮＦ発見要求を受信するステップであって、前記ＮＦ発見要求は第２ＮＦ識別子を含み、前記第２ＮＦ識別子は第２ＮＦを示すために使用される、ステップと、
前記第２ＮＦ識別子に基づき第２ＮＦコンポーネントのコンポーネント情報を取得するステップであって、前記第２ＮＦコンポーネントは前記第２ＮＦを有し、前記コンポーネント情報は前記第２ＮＦコンポーネントの発見ポリシ及び第２ＮＦコンポーネント識別子を含む、ステップと、
前記コンポーネント情報の中の前記発見ポリシに基づき、前記第１ＮＦコンポーネントが前記第２ＮＦコンポーネントにアクセス可能か否かを決定するステップと、
可能な場合、前記第２ＮＦコンポーネント識別子を前記第１ＮＦコンポーネントへ送信するステップ。
【００６３】
発見ポリシはネットワークルールに従いプリセットされるので、第１ＮＦコンポーネントの目標ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００６４】
本願の第６の態様は、ＮＦ管理装置であって、ネットワークインタフェースと、プロセッサと、メモリと、を含むＮＦ管理装置を提供し、ここで、前記ネットワークインタフェース、前記プロセッサ、及び前記メモリは、バスを用いて互いに接続され、前記メモリはコンピュータ命令を格納し、前記プロセッサは前述の方法の実施形態における対応する機能を実装するために該コンピュータ命令を実行して良い。詳細については、方法の実施形態の詳細な説明を参照のこと。詳細事項は、再び記載されない。ＮＦは無線ネットワークのために使用され、ネットワークインタフェースは無線ネットワークインタフェース内のインタフェースである。
【００６５】
本願の第７の態様は、ＮＦ管理システムであって、ＮＦ管理装置と、ネットワークスライスと、該ネットワークスライスの中のＮＦコンポーネントと、を含むＮＦ管理システムを提供し、ここで、少なくとも１つのネットワークスライスが存在し、少なくとも１つのＮＦコンポーネントが存在する。
【００６６】
ＮＦ管理装置は、第１ＮＦコンポーネントにより送信されたＮＦ発見要求を受信する。ＮＦ発見要求は第２ＮＦ識別子を含み、第２ＮＦ識別子は第２ＮＦを示すために使用される。
【００６７】
ＮＦ管理装置は、第２ＮＦ識別子に基づき第２ＮＦコンポーネントのコンポーネント情報を取得する。第２ＮＦコンポーネントは第２ＮＦを有し、コンポーネント情報は、第２ＮＦコンポーネントの発見ポリシ及び第２ＮＦコンポーネント識別子を含む。
【００６８】
ＮＦ管理装置は、コンポーネント情報の中の発見ポリシに基づき、第１ＮＦコンポーネントが第２ＮＦコンポーネントにアクセス可能か否かを決定する。
【００６９】
ＮＦ管理装置は、第１ＮＦコンポーネントが第２ＮＦコンポーネントにアクセス可能であるとき、第１ＮＦコンポーネントへ第２ＮＦコンポーネント識別子を送信する。
【００７０】
コアネットワークの中のネットワークスライス内で構成された各ＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。ＮＦ管理装置は、第１ＮＦコンポーネントのＮＦ発見要求を受信し、ＮＦ発見要求の中の第２ＮＦ識別子に基づき、第２ＮＦコンポーネントの格納されたコンポーネント情報を取得し、コンポーネント情報の中の発見ポリシに基づき、第１ＮＦコンポーネントが第２ＮＦコンポーネントにアクセス可能か否かを決定し、第１ＮＦコンポーネントが第２ＮＦコンポーネントにアクセス可能な場合、第１ＮＦコンポーネントへ第２ＮＦコンポーネント識別子を送信して、第１ＮＦコンポーネントが第２ＮＦコンポーネント識別子に基づき第２ＮＦコンポーネントにアクセスし、及びユーザサービスを達成するために第２ＮＦを実行できるようにする。発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【００７１】
本願の第８の態様は、通信システムを提供する。
【００７２】
前記システムは、前述の態様におけるＮＦ管理装置を含む。前記システムは、本発明の実施形態で提供されるソリューションにおけるＮＦ管理装置と相互作用する別の装置を更に含んで良い。
【００７３】
第９の態様によると、本発明の一実施形態は、コンピュータ記憶媒体を提供する。コンピュータ記憶媒体は、前述の装置により使用されるコンピュータソフトウェア命令を格納するよう構成され、前述の態様を実行するよう設計されたプログラムを含む。
【００７４】
第１０の態様によると、本願は、さらに命令を含むコンピュータプログラムプロダクトを提供する。コンピュータプログラムプロダクトがコンピュータ上で実行すると、該コンピュータは、前述の態様の方法を実行する。
【００７５】
コアネットワークの中のネットワークスライス内で構成されたＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。ＮＦ管理装置は、第１ＮＦコンポーネントのＮＦ発見要求を受信し、ＮＦ発見要求の中の第２ＮＦ識別子に基づき、第２ＮＦコンポーネントの発見ポリシを取得し、第２ＮＦの発見ポリシが第１ＮＦコンポーネントの第２ＮＦへのアクセスを許可する場合、１又は複数の第２ＮＦコンポーネントの識別子を取得し、ここで第２ＮＦコンポーネントは第２ＮＦを有し、並びに、１又は複数の第２ＮＦコンポーネントの識別子を第１ＮＦコンポーネントへ送信して、第１ＮＦコンポーネントが、第２ＮＦコンポーネント識別子に基づき第２ＮＦコンポーネントにアクセスし及びユーザサービスを達成するために第２ＮＦを実行できるようにする。第２ＮＦコンポーネントの発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない従来技術と比較して、全てのＮＦコンポーネント間のアクセスがネットワークルールに従い、それにより正常なネットワーク動作を実現する。
【図面の簡単な説明】
【００７６】
本願の実施形態における技術的ソリューションをより明確に記載するために、実施形態及び従来技術を説明するのに必要な添付の図面を以下に簡単に記載する。
【００７７】
【図１】従来技術におけるＮＦ管理方法のネットワークフレームワークの概略図である。
【００７８】
【図２】従来技術における別のＮＦ管理方法のネットワークフレームワークの概略図である。
【００７９】
【図３】本願によるＮＦ管理方法のネットワークフレームワークの概略図である。
【００８０】
【図４】本願によるＮＦ管理方法の概略フローチャートである。
【００８１】
【図５】本願によるＮＦ管理方法の別の概略フローチャートである。
【００８２】
【図６】本願によるＮＦ管理装置の概略構造図である。
【００８３】
【図７】本願によるＮＦ管理装置の別の概略構造図である。
【００８４】
【図８】本願によるＮＦ管理装置のエンティティ機器の概略構造図である。
【００８５】
【図９】本願によるＮＦ管理方法の更に別の概略フローチャートである。
【発明を実施するための形態】
【００８６】
本願は、ＮＦコンポーネント間の発見及びアクセスに対して中央管理を実行するために、ＮＦ管理方法及びＮＦ管理装置を提供し、それにより正常なネットワーク動作を実現する。
【００８７】
当業者に本願の技術的ソリューションをより良く理解させるために、以下は、本願の実施形態における技術的ソリューションを本願の実施形態における添付の図面を参照して明確且つ完全に記載する。明らかに、記載される実施形態は、本願の実施形態のほんの一部であり、全部ではない。本願の実施形態に基づき創造的労力を有しないで当業者により得られる全ての他の実施形態は、本願の保護範囲に包含されるべきである。
【００８８】
先ず、本願において使用されるシステムアーキテクチャ又はシナリオが簡単に記載される。
【００８９】
図２は、既存ネットワークアーキテクチャを示す。同じオペレータの複数のネットワークスライスは、同じ公衆地上移動体ネットワーク（Public  Land  Mobile  Network、ＰＬＭＮ）を用いる。ネットワーク内でサポートされる必要のある機能は、機能種別に基づき異なるＮＦとして定義される。ネットワーク内に展開される各ＮＦコンポーネントは、１つのＮＦを有する。各ＮＦコンポーネントは、サービスインタフェースを含み、サービスインタフェースを介して別のＮＦコンポーネント又は機能にサービスする。本願では、ＮＦ管理装置はＰＬＭＮに追加される。図３に示すように、ＮＦ管理装置は、各ＮＦコンポーネントに接続される。
【００９０】
当業者がＮＦコンポーネントを構成するとき、ＮＦコンポーネントのコンポーネント情報は、ＮＦ管理装置に格納される必要がある。ＮＦコンポーネントのコンポーネント情報は、一般的に、コンポーネントアドレス、コンポーネント識別子、ＮＦ識別子、発見ポリシ、ネットワークスライス識別子、等を含む。コンポーネントアドレスは、通常、ＮＦコンポーネントに正確にアクセスするために、別のＮＦコンポーネントにより使用される。コンポーネント識別子は、ＮＦコンポーネントをユニークに識別するために使用される。例えば、コンポーネントアドレス、コンポーネントＩＤ、又は第２ＮＦコンポーネントを識別するために使用可能な任意の他の識別子は、コンポーネント識別子として使用できる。ＮＦ識別子は、ＮＦコンポーネントのＮＦを示す。発見ポリシは、ＮＦコンポーネントの且つネットワークルールに従い設定された発見条件である。発見ポリシは、同じネットワークスライス内のＮＦコンポーネントのアクセス、指定ネットワークスライス内のＮＦコンポーネントのアクセス、全てのＮＦコンポーネントのアクセスのみを許可する、等である。ネットワークスライス識別子は、ＮＦコンポーネントの位置するネットワークスライスを示す。ＮＦコンポーネントが複数のネットワークスライスにより共有される場合、ネットワークスライス識別子は、複数のネットワークスライスの識別子を含む。さらに、ＮＦコンポーネントが任意のネットワークスライスに属しない場合、ネットワークスライス識別子はヌルである。図３では、第１ネットワークスライスのネットワークスライス識別子はＳｌｉｃｅＡであり、第２ネットワークスライスのネットワークスライス識別子はＳｌｉｃｅＢであり、及び第３ネットワークスライスのネットワークスライス識別子はＳｌｉｃｅＣである。ＮＦ１、ＮＦ２、ＮＦ３、ＮＦ４、ＮＦ５、ＮＦ６、及びＮＦ７は、ＮＦコンポーネント識別子である。ＳｌｉｃｅＡはＮＦコンポーネントＮＦ１及びＮＦ２を含み、ＳｌｉｃｅＢはＮＦ４及びＮＦ５を含み、ＳｌｉｃｅＡ及びＳｌｉｃｅＢはＮＦ３を共有し、ＳｌｉｃｅＣはＮＦ６及びＮＦ７を含む。さらに、ＮＦ３及びＮＦ７は同じＮＦを有する。ＮＦ１の有する機能は第１ＮＦであり、ＮＦ３の有する機能及びＮＦ７の有する機能は第２ＮＦであると仮定する。
【００９１】
ＮＦコンポーネント情報の中の発見ポリシについて、同じＮＦを有するＮＦコンポーネントは、同じ発見ポリシを有して良い。コンポーネント情報記憶を最適化するために、同じＮＦを有する複数のＮＦコンポーネントの発見ポリシ情報は、別個のＮＦ発見ポリシ情報に格納されて良く、発見ポリシ情報はＮＦ及び対応する発見ポリシ情報を格納する。
【００９２】
さらに、同じＮＦを有し且つ同じネットワークスライス内に展開されたＮＦコンポーネントは、同じ発見ポリシを有して良い。同じＮＦを有し且つ同じネットワークスライス内に展開された複数のＮＦコンポーネントの発見ポリシ情報は、別個のＮＦ発見ポリシ情報に格納されて良く、発見ポリシ情報は、ＮＦ、ネットワークスライスの識別子、及び対応する発見ポリシ情報を含む。
【００９３】
別の場合には、同じＮＦを有し且つ同じＮＦグループに属するＮＦコンポーネントは、同じ発見ポリシを有して良い。同じＮＦを有し且つ同じＮＦグループに属する複数のＮＦコンポーネントの発見ポリシ情報は、別個のＮＦ発見ポリシ情報に格納されて良く、発見ポリシ情報は、ＮＦ、ＮＦグループの識別子、及び対応する発見ポリシ情報を含む。
【００９４】
発見ポリシ情報は、ＮＦのものであり且つネットワークルールに従い設定された発見及びアクセス条件であって良く、具体的には、ＮＦへのアクセスを許可された別のＮＦの識別子を含む。ＮＦは、別のＮＦに複数のサービスを提供して良く、ＮＦの各サービスはＮＦにより提供される機能に対応する。別のＮＦによりアクセス可能なＮＦのサービスを制約するために、発見ポリシ情報は、別のＮＦの識別子、及びＮＦから別のＮＦによりアクセス可能なサービスの識別子を含んで良い。
【００９５】
例えば、ＮＦ管理装置は、サーバである。図８は、ＮＦ管理装置の概略構造図である。ＮＦ管理装置は、異なる構成又は異なる性能により大きく変わり得る。ＮＦ管理装置は、１又は複数の中央処理ユニット（central  processing  unit、ＣＰＵ）８２２（例えば、１又は複数のプロセッサ）、メモリ８３２、アプリケーションプログラム８４２若しくはデータ８４４を格納する１又は複数の記憶媒体８３０（例えば、１又は複数の大容量記憶装置）を含んで良い。メモリ８３２及び記憶媒体８３０は、一時的記憶装置又は永久的記憶装置であって良い。記憶媒体８３０に格納されたプログラムは、１又は複数のモジュール（図示しない）を含んで良く、各モジュールは、サーバに対する一連の命令動作を含んで良い。またさらに、ＣＰＵ８２２は、記憶媒体８３０と通信し、サーバにおいて記憶媒体８３０内の一連の命令動作を実行するよう構成されて良い。
【００９６】
ＮＦ管理装置は、１又は複数の電源８２９、１又は複数の無線ネットワークインタフェース８５０、１又は複数の入力／出力インタフェース８５８、及び／又は１又は複数のオペレーティングシステム８４１、例えばＷｉｎｄｏｗｓＳｅｒｖｅｒ（商標）、ＭａｃＯＳ  Ｘ（商標）、Ｕｎｉｘ（商標）、Ｌｉｎｕｘ（商標）、ＦｒｅｅＢＳＤ（商標）を更に含んで良い。
【００９７】
前述のシステムアーキテクチャ又はシナリオの特定の詳細は、単なる例外である。実際のシナリオでは、ユーザに提供される必要のあるサービス範囲及びサービス内容は非常に広範囲に及び、したがって、分割されたネットワークスライス及び構成されたＮＦコンポーネントがより包括的である。
【００９８】
以下の実施形態は、前述のシステムアーキテクチャ又はシナリオに適用されるＮＦ管理方法を記載する。
【００９９】
図４を参照すると、本願の一実施形態は、以下のステップを含むＮＦ管理方法を提供する。
【０１００】
４０１。第１ＮＦコンポーネントにより送信されたＮＦ発見要求を受信する。ここで、ＮＦ発見要求は第２ＮＦ識別子を含む。
【０１０１】
本実施形態では、ユーザ機器により開始されたユーザサービスにより要求されたネットワーク機能が、第１ＮＦコンポーネントにより処理されるとき、第１ＮＦコンポーネントの第１ＮＦを実行する処理において、第１ＮＦコンポーネントは、第２ＮＦを実行するために第２ＮＦコンポーネントにアクセスする必要がある。図２に示すように、無線アクセスネットワークノードは、先ず、ユーザ機器が、第１ＮＦを有する第１ＮＦコンポーネント（ＮＦ１）にアクセスすることを可能にし、第１ＮＦコンポーネントは第１ネットワークスライス（ＳｌｉｃｅＡ）内に展開される。図３に示すように、ＮＦ１が第１ＮＦを実行する処理において第２ＮＦを実行する必要があるとき、ＮＦ１は、ＮＦ発見要求に第２ＮＦ識別子を付加し、該ＮＦ発見要求をＮＦ管理装置へ送信する。ＮＦ発見要求は、コンポーネントを発見するよう要求するために使用され、コンポーネントは第２ＮＦを提供する。さらに、第２ＮＦコンポーネントは、第２ＮＦを示す１又は複数の第２ＮＦ識別子を含んで良い。ＮＦ管理装置は、ＮＦ発見要求を受信する。
【０１０２】
第１ＮＦを有する第１ＮＦコンポーネント（ＮＦ１）は、ＮＦ＿Ａにより表されて良い。ＮＦ＿Ａは種別であり、ＮＦ１が機能種別Ａを有するＮＦコンポーネントであることを示す。
【０１０３】
４０２。第２ＮＦ識別子に基づき、第２ＮＦコンポーネントのコンポーネント情報を取得する。ここで、コンポーネント情報は、第２ＮＦコンポーネントの発見ポリシ及び第２ＮＦコンポーネント識別子を含む。
【０１０４】
本実施形態では、ＮＦ発見要求は、第２ＮＦ識別子を含み、ＮＦ管理装置は各ＮＦコンポーネントのコンポーネント情報を格納する。したがって、ＮＦ発見要求が受信された後に、第２ＮＦを有する１又は複数の第２ＮＦコンポーネントのコンポーネント情報は、ＮＦ発見要求の中の第２ＮＦ識別子、例えばＮＦ３のコンポーネント情報及びＮＦ７のコンポーネント情報に基づき取得されて良い。コンポーネント情報は、発見ポリシ及び第２ＮＦコンポーネント識別子を含む。具体的に、コンポーネント情報は、ＮＦ識別子を更に含んで良い。ＮＦ管理装置は、第２ＮＦ識別子を含むコンポーネント情報を取得するために、第２ＮＦ識別子に基づきローカルデータベースをクエリして良い。発見ポリシは、ＮＦコンポーネント構成中に、ネットワークルールに従い当業者によりプリセットされて良い。
【０１０５】
４０３。コンポーネント情報の中の発見ポリシに基づき、第１ＮＦコンポーネントが第２ＮＦコンポーネントにアクセス可能か否かを決定する。可能な場合、ステップ４０４を実行する。
【０１０６】
本実施形態では、発見ポリシは、ＮＦコンポーネント構成中に、ネットワークルールに従い当業者によりプリセットされる。したがって、ＮＦ３のコンポーネント情報及びＮＦ７のコンポーネント情報が取得された後に、ＮＦ３のコンポーネント情報の中の発見ポリシ及びＮＦ７のコンポーネント情報の中の発見ポリシに基づき、ＮＦ１がＮＦ３にアクセス可能か否かが決定され、可能である場合、ステップ４０４が実行され、ＮＦ１がＮＦ７にアクセス可能か否かが決定され、可能である場合、ステップ４０４が実行される。
【０１０７】
４０４。第２ＮＦコンポーネント識別子を第１ＮＦコンポーネントへ送信する。
【０１０８】
本実施形態では、第１ＮＦコンポーネントが第２ＮＦコンポーネントにアクセス可能であると決定すると、ＮＦ管理装置は、第２ＮＦコンポーネント識別子を第１ＮＦコンポーネントへ送信する。１又は複数の第２ＮＦコンポーネント識別子が存在して良い。
【０１０９】
本願の本実施形態では、ＮＦ管理装置は、発見ポリシに基づき、第１ＮＦコンポーネントが第２ＮＦコンポーネントにアクセス可能か否かを決定する。発見ポリシはネットワークルールに従いプリセットされるので、第１ＮＦコンポーネントの第２ＮＦコンポーネントへのアクセスは、確実にネットワークルールに従う。ＮＦコンポーネント間のアクセスがネットワークルールに従わない従来技術と比較して、全てのＮＦコンポーネント間のアクセスがネットワークルールに従い、それにより正常なネットワーク動作を実現する。
【０１１０】
任意で、本願の幾つかの実施形態では、ＮＦ管理方法は、
新しいＮＦコンポーネントが展開されると、新しく展開されたＮＦコンポーネントのコンポーネント情報を取得するステップであって、新しく展開されたＮＦコンポーネントのコンポーネント情報は、新しく展開されたＮＦコンポーネントのコンポーネント識別子、ＮＦ識別子、発見ポリシ、及びネットワークスライス識別子を含む、ステップと、
ローカルコンポーネント情報ベースに、新しく展開されたＮＦコンポーネントのコンポーネント情報を格納するステップと、を更に含む。
【０１１１】
本願の本実施形態では、従来技術において、当業者は、機能種別に基づく異なるＮＦとして、ネットワーク内でサポートされる必要のある機能を定義する。ＮＦコンポーネントは、ＮＦをサポートし、ネットワークスライス内で構成される。新しいＮＦコンポーネントが展開されるとき、新しく展開されるＮＦコンポーネントのコンポーネント情報は、ＮＦ管理装置へ送信される必要がある。コンポーネント情報は、新しく展開されたＮＦコンポーネントの、コンポーネント識別子、ＮＦ識別子、発見ポリシ、及びネットワークスライス識別子を含む。コンポーネント識別子は、新しく展開されたＮＦコンポーネントのユニークな識別子（コンポーネントＩＤ又はＩＰアドレスのようなコンポーネントアドレスであって良い）である。ＮＦ識別子は、新しく展開されたＮＦコンポーネントのＮＦ種別を示す。ＮＦ種別は、認証及びセキュリティ機能、ベアラ管理機能、移動性管理機能、アクセス制御機能、等を識別して良い。発見ポリシは、新しく展開されたＮＦコンポーネントの且つネットワークルールに従い当業者により設定された発見条件である。例えば、発見ポリシは、同じネットワークスライス内のＮＦコンポーネントのアクセスのみを許可し、又は指定ネットワークスライス内のＮＦコンポーネントのアクセスのみを許可する。ネットワークスライス識別子は、新しく展開されたＮＦコンポーネントの位置するネットワークスライスを示す。ＮＦ管理装置は、新しく展開されたＮＦコンポーネントのコンポーネント情報を取得し、コンポーネント情報をコンポーネント情報ベースに格納する。ＮＦコンポーネント管理をより良好に実施するために、ＮＦ管理装置は、全てのネットワークスライス内の新しく展開されたＮＦコンポーネントのコンポーネント情報を格納する必要がある。
【０１１２】
ＮＦコンポーネントが複数のネットワークスライスにより共有される場合、コンポーネント情報は、該ＮＦコンポーネントを共有する複数のネットワークスライスのネットワークスライス識別子を含むことに留意すべきである。
【０１１３】
任意で、本願の幾つかの実施形態では、第２ＮＦ識別子に基づき第２ＮＦコンポーネントのコンポーネント情報を取得するステップは、
ＮＦ発見要求から第２ＮＦ識別子を取得するステップと、
第２ＮＦ識別子に基づき、ローカルコンポーネント情報ベースから第２ＮＦコンポーネントのコンポーネント情報を取得するステップであって、第２ＮＦコンポーネントのコンポーネント情報は、第２ＮＦコンポーネント識別子を含む、ステップと、を含む。
【０１１４】
本願の本実施形態では、ＮＦ発見要求は第２ＮＦ識別子を含み、ＮＦ管理装置は、第２ＮＦ識別子を取得するためにＮＦ発見要求をパースして良い。全てのＮＦコンポーネントのコンポーネント情報は、コンポーネント情報ベースに格納される。例えば、ＮＦコンポーネントＮＦ３の機能が第２ＮＦである場合、ＮＦコンポーネントＮＦ３のコンポーネント情報はコンポーネント識別子ＮＦ３及び第２ＮＦ識別子を含む。ＮＦコンポーネントＮＦ７の機能が第２ＮＦである場合、ＮＦコンポーネントＮＦ７のコンポーネント情報はコンポーネント識別子ＮＦ７及び第２ＮＦ識別子を含む。対応するコンポーネント識別子ＮＦ３及びＮＦ７は、第２ＮＦ識別子に基づき、コンポーネント情報ベースから読み出されて良い。この場合、読み出したコンポーネント識別子ＮＦ３及びＮＦ７に基づき、ＮＦ３及びＮＦ７が第２ＮＦコンポーネントであることが決定でき、ＮＦ３のコンポーネント情報及びＮＦ７のコンポーネント情報が抽出される。ＮＦ３のコンポーネント情報はＮＦ３の発見ポリシを含み、ＮＦ７のコンポーネント情報はＮＦ７の発見ポリシを含む。これは、ＮＦ管理装置による中央ＮＦコンポーネント管理を実現する。
【０１１５】
任意で、本願の幾つかの実施形態では、第２ＮＦコンポーネントの発見ポリシ及びネットワークスライス識別子に基づき、第２ＮＦコンポーネントの発見可能ネットワークスライスを決定するステップは、
期待ネットワークスライス識別子に基づき、第２ＮＦコンポーネントのネットワークスライス識別子から、目標ネットワークスライス識別子を選択するステップと、
発見ポリシ及び目標ネットワークスライス識別子に基づき、目標ネットワークスライス識別子に対応する目標ネットワークスライス内の第２ＮＦコンポーネントの発見可能ネットワークスライスを決定するステップと、を含む。
【０１１６】
本願の本実施形態では、図３で、第１ＮＦコンポーネント（ＮＦ１）が、第２ＮＦを実行するために第２ネットワークスライス内の第２ＮＦコンポーネント（ＮＦ７）にアクセスする必要のある場合、ＮＦ発見要求は、さらに、第２ネットワークスライスのネットワークスライス識別子（ＳｌｉｃｅＢ）を運ぶ必要があり、第２ネットワークスライスのネットワークスライス識別子（ＳｌｉｃｅＢ）は、期待ネットワークスライス識別子である。さらに、ステップ５０３から、第２ＮＦコンポーネント（ＮＦ３）のネットワークスライス識別子はＳｌｉｃｅＡ及びＳｌｉｃｅＢであり、ＮＦ７のネットワークスライス識別子はＳｌｉｃｅＣであることが分かる。この場合、ＳｌｉｃｅＢは目標ネットワークスライス識別子として選択され、ＳｌｉｃｅＢに対応する第２ネットワークスライスは第２ＮＦコンポーネントＮＦ３を含み、ＮＦ３の発見ポリシは、第１ネットワークスライス及び第２ネットワークスライス内のＮＦコンポーネントのアクセスのみを許可する。したがって、ＮＦ３の発見ポリシ及び目標ネットワークスライス識別子（ＳｌｉｃｅＢ）に基づき、発見可能ネットワークスライスが第２ネットワークスライスであることが決定される。期待ネットワークスライス識別子がＳｌｉｃｅＣである場合、決定される目標ネットワークスライス識別子はＳｌｉｃｅＣである。しかしながら、ＮＦ７の発見ポリシに基づき、ＮＦ１の位置する第１ネットワークスライス内のＮＦコンポーネントは、第３ネットワークスライス内のＮＦ７にアクセスできない。したがって、発見可能ネットワークスライスは存在しない。第１ＮＦコンポーネントの指向性発見及びアクセス要求のために、ＮＦ管理装置は、ＮＦ管理をより良く標準化するために、発見ポリシに基づくフィルタリングを実行する必要がある。
【０１１７】
前述の実施形態では、ＮＦ管理装置は、第１ＮＦコンポーネントにより送信されたＮＦ発見要求の中の第２ＮＦ識別子に基づき、第２ＮＦコンポーネントを含む全てのネットワークスライスを発見する。別の場合には、第１ＮＦコンポーネントは、決定されたネットワークスライス内の第２ＮＦコンポーネントを発見することを期待して要求する。具体的に言うと、ＮＦ発見要求は、期待ネットワークスライス識別子を更に含む。任意で、本願の幾つかの実施形態では、ＮＦ発見要求は、期待ネットワークスライス識別子を更に含み、期待ネットワークスライス識別子は、期待される要求を通じて第１ＮＦコンポーネントにより発見されたネットワークスライスを示し、該ネットワークスライスの中に、第２ＮＦを有するＮＦコンポーネントが位置する。コンポーネント情報は、第２ＮＦコンポーネントのネットワークスライス識別子を更に含み、第２ＮＦコンポーネントのネットワークスライス識別子は、第２ＮＦコンポーネントの位置するネットワークスライスを示す。
【０１１８】
第２ＮＦ識別子に基づき、ローカルコンポーネント情報ベースから第２ＮＦコンポーネントのコンポーネント情報を取得するステップは、
第２ＮＦ識別子及び期待ネットワークスライス識別子に基づき、ローカルコンポーネント情報ベースから第２ＮＦコンポーネントのコンポーネント情報を取得するステップであって、第２ＮＦコンポーネントのコンポーネント情報は、第２ＮＦコンポーネント識別子及びネットワークスライス識別子を含む、ステップを含む。
【０１１９】
本願の本実施形態では、図３で、第１ＮＦコンポーネント（ＮＦ１）が、第２ＮＦを実行するために第２ネットワークスライス内の第２ＮＦコンポーネント（ＮＦ７）にアクセスする必要のある場合、ＮＦ発見要求は、さらに、第２ネットワークスライスのネットワークスライス識別子（ＳｌｉｃｅＢ）を運ぶ必要があり、第２ネットワークスライスのネットワークスライス識別子（ＳｌｉｃｅＢ）は、期待ネットワークスライス識別子である。さらに、ステップ５０３から、第２ＮＦコンポーネント（ＮＦ３）のネットワークスライス識別子はＳｌｉｃｅＡ及びＳｌｉｃｅＢであり、ＮＦ７のネットワークスライス識別子はＳｌｉｃｅＣであることが分かる。この場合、ＳｌｉｃｅＢは目標ネットワークスライス識別子として選択され、ＳｌｉｃｅＢに対応する第２ネットワークスライスは第２ＮＦコンポーネントＮＦ３を含み、ＮＦ３の発見ポリシは、第１ネットワークスライス及び第２ネットワークスライス内のＮＦコンポーネントのアクセスのみを許可する。したがって、ＮＦ３の発見ポリシ及び目標ネットワークスライス識別子（ＳｌｉｃｅＢ）に基づき、発見可能ネットワークスライスが第２ネットワークスライスであることが決定される。期待ネットワークスライス識別子がＳｌｉｃｅＣである場合、決定される目標ネットワークスライス識別子はＳｌｉｃｅＣである。しかしながら、ＮＦ７の発見ポリシに基づき、ＮＦ１の位置する第１ネットワークスライス内のＮＦコンポーネントは、第３ネットワークスライス内のＮＦ７にアクセスできない。したがって、発見可能ネットワークスライスは存在しない。第１ＮＦコンポーネントの指向性発見及びアクセス要求のために、ＮＦ管理装置は、ＮＦ管理をより良く標準化するために、発見ポリシに基づくフィルタリングを実行する必要がある。
【０１２０】
前述の実施形態では、発見ポリシは、ネットワークルールに従いプリセットされ、発見ポリシは詳細に記載されない。上記の説明では、発見ポリシはオペレータのネットワークスライス分離要件に基づき設定される。任意で、本願の幾つかの実施形態では、発見ポリシは、
第２ＮＦコンポーネントが、第２ＮＦコンポーネントと同じネットワークスライス内のＮＦコンポーネントによってのみアクセス可能である、又は、
第２ＮＦコンポーネントが、指定ネットワークスライス内のＮＦコンポーネントによってのみアクセス可能である、又は、
第２ＮＦコンポーネントが、全てのネットワークスライス内のＮＦコンポーネントによりアクセス可能である、を含む。
【０１２１】
本願の本実施形態では、ＮＦコンポーネントの発見ポリシは、ネットワークルールに従いプリセットされる。例えば、ある場合には、第２ＮＦコンポーネントは、ネットワークスライス分離要件に基づき、同じネットワークスライス内のＮＦコンポーネントによってのみアクセス可能である。別の場合には、第２ＮＦコンポーネントは、指定ネットワークスライス内のＮＦコンポーネントによりアクセス可能である。更に別の場合には、第２ＮＦコンポーネントは、いかなる制限も無しに、全てのネットワークスライス内のＮＦコンポーネントによりアクセス可能である。３つの場合は、説明のための単なる例である。実際の用途において別の場合が存在して良く、これは具体的に限定されない。
【０１２２】
前述の実施形態では、発見ポリシは、オペレータのネットワークスライス分離要件に基づき設定され、したがって、ＮＦ発見要求は第１ＮＦコンポーネントのネットワークスライス識別子を更に含む必要がある。図５を参照すると、本願の一実施形態は、以下のステップを含むＮＦ管理方法を提供する。
【０１２３】
５０１。第１ＮＦコンポーネントにより送信されたＮＦ発見要求を受信する。ここで、ＮＦ発見要求は第２ＮＦ識別子を含む。
【０１２４】
詳細については、ステップ４０１を参照する。
【０１２５】
５０２。第２ＮＦ識別子に基づき、第２ＮＦコンポーネントのコンポーネント情報を取得する。ここで、コンポーネント情報は、第２ＮＦコンポーネントの発見ポリシ及び第２ＮＦコンポーネント識別子を含む。
【０１２６】
詳細については、ステップ４０２を参照する。
【０１２７】
５０３。コンポーネント情報に基づき、第２ＮＦコンポーネントの発見ポリシ及びネットワークスライス識別子を取得する。
【０１２８】
本実施形態では、ＮＦ３のコンポーネント情報及びＮＦ７のコンポーネント情報が取得された後に、ＮＦ３の発見ポリシ及びネットワークスライス識別子並びにＮＦ７の発見ポリシ及びネットワークスライス識別子がコンポーネント情報から取得されて良い。ＮＦ３は、第１ネットワークスライス及び第２ネットワークスライスにより共有され、発見ポリシは、オペレータのネットワークスライス分離要件に基づき設定される。ＮＦ３の発見ポリシが、第１ネットワークスライス及び第２ネットワークスライス内のＮＦコンポーネントのアクセスのみを許可する場合、ＮＦ３のネットワークスライス識別子はＳｌｉｃｅＡ及びＳｌｉｃｅＢであり、ＮＦ７の発見ポリシが第３ネットワークスライス内のＮＦコンポーネントのアクセスのみを許可する場合、ＮＦ７のネットワークスライス識別子はＳｌｉｃｅＣである。
【０１２９】
５０４。第２ＮＦコンポーネントの発見ポリシ及びネットワークスライス識別子に基づき、第２ＮＦコンポーネントの発見可能ネットワークスライスを決定する。
【０１３０】
本実施形態では、ネットワークスライス識別子（ＳｌｉｃｅＡ及びＳｌｉｃｅＢ）及びＮＦ３の発見ポリシに基づき、ＮＦ３の発見可能ネットワークスライスは第１ネットワークスライス及び第２ネットワークスライスであると決定される。具体的に言うと、第１ネットワークスライス及び第２ネットワークスライス内のＮＦコンポーネントのＮＦ３へのアクセスのみが、オペレータのネットワークスライス分離要件を満たす。ＮＦ７の発見ポリシ及びネットワークスライス識別子（ＳｌｉｃｅＣ）に基づき、ＮＦ７の発見可能ネットワークスライスが第３ネットワークスライスであることが決定される。具体的に言うと、第３ネットワークスライス内のＮＦコンポーネントのＮＦ７へのアクセスのみが、オペレータのネットワークスライス分離要件を満たす。
【０１３１】
５０５。第１ＮＦコンポーネントのネットワークスライス識別子に基づき、第１ＮＦコンポーネントの位置するネットワークスライスが発見可能ネットワークスライスの中に存在するか否かを決定し、存在する場合、ステップ５０６を実行する。
【０１３２】
本実施形態では、第１ＮＦコンポーネント（ＮＦ１）により送信されるＮＦ発見要求は、ＮＦ１のネットワークスライス識別子（ＳｌｉｃｅＡ）を含む。ＳｌｉｃｅＡに基づき、ＮＦ１が第１ネットワークスライス内であることが分かる。ＮＦ３の発見可能ネットワークスライスが第１ネットワークスライス及び第２ネットワークスライスであるので、ＮＦ１の位置する第１ネットワークスライスは、ＮＦ３の発見可能ネットワークスライスの中にあり、ステップ５０６が実行される。ＮＦ７の発見可能ネットワークスライスが第３ネットワークスライスであるので、ＮＦ１の位置する第１ネットワークスライスは、ＮＦ７の発見可能ネットワークスライスの中になく、ステップ５０６は実行されない。
【０１３３】
別の可能な実装では、第１ＮＦコンポーネント（ＮＦ１）により送信されるＮＦ発見要求は、第１ＮＦコンポーネントのコンポーネント識別子を含む。第１ＮＦコンポーネントのコンポーネント情報は、第１ＮＦコンポーネントのコンポーネント識別子に基づきコンポーネント情報ベースから取得され、コンポーネント情報は第１ＮＦコンポーネントのネットワークスライス識別子（ＳｌｉｃｅＡ）を含む。
【０１３４】
５０６。第１ＮＦコンポーネントが第２ＮＦコンポーネントにアクセスできると決定する。
【０１３５】
本実施形態では、ＮＦ１の位置する第１ネットワークスライスがＮＦ３の発見可能ネットワークスライス内に存在する場合、ＮＦ１はＮＦ３にアクセスできると決定される。
【０１３６】
５０７。第２ＮＦコンポーネント識別子に基づきコンポーネント発見応答を生成し、コンポーネント発見応答を第１ＮＦコンポーネントへ送信する。
【０１３７】
本実施形態では、ＮＦ１がＮＦ３にアクセスできると決定された後に、ＮＦ３のＩＰアドレス又はＩＤのような第２ＮＦコンポーネント識別子は、ＮＦ３のコンポーネント情報から取得される。コンポーネント発見応答は、ＮＦ３の第２ＮＦコンポーネント識別子に基づき生成され、コンポーネント発見応答はＮＦ発見要求を送信する第１ＮＦコンポーネント（ＮＦ１）にフィードバックされる。コンポーネント発見応答を受信した後に、ＮＦ１は、コンポーネント発見応答の中のＮＦ３の第２ＮＦコンポーネント識別子に基づきＮＦ３にアクセスし、ＮＦ３は、ユーザサービスを達成するために、サービスインタフェースを用いて第２ＮＦを提供する。
【０１３８】
本願の本実施形態では、発見ポリシはオペレータのネットワークスライス分離要件に基づき設定されるので、ＮＦ１のＮＦ３へのアクセスは、ネットワークスライス分離要件を確実に満たすが、ＮＦ１のＮＦ７へのアクセスは、ネットワークスライス分離要件を満たさない。したがって、ＮＦ７のネットワークアドレス及び他の情報は、ＮＦ１により発見されない。発見ポリシに基づき決定される目標ＮＦコンポーネントは確実にネットワークルールに従うこと、それにより正常なネットワーク動作を保証することが分かる。
【０１３９】
前述の実施形態では、全てのＮＦ発見ポリシは、コンポーネント情報に含まれる。図９に示すように、別個のＮＦ発見ポリシ情報が存在する場合、本願は以下のステップを含むＮＦ管理方法を提供する。
【０１４０】
９０１。第１ＮＦコンポーネントにより送信されたＮＦ発見要求を受信する。ここで、ＮＦ発見要求は第２ＮＦ識別子を含む。
【０１４１】
本実施形態では、ＮＦ発見要求は、あるＮＦ種別のＮＦコンポーネントを発見するよう要求するために使用される。具体的に、例えば、ＮＦ発見要求は発見要求であって良い。
【０１４２】
任意で、第１ＮＦコンポーネントがネットワークスライス内に展開された第２ＮＦを発見することを期待するとき、ＮＦ発見要求は、期待ネットワークスライスの識別子を含み、第１ＮＦコンポーネントがＮＦグループ内の第２ＮＦを発見することを期待するとき、ＮＦ発見要求はＮＦグループの識別子を含み、又は、第１ＮＦコンポーネントが第２ＮＦから１又は複数の指定サービスを取得することを期待するとき、ＮＦ発見要求はアクセスされることを期待する第２ＮＦのサービスの識別子を含む。したがって、第２ＮＦ識別子に加えて、ＮＦ発見要求は、期待ネットワークスライスの識別子及び／又はＮＦグループの識別子を含み得る。
【０１４３】
９０２。第２ＮＦ識別子に基づき第２ＮＦの発見ポリシを取得する。
【０１４４】
本実施形態では、ＮＦ発見要求は第２ＮＦ識別子を含み、ＮＦ管理装置は各ＮＦに対応する発見ポリシを格納する。したがって、ＮＦ発見要求が受信された後に、第２ＮＦの発見ポリシ情報は、ＮＦ発見要求の中の第２ＮＦ識別子に基づき取得されて良く、発見ポリシは、ＮＦコンポーネント構成の間にネットワークルールに従い当業者によりプリセットされて良い。
【０１４５】
同じＮＦを有し且つ同じネットワークスライス内に展開された複数のＮＦコンポーネントの発見ポリシ情報が、別個のＮＦ発見ポリシ情報に格納され得るとき、期待ネットワークスライス内に展開された第２ＮＦの発見ポリシ情報は、ＮＦ発見要求の中の第２ＮＦ識別子及び期待ネットワークスライスの識別子に基づき決定される。
【０１４６】
同じＮＦを有し且つ同じＮＦグループに属する複数のＮＦコンポーネントの発見ポリシ情報が、別個のＮＦ発見ポリシ情報に格納され得るとき、ＮＦグループに属する第２ＮＦの発見ポリシ情報は、ＮＦ発見要求の中の第２ＮＦ識別子及びＮＦグループの識別子に基づき決定される。
【０１４７】
９０３。第２ＮＦの発見ポリシに基づき、第１ＮＦコンポーネントが第２ＮＦにアクセス可能か否かを決定する。可能な場合、ステップ９０４を実行する。
【０１４８】
詳細については、図４に示す実施形態におけるステップ４０３を参照のこと。第１ＮＦコンポーネントが第２ＮＦにアクセス可能な場合、ステップ９０４が実行される。さらに、第２ＮＦの発見ポリシ情報は、ＮＦの識別子、及び該ＮＦによりアクセス可能なサービス（つまり、ある種類のＮＦによりアクセス可能な第２ＮＦからのサービス）の識別子を含む。第１ＮＦコンポーネントのＮＦの識別子は、第１ＮＦコンポーネントにより送信されたＮＦ発見要求に基づき学習されて良い。ＮＦの識別子及びＮＦによりアクセス可能なサービスの識別子は、第１ＮＦコンポーネントによりアクセス可能なサービスの識別子を決定するためにクエリされる。
【０１４９】
具体的に、第１ＮＦコンポーネントにより送信されたＮＦ発見要求に基づき第１ＮＦコンポーネントのＮＦの識別子を取得するステップは、具体的に以下の方法を含む。ＮＦ管理装置により格納された第１ＮＦコンポーネントに関する情報は第１ＮＦコンポーネントのＮＦの識別子を含み、ＮＦ管理装置は、ステップ９０１で、第１ＮＦコンポーネントにより送信されたＮＦ発見要求を受信した後に、第１ＮＦコンポーネントのＮＦの識別子を取得するために、第１ＮＦコンポーネントに関する情報を決定する、又は、ステップ９０１で第１ＮＦコンポーネントにより送信されたＮＦ発見要求は第１ＮＦコンポーネントのＮＦの識別子を含み、ＮＦ管理装置が第１ＮＦコンポーネントのＮＦの識別子を取得するようにする。
【０１５０】
９０４。１又は複数の第２ＮＦコンポーネントの識別子を取得する。
【０１５１】
具体的に、ＮＦ管理装置は、ＮＦ発見要求の中の第２ＮＦ識別子、及びＮＦ管理装置により格納されたコンポーネント情報ベースに含まれる全てのＮＦコンポーネントのコンポーネント情報に基づき、第２ＮＦを有する第２ＮＦコンポーネントの識別子を取得して良い。複数の第２ＮＦコンポーネントが存在して良い。例えば、両コンポーネントＮＦ３及びＮＦ７が第２ＮＦを有し、したがってコンポーネントＮＦ３及びＮＦ７の識別子は第２ＮＦコンポーネントの識別子である。
【０１５２】
９０５。１又は複数の第２ＮＦコンポーネントの識別子を第１ＮＦコンポーネントへ送信する。
【０１５３】
さらに、第２ＮＦによりアクセス可能なサービスの識別子が第１ＮＦコンポーネントに提供される。
【０１５４】
本願の本実施形態では、ＮＦ管理装置は、第１ＮＦコンポーネントのＮＦ発見要求を受信し、ＮＦ発見要求の中の第２ＮＦ識別子に基づき、第２ＮＦコンポーネントの発見ポリシを取得し、第２ＮＦの発見ポリシが第１ＮＦコンポーネントの第２ＮＦへのアクセスを許可する場合、１又は複数の第２ＮＦコンポーネントの識別子を取得し、ここで第２ＮＦコンポーネントは第２ＮＦを有し、並びに、１又は複数の第２ＮＦコンポーネントの識別子を第１ＮＦコンポーネントへ送信して、第１ＮＦコンポーネントが、第２ＮＦコンポーネント識別子に基づき第２ＮＦコンポーネントにアクセスし及びユーザサービスを達成するために第２ＮＦを実行できるようにする。第２ＮＦコンポーネントの発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【０１５５】
前述の実施形態は本願におけるＮＦ管理方法を記載し、以下は、機器の実施形態を詳細に記載する。
【０１５６】
図６を参照すると、本願の一実施形態は、受信モジュール６０１と処理モジュール６０２と送信モジュール６０３とを含むＮＦ管理装置を提供する。
【０１５７】
受信モジュール６０１は、第１ＮＦコンポーネントにより送信されたＮＦ発見要求を受信するよう構成される。ＮＦ発見要求は第２ＮＦ識別子を含み、第２ＮＦ識別子は第２ＮＦを示すために使用される。
【０１５８】
詳細については、ステップ４０１を参照する。
【０１５９】
処理モジュール６０２は、第２ＮＦ識別子に基づき第２ＮＦコンポーネントのコンポーネント情報を取得するよう構成される。第２ＮＦコンポーネントは第２ＮＦを有し、コンポーネント情報は、第２ＮＦコンポーネントの発見ポリシ及び第２ＮＦコンポーネント識別子を含む。
【０１６０】
詳細については、ステップ４０２を参照する。
【０１６１】
処理モジュール６０２は、さらに、コンポーネント情報の中の発見ポリシに基づき、第１ＮＦコンポーネントが第２ＮＦコンポーネントにアクセス可能か否かを決定するよう構成される。
【０１６２】
詳細については、ステップ４０３を参照する。
【０１６３】
送信モジュール６０３は、第１ＮＦコンポーネントが第２ＮＦコンポーネントにアクセス可能であるとき、第１ＮＦコンポーネントへ第２ＮＦコンポーネント識別子を送信するよう構成される。
【０１６４】
詳細については、ステップ４０４を参照する。
【０１６５】
本願の本実施形態では、コアネットワークの中のネットワークスライス内で構成された各ＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。受信モジュール６０１は、第１ＮＦコンポーネントのＮＦ発見要求を受信する。処理モジュール６０２は、ＮＦ発見要求の中の第２ＮＦ識別子に基づき、第２ＮＦコンポーネントの格納されたコンポーネント情報を取得し、コンポーネント情報の中の発見ポリシに基づき、第１ＮＦコンポーネントが第２ＮＦコンポーネントにアクセス可能か否かを決定する。送信モジュール６０３は、第１ＮＦコンポーネントが第２ＮＦコンポーネントにアクセス可能な場合、第２ＮＦコンポーネント識別子を第１ＮＦコンポーネントへ送信して、第１ＮＦコンポーネントが第２ＮＦコンポーネント識別子に基づき第２ＮＦコンポーネントにアクセスし及びユーザサービスを達成するために第２ＮＦを実行できるようにする。発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【０１６６】
任意で、本願の幾つかの実施形態では、処理モジュール６０２は、さらに、ＮＦ発見要求から第２ＮＦ識別子を取得するよう構成される。
【０１６７】
処理モジュール６０２は、さらに、第２ＮＦ識別子に基づき、ローカルコンポーネント情報ベースから、第２ＮＦコンポーネントのコンポーネント情報を取得するよう構成される。第２ＮＦコンポーネントのコンポーネント情報は、発見ポリシ及び第２ＮＦコンポーネント識別子を含む。
【０１６８】
本願の本実施形態では、従来技術において、当業者は、機能種別に基づく異なるＮＦとして、ネットワーク内でサポートされる機能を定義する。ＮＦコンポーネントは、ＮＦをサポートし、ネットワークスライス内で構成される。各展開されたＮＦコンポーネントのコンポーネント情報は、ＮＦ管理装置のローカルコンポーネント情報ベースに格納される。全てのＮＦコンポーネントのコンポーネント情報がローカルコンポーネント情報ベースに格納されるので、対応する第２ＮＦコンポーネント識別子は、第２ＮＦ識別子に基づきコンポーネント情報ベースから読み出され得る。第２ＮＦ識別子は、ＮＦコンポーネントが第２ＮＦを有することを示す。ネットワーク全体には第２ＮＦを有する複数のＮＦコンポーネントが存在し得る。したがって、複数の第２ＮＦコンポーネントは、読み出された第２ＮＦコンポーネント識別子に基づき決定されて良い。処理モジュール６０２は、第２ＮＦコンポーネントを決定した後に、第２ＮＦコンポーネントのコンポーネント情報を抽出し、各第２ＮＦコンポーネントはそれぞれの発見ポリシを有する。これは、ＮＦ管理装置による中央ＮＦコンポーネント管理を実現する。
【０１６９】
任意で、本願の幾つかの実施形態では、ＮＦ発見要求は、期待ネットワークスライス識別子を更に含み、期待ネットワークスライス識別子は、期待される要求を通じて第１ＮＦコンポーネントにより発見されたネットワークスライスを示し、該ネットワークスライスの中に、第２ＮＦを有するＮＦコンポーネントが位置し、コンポーネント情報は第２ＮＦコンポーネントのネットワークスライス識別子を更に含み、第２ＮＦコンポーネントのネットワークスライス識別子は第２ＮＦコンポーネントの位置するネットワークスライスを示す。
【０１７０】
処理モジュール６０２は、さらに、第２ＮＦ識別子及び期待ネットワークスライス識別子に基づき、ローカルコンポーネント情報ベースから、第２ＮＦコンポーネントのコンポーネント情報を取得するよう構成される。第２ＮＦコンポーネントのコンポーネント情報は、第２ＮＦコンポーネント識別子及びネットワークスライス識別子を含む。
【０１７１】
本願の本実施形態では、第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライス識別子を含む必要がある。処理モジュール６０２は、全ての第２ＮＦコンポーネントを発見し、ローカルコンポーネント情報ベースから、第２ＮＦコンポーネントのコンポーネント情報を取得する。第１ＮＦコンポーネントがネットワークスライス内の第２ＮＦコンポーネントを発見しアクセスすることを期待している場合でも、ＮＦ管理装置は、発見ポリシに基づきネットワークスライス内の第２ＮＦコンポーネントの発見可能ネットワークスライスを決定する必要がある。第１ＮＦコンポーネントの位置するネットワークスライスが発見可能ネットワークスライスの中に存在する場合、第１ＮＦコンポーネントの要件は満たされ、発見ポリシが守られる。
【０１７２】
任意で、本願の幾つかの実施形態では、ＮＦ発見要求は、第１ＮＦコンポーネントのネットワークスライス識別子を更に含む。
【０１７３】
処理モジュール６０２は、さらに、第２ＮＦコンポーネントの発見ポリシ及びネットワークスライス識別子に基づき、第２ＮＦコンポーネントの発見可能ネットワークスライスを決定するよう構成される。
【０１７４】
詳細については、ステップ５０４を参照する。
【０１７５】
処理モジュール６０２は、さらに、第１ＮＦコンポーネントのネットワークスライス識別子に基づき、第１ＮＦコンポーネントの位置するネットワークスライスが発見可能ネットワークスライスの中に存在するか否かを決定するよう構成される。
【０１７６】
詳細については、ステップ５０５を参照する。
【０１７７】
処理モジュール６０２は、さらに、第１コンポーネントの位置するネットワークスライスが発見可能ネットワークスライスの中に存在する場合、第１ＮＦコンポーネントが第２ＮＦコンポーネントにアクセス可能であると決定するよう構成される。
【０１７８】
詳細については、ステップ５０６を参照する。
【０１７９】
本願の本実施形態では、第２ＮＦコンポーネントの発見ポリシがネットワークスライス分離要件に基づき設定される場合、第１ＮＦコンポーネントにより送信されたＮＦ発見要求は、第１ＮＦコンポーネントのネットワークスライス識別子（例えば、ｓｌｉｃｅ１）を更に含む必要があり、又は、ＮＦ管理装置は、第１ＮＦコンポーネントのコンポーネント識別子及びＮＦ管理装置により格納された第１ＮＦコンポーネントのコンポーネント情報に基づき、第１ＮＦコンポーネントの位置するネットワークスライスのネットワークスライス識別子を取得して良い。処理モジュール６０２は、各第２ＮＦコンポーネントのコンポーネント情報から、各第２ＮＦコンポーネントの発見ポリシ及びネットワークスライス識別子を取得する。第２ＮＦコンポーネントＮＦ１の発見ポリシが、同じネットワークスライス内のＮＦコンポーネントのアクセスのみを許可し、ネットワークスライス識別子がＳｌｉｃｅ１である、第２ＮＦコンポーネントＮＦ２の発見ポリシは、同じネットワークスライス又は共有ネットワークスライス（共有ネットワークスライス識別子はＳｌｉｃｅ３である）内のＮＦコンポーネントのアクセスのみを許可し、ネットワークスライス識別子はＳｌｉｃｅ２である、と仮定する。処理モジュール６０２は、ＮＦ１の発見ポリシ及びネットワークスライス識別子に基づき、ＮＦ１の発見可能ネットワークスライスがＳｌｉｃｅ１であると決定する。同様に、ＮＦ２の発見可能ネットワークスライスはＳｌｉｃｅ２及びＳｌｉｃｅ３である。処理モジュール６０２は、第１ＮＦコンポーネントのネットワークスライス識別子（Ｓｌｉｃｅ１）に基づき、第１ＮＦコンポーネントの位置するネットワークスライスがＮＦ１の発見可能ネットワークスライスの中にあると決定し、ＮＦ１が目標ＮＦコンポーネントであると決定する。さらに、処理モジュール６０２は、第１ＮＦコンポーネントのネットワークスライス識別子（Ｓｌｉｃｅ１）に基づき、第１ＮＦコンポーネントの位置するネットワークスライスがＮＦ２の発見可能ネットワークスライスの中にないと決定し、ＮＦ２が目標ＮＦコンポーネントではないと決定し、発見ポリシに基づき、第２ＮＦコンポーネントから同じＮＦを有する目標ＮＦコンポーネントを決定する。さらに、発見ポリシはネットワークルールに従い設定されるので、決定された目標ＮＦコンポーネントは確実にネットワークルールに従い、それにより、第２ＮＦコンポーネントの中にあり且つ第１ＮＦコンポーネントによるアクセスがネットワークルールに従わないＮＦコンポーネントをフィルタリングする。
【０１８０】
任意で、本願の幾つかの実施形態では、送信モジュール６０３は、具体的に、第２ＮＦコンポーネント識別子に基づき、コンポーネント発見応答を生成し、コンポーネント発見応答を第１ＮＦコンポーネントへ送信するよう構成される。
【０１８１】
詳細については、ステップ５０７を参照する。
【０１８２】
本願の本実施形態では、処理モジュール６０２が目標ＮＦコンポーネントを決定した後に、送信モジュール６０３は、第１ＮＦコンポーネントのＮＦ発見要求に対するコンポーネント発見応答に第２ＮＦコンポーネント識別子を付加し、コンポーネント発見応答を第１ＮＦコンポーネントにフィードバックする。第２ＮＦコンポーネント識別子は、第２ＮＦコンポーネントのコンポーネントアドレス、コンポーネントＩＤ、等であって良く、第２ＮＦコンポーネントを識別する識別子であって良い。
【０１８３】
任意で、図７に示すように、本願の幾つかの実施形態では、ＮＦ管理装置は記憶モジュール７０１を更に含む。
【０１８４】
記憶モジュール７０１は、新しいＮＦコンポーネントが展開されると、新しく展開されたＮＦコンポーネントのコンポーネント情報を取得するよう構成される。新しく展開されたＮＦコンポーネントのコンポーネント情報は、新しく展開されたＮＦコンポーネントのコンポーネント識別子、ＮＦ識別子、発見ポリシ、及びネットワークスライス識別子、を含む。
【０１８５】
記憶モジュール７０１は、さらに、新しく展開されたＮＦコンポーネントのコンポーネント情報をローカルコンポーネント情報ベースに格納するよう構成される。
【０１８６】
本願の本実施形態では、従来技術において、当業者は、機能種別に基づく異なるＮＦとして、ネットワーク機能を定義する。ＮＦコンポーネントは、ＮＦをサポートし、ネットワークスライス内で構成される。新しいＮＦコンポーネントが展開されるとき、新しく展開されるＮＦコンポーネントのコンポーネント情報は、ＮＦ管理装置へ送信される必要がある。コンポーネント情報は、新しく展開されたＮＦコンポーネントの、コンポーネントアドレス（例えばＩＰアドレス）、コンポーネント識別子、ＮＦ識別子、発見ポリシ、及びネットワークスライス識別子を含む。コンポーネント識別子は、新しく展開されたＮＦコンポーネントのユニークな識別子である。ＮＦ識別子は、新しく展開されたＮＦコンポーネントのＮＦを示す。発見ポリシは、新しく展開されたＮＦコンポーネントの且つネットワークルールに従い当業者により設定された発見条件である。例えば、発見ポリシは、同じネットワークスライス内のＮＦコンポーネントのアクセスのみを許可し、又は指定ネットワークスライス内のＮＦコンポーネントのアクセスのみを許可する。ネットワークスライス識別子は、新しく展開されたＮＦコンポーネントの位置するネットワークスライスを示す。記憶モジュール７０１は、新しく展開されたＮＦコンポーネントのコンポーネント情報を取得し、コンポーネント情報をコンポーネント情報ベースに格納する。ＮＦコンポーネント管理をより良好に実施するために、ＮＦ管理装置は、全てのネットワークスライス内の新しく展開されたＮＦコンポーネントのコンポーネント情報を格納する必要がある。
【０１８７】
図９に示す方法の実施形態に基づき、図６を参照すると、本願の一実施形態で提供される別のＮＦ管理装置は、図９のＮＦ管理装置の機能を実装するよう構成され、受信モジュール６０１と処理モジュール６０２と送信モジュール６０３とを含む。
【０１８８】
受信モジュール６０１は、第１ＮＦコンポーネントにより送信されたＮＦ発見要求を受信するよう構成される。ＮＦ発見要求は第２ＮＦ識別子を含む。
【０１８９】
処理モジュール６０２は、第２ＮＦ識別子に基づき第２ＮＦの発見ポリシを取得するよう構成される。
【０１９０】
処理モジュール６０２は、さらに、第２ＮＦの発見ポリシが第１ＮＦコンポーネントの第２ＮＦへのアクセスを許可する場合、１又は複数の第２ＮＦコンポーネントの識別子を取得するよう構成される。第２ＮＦコンポーネントは第２ＮＦを有する。
【０１９１】
送信モジュール６０３は、１又は複数の第２ＮＦコンポーネントの識別子を第１ＮＦコンポーネントへ送信するよう構成される。
【０１９２】
本願の本実施形態では、コアネットワークの中のネットワークスライス内で構成された各ＮＦコンポーネントのコンポーネント情報は、ＮＦ管理装置に格納される。ユーザ機器により開始されたユーザサービスにより要求されたネットワークサービスが、第１ＮＦコンポーネントにより処理される場合、第１ＮＦコンポーネントの第１ＮＦを実行する処理において、第１ＮＦコンポーネントは、第２ＮＦを実行するために第２ＮＦを有するコンポーネントにアクセスする必要がある。第１ＮＦコンポーネントは、ＮＦ発見要求に第２ＮＦ識別子を付加して、ＮＦ発見要求をＮＦ管理装置へ送信する。受信モジュール６０１は、第１ＮＦコンポーネントのＮＦ発見要求を受信する。処理モジュール６０２は、ＮＦ発見要求の中の第２ＮＦ識別子に基づき、第２ＮＦコンポーネントの発見ポリシを取得する。第２ＮＦの発見ポリシが第１ＮＦコンポーネントの第２ＮＦへのアクセスを許可する場合、処理モジュール６０２は、１又は複数の第２ＮＦコンポーネントの識別子を取得する。第２ＮＦコンポーネントは第２ＮＦを有する。送信モジュール６０３は、１又は複数の第２ＮＦコンポーネントの識別子を第１ＮＦコンポーネントへ送信して、第１ＮＦコンポーネントが第２ＮＦコンポーネント識別子に基づき第２ＮＦコンポーネントにアクセスし及びユーザサービスを達成するために第２ＮＦを実行できるようにする。第２ＮＦコンポーネントの発見ポリシはネットワークルールに従いプリセットされるので、第１ＮＦコンポーネントの第２ＮＦコンポーネントへのアクセスは、ネットワークルールに従う。ＮＦコンポーネント間のアクセスがネットワークルールに従わない可能性のある従来技術と比較して、全てのＮＦコンポーネント間のアクセスがネットワークルールに従い、それにより正常なネットワーク動作を実現する。
【０１９３】
任意で、本願の幾つかの実施形態では、処理モジュール６０２は、さらに、１又は複数の第２ＮＦコンポーネントのコンポーネント情報を取得するよう構成され、第２ＮＦコンポーネントのコンポーネント情報は、第２ＮＦコンポーネントの識別子を含み、処理モジュール６０２は、さらに、１又は複数の第２ＮＦコンポーネントのコンポーネント情報から、１又は複数の第２ＮＦコンポーネントの識別子を取得するよう構成される。
【０１９４】
本願の本実施形態では、従来技術において、当業者は、機能種別に基づく異なるＮＦとして、ネットワーク内でサポートされる必要のある機能を定義する。ＮＦコンポーネントは、ＮＦをサポートでき、ネットワークスライス内で構成される。各展開されたＮＦコンポーネントのコンポーネント情報は、ＮＦ管理装置のローカルコンポーネント情報ベースに格納される。処理モジュール６０２は、１又は複数の第２ＮＦコンポーネントのコンポーネント情報を取得する。第２ＮＦコンポーネントのコンポーネント情報は、第２ＮＦコンポーネントの識別子を含み、１又は複数の第２ＮＦコンポーネントの識別子が１又は複数の第２ＮＦコンポーネントのコンポーネント情報から取得できるようにし、それにより、ＮＦ管理装置による中央ＮＦコンポーネント管理を実現する。
【０１９５】
任意で、本願の幾つかの実施形態では、ＮＦ発見要求は、期待ネットワークスライスの識別子を更に含み、第２ＮＦ識別子に基づき第２ＮＦの発見ポリシを取得するステップは、第２ＮＦ識別子及び期待ネットワークスライスの識別子に基づき、第２ＮＦの発見ポリシを取得するステップを含む。
【０１９６】
処理モジュール６０２は、さらに、第２ＮＦ識別子及び期待ネットワークスライスの識別子に基づき、期待ネットワークスライスの中の１又は複数の第２ＮＦコンポーネントの識別子を取得するよう構成される。
【０１９７】
本願の本実施形態では、第１ＮＦコンポーネントがネットワークスライス内の第２ＮＦを有するＮＦコンポーネントを発見しアクセスすることを期待している場合、第１ＮＦコンポーネントにより送信されたＮＦ発見要求は、さらに期待ネットワークスライスの識別子を含む。処理モジュール６０２が第２ＮＦ識別子及び期待ネットワークスライスの識別子に基づき第２ＮＦの発見ポリシを取得した後に、第２ＮＦの発見ポリシが第１ＮＦコンポーネントの第２ＮＦへのアクセスを許可する場合、処理モジュールは、第２ＮＦ識別子及び期待ネットワークスライスの識別子に基づき期待ネットワークスライスの中の１又は複数の第２ＮＦコンポーネントの識別子を取得する。
【０１９８】
任意で、本願の幾つかの実施形態では、ＮＦ発見要求は、ＮＦグループの識別子を更に含み、第２ＮＦ識別子に基づき第２ＮＦの発見ポリシを取得するステップは、第２ＮＦ識別子及びＮＦグループの識別子に基づき、第２ＮＦの発見ポリシを取得するステップを含む。
【０１９９】
処理モジュール６０２は、さらに、第２ＮＦ識別子及びＮＦグループの識別子に基づき、ＮＦグループの中の１又は複数の第２ＮＦコンポーネントの識別子を取得するよう構成される。
【０２００】
本願の本実施形態では、第１ＮＦコンポーネントがＮＦグループの中の第２ＮＦを有するＮＦコンポーネントを発見しアクセスすることを期待している場合、第１ＮＦコンポーネントにより送信されたＮＦ発見要求は、さらにＮＦグループの識別子を含む必要がある。処理モジュール６０２が第２ＮＦ識別子及びＮＦグループの識別子に基づき第２ＮＦの発見ポリシを取得した後に、第２ＮＦの発見ポリシが第１ＮＦコンポーネントの第２ＮＦへのアクセスを許可する場合、処理モジュールは、第２ＮＦ識別子及びＮＦグループの識別子に基づきＮＦグループの中の１又は複数の第２ＮＦコンポーネントの識別子を取得する。
【０２０１】
任意で、本願の幾つかの実施形態では、第２ＮＦの発見ポリシは、ＮＦの識別子及びＮＦによりアクセス可能なサービスの識別子を更に含む。処理モジュール６０２は、さらに、第１ＮＦコンポーネントにより送信されたＮＦ発見要求に基づき、第１ＮＦコンポーネントのＮＦの識別子を学習し、第１ＮＦコンポーネントによりアクセス可能なサービスの識別子を決定するために、ＮＦの識別子及びＮＦによりアクセス可能なサービスの識別子をクエリするよう構成される。送信モジュール６０３は、さらに、第１ＮＦコンポーネントへ、第１ＮＦコンポーネントによりアクセス可能なサービスの識別子を送信するよう構成される。
【０２０２】
任意で、本願の幾つかの実施形態では、コンポーネント情報はコンポーネント識別子及びＮＦ識別子を含む。
【０２０３】
任意で、本願の幾つかの実施形態では、コンポーネント情報は、コンポーネントアドレス、ネットワークスライス識別子、及びグループ識別子のうちのいずれか１つ又は何らかの組み合わせを更に含み得る。
【０２０４】
ＮＦ管理装置のモジュール構造の一実施形態が上述された。以下は、ＮＦ管理装置がサーバである一例を用いて、ＮＦ管理装置のエンティティ機器を記載する。
【０２０５】
図８を参照すると、本願の一実施形態は、無線ネットワークインタフェース８５０とＣＰＵ８２２とメモリ８３２とを含むＮＦ管理装置を提供する。ここで、無線ネットワークインタフェース８５０、ＣＰＵ８２２、及びメモリ８３２はバスを用いて互いに接続され、メモリ８３２はコンピュータ命令を格納し、ＣＰＵ８２２は以下の方法を実施するために該コンピュータ命令を実行する：  第１ＮＦコンポーネントにより送信されたＮＦ発見要求を受信するステップであって、ＮＦ発見要求は第２ＮＦ識別子を含み、第２ＮＦ識別子は第２ＮＦを示すために使用される、ステップと、
第２ＮＦ識別子に基づき第２ＮＦコンポーネントのコンポーネント情報を取得するステップであって、第２ＮＦコンポーネントは第２ＮＦを有し、コンポーネント情報は第２ＮＦコンポーネントの発見ポリシ及び第２ＮＦコンポーネント識別子を含む、ステップと、
コンポーネント情報の中の発見ポリシに基づき、第１ＮＦコンポーネントが第２ＮＦコンポーネントにアクセス可能か否かを決定するステップと、
可能な場合、第２ＮＦコンポーネント識別子を第１ＮＦコンポーネントへ送信するステップ。
【０２０６】
メモリ８３２はＮＦコンポーネントのコンポーネント情報を格納して良く、無線ネットワークインタフェース８５０は各ＮＦコンポーネントに接続される。
【０２０７】
図９の実施形態に基づき、図８を参照すると、図８は、本願の一実施形態による別のＮＦ管理装置の可能な概略構造図であり、ＮＦ管理装置は、
ネットワークインタフェース８５０（ネットワークインタフェースは無線ネットワークインタフェースにおけるインタフェースである）と、プロセッサ８２２と、メモリ８３２と、を含み、ネットワークインタフェース８５０、プロセッサ８２２、及びメモリ８３２はバスを用いて互いに接続され、メモリ８３２はコンピュータ命令を格納し、プロセッサ８２２は図９の方法を実施するために該コンピュータ命令を実行する。例えば、方法は、
第１ＮＦコンポーネントにより送信されたＮＦ発見要求を受信するステップであって、ＮＦ発見要求は第２ＮＦ識別子を含む、ステップと、
第２ＮＦ識別子に基づき第２ＮＦの発見ポリシを取得するステップと、
第２ＮＦの発見ポリシが、第１ＮＦコンポーネントの第２ＮＦへのアクセスを許可する場合、１又は複数の第２ＮＦコンポーネントの識別子を取得するステップであって、第２ＮＦコンポーネントは第２ＮＦを有する、ステップと、
第１ＮＦコンポーネントへ、１又は複数の第２ＮＦコンポーネントの識別子を送信するステップと、を含み得る。
【０２０８】
本発明で開示された内容と組み合わせて記載された方法又はアルゴリズムステップは、ハードウェアにより実施されて良く、又はソフトウェア命令を実行することによりプロセッサにより実施されて良い。ソフトウェア命令は、対応するソフトウェアモジュールを含んで良い。ソフトウェアモジュールは、ランダムアクセスメモリ（Random  Access  Memory、ＲＡＭ）、フラッシュメモリ、読み出し専用メモリ（Read−Only  Memory、ＲＯＭ）、消去可能プログラマブル読み出し専用メモリ（Erasable  Programmable  ROM、ＥＰＲＯＭ）、電気的消去可能プログラマブル読み出し専用メモリ（Electrically  EPROM、ＥＥＰＲＯＭ）、レジスタ、ハードディスク、モバイルハードディスク、コンパクトディスク読み出し専用メモリ（compact  disc  read−only  memory、ＣＤ−ＲＯＭ）、又は従来良く知られている任意の他の形式の記憶媒体に格納されて良い。例えば、プロセッサが記憶媒体から情報を読み出し又は記憶媒体に情報を書き込めるように、記憶媒体はプロセッサに結合される。勿論、記憶媒体は、プロセッサのコンポーネントであって良い。プロセッサ及び記憶媒体は、ＡＳＩＣの中に置かれて良い。さらに、ＡＳＩＣはコアネットワークインタフェース装置の中に置かれて良い。勿論、プロセッサ及び記憶媒体は、個別コンポーネントとしてコアネットワークインタフェース装置の中に存在して良い。
【０２０９】
当業者は、前述の１又は複数の例で、本発明において記載された機能がハードウェア、ソフトウェア、ファームウェア、又はそれらの任意の組み合わせにより実施され得ることに気付くべきである。機能がソフトウェアにより実装されるとき、前述の機能は、コンピュータ可読媒体に格納され、又はコンピュータ可読媒体の中の１又は複数の命令又はコードとして送信されて良い。コンピュータ可読媒体は、コンピュータ記憶媒体及び通信媒体を含み、通信媒体はコンピュータプログラムをある場所から別の場所へ送信させる任意の媒体を含む。記憶媒体は、汎用又は専用コンピュータにとってアクセス可能な任意の利用可能な媒体であって良い。
【０２１０】
留意すべきことに、説明を簡単にするために、前述の方法の実施形態は、一連の動作として表現された。しかしながら、当業者は、本願に従い幾つかのステップが他の順序で又は同時に実行されて良いので、本願が記載の動作順序に限定されないことを理解すべきである。さらに、本願明細書に記載の実施形態は全て好適な実施形態に属し、関連する動作及びモジュールは必ずしも本願により必要とされるものではないことが、当業者により理解されるべきである。
【０２１１】
当業者は、実施形態における方法のステップの全部又は一部が関連するハードウェアに指示するプログラムにより実装されて良いことを理解し得る。プログラムは、コンピュータ可読記憶媒体に格納されて良い。記憶媒体は、ＲＯＭ、ＲＡＭ、磁気ディスク、又は光ディスクを含み得る。
【０２１２】
本願の実施形態で提供されるＮＦ管理方法及びＮＦ管理装置は、以上に詳述された。本願の原理及び実装は本願明細書の特定の例を用いて本願明細書に記載された。実施形態の記載は、単に本願の方法及び核となる思想の理解を助けるために提供された。さらに、当業者は、本願の思想に基づき、特定の実装及び適用範囲の観点で、本願に対する変形及び変更を行うことができる。したがって、本願明細書の内容は、本願に対する限定として考えられるべきではない。
【手続補正２】
【補正対象書類名】特許請求の範囲
【補正対象項目名】全文
【補正方法】変更
【補正の内容】
【特許請求の範囲】
【請求項１】
ネットワーク機能（ＮＦ）管理方法であって、
第１ＮＦコンポーネントにより送信されたＮＦ発見要求を受信するステップであって、前記ＮＦ発見要求は第２ＮＦ識別子を含み、前記第２ＮＦ識別子は第２ＮＦを示すために使用される、ステップと、
前記第２ＮＦ識別子に基づき第２ＮＦコンポーネントのコンポーネント情報を取得するステップであって、前記第２ＮＦコンポーネントは前記第２ＮＦを有し、前記コンポーネント情報は前記第２ＮＦコンポーネントの発見ポリシ及び第２ＮＦコンポーネント識別子を含む、ステップと、
前記コンポーネント情報の中の前記発見ポリシに基づき、前記第１ＮＦコンポーネントが前記第２ＮＦコンポーネントにアクセス可能か否かを決定するステップと、
可能な場合、前記第２ＮＦコンポーネント識別子を前記第１ＮＦコンポーネントへ送信するステップと、
を含むＮＦ管理方法。
【請求項２】
前記第２ＮＦ識別子に基づき第２ＮＦコンポーネントのコンポーネント情報を取得する前記ステップは、
前記ＮＦ発見要求から前記第２ＮＦ識別子を取得するステップと、
前記第２ＮＦ識別子に基づき、ローカルコンポーネント情報ベースから前記第２ＮＦコンポーネントの前記コンポーネント情報を取得するステップであって、前記第２ＮＦコンポーネントの前記コンポーネント情報は、前記発見ポリシ及び前記第２ＮＦコンポーネント識別子を含む、ステップと、
を含む、請求項１に記載のＮＦ管理方法。
【請求項３】
前記ＮＦ発見要求は、期待ネットワークスライス識別子を更に含み、前記期待ネットワークスライス識別子は、期待される要求を通じて前記第１ＮＦコンポーネントにより発見されたネットワークスライスを示し、該ネットワークスライスの中に、前記第２ＮＦを有するＮＦコンポーネントが位置し、前記コンポーネント情報は前記第２ＮＦコンポーネントのネットワークスライス識別子を更に含み、前記第２ＮＦコンポーネントの前記ネットワークスライス識別子は、前記第２ＮＦコンポーネントの位置するネットワークスライスを示し、
前記第２ＮＦ識別子に基づき、ローカルコンポーネント情報ベースから前記第２ＮＦコンポーネントの前記コンポーネント情報を取得する前記ステップは、
前記第２ＮＦ識別子及び前記期待ネットワークスライス識別子に基づき、前記ローカルコンポーネント情報ベースから前記第２ＮＦコンポーネントの前記コンポーネント情報を取得するステップであって、前記第２ＮＦコンポーネントの前記コンポーネント情報は、前記第２ＮＦコンポーネント識別子及び前記ネットワークスライス識別子を含む、ステップ、を含む、請求項２に記載のＮＦ管理方法。
【請求項４】
前記発見ポリシは、
前記第２ＮＦコンポーネントが、前記第２ＮＦコンポーネントと同じネットワークスライス内のＮＦコンポーネントによってのみアクセス可能である、又は、
前記第２ＮＦコンポーネントが、指定ネットワークスライス内のＮＦコンポーネントによってのみアクセス可能である、又は、
前記第２ＮＦコンポーネントが、全てのネットワークスライス内のＮＦコンポーネントによりアクセス可能である、
を含む、請求項３に記載のＮＦ管理方法。
【請求項５】
前記ＮＦ発見要求は、前記第１ＮＦコンポーネントのネットワークスライス識別子を更に含み、
前記コンポーネント情報の中の前記発見ポリシに基づき、前記第１ＮＦコンポーネントが前記第２ＮＦコンポーネントにアクセス可能か否かを決定する前記ステップは、
前記第２ＮＦコンポーネントの前記発見ポリシ及び前記ネットワークスライス識別子に基づき、前記第２ＮＦコンポーネントの発見可能ネットワークスライスを決定するステップと、
前記第１ＮＦコンポーネントの前記ネットワークスライス識別子に基づき、前記第１ＮＦコンポーネントの位置するネットワークスライスが前記発見可能ネットワークスライスの中に存在するか否かを決定するステップと、
存在する場合、前記第１ＮＦコンポーネントが前記第２ＮＦコンポーネントにアクセス可能であると決定するステップと、
を含む、請求項４に記載のＮＦ管理方法。
【請求項６】
前記第２ＮＦコンポーネント識別子を前記第１ＮＦコンポーネントへ送信する前記ステップは、
前記第２ＮＦコンポーネント識別子に基づきコンポーネント発見応答を生成し、前記コンポーネント発見応答を前記第１ＮＦコンポーネントへ送信するステップ、を含む、請求項１に記載のＮＦ管理方法。
【請求項７】
前記方法は、
新しいＮＦコンポーネントが展開されると、前記新しく展開されたＮＦコンポーネントのコンポーネント情報を取得するステップであって、前記新しく展開されたＮＦコンポーネントの前記コンポーネント情報は、前記新しく展開されたＮＦコンポーネントのコンポーネント識別子、ＮＦ識別子、発見ポリシ、及びネットワークスライス識別子を含む、ステップと、
ローカルコンポーネント情報ベースに、前記新しく展開されたＮＦコンポーネントの前記コンポーネント情報を格納するステップと、
を更に含む請求項１乃至６のいずれか一項に記載のＮＦ管理方法。
【請求項８】
ネットワーク機能（ＮＦ）管理方法であって、
第１ＮＦコンポーネントにより送信されるＮＦ発見要求を受信するステップであって、前記ＮＦ発見要求は第２ＮＦ識別子を含む、ステップと、
前記第２ＮＦ識別子に基づき第２ＮＦの発見ポリシを取得するステップと、
前記第２ＮＦの前記発見ポリシが、前記第１ＮＦコンポーネントが前記第２ＮＦにアクセスすることを許可する場合、１又は複数の第２ＮＦコンポーネントの識別子を取得するステップであって、前記第２ＮＦコンポーネントは前記第２ＮＦを有する、ステップと、
前記第１ＮＦコンポーネントへ、前記１又は複数の第２ＮＦコンポーネントの前記識別子を送信するステップと、
を含むＮＦ管理方法。
【請求項９】
１又は複数の第２ＮＦコンポーネントの識別子を取得する前記ステップは、
前記１又は複数の第２ＮＦコンポーネントのコンポーネント情報を取得するステップであって、前記第２ＮＦコンポーネントの前記コンポーネント情報は、前記第２ＮＦコンポーネントの前記識別子を含む、ステップと、
前記１又は複数の第２ＮＦコンポーネントの前記コンポーネント情報から、前記１又は複数の第２ＮＦコンポーネントの前記識別子を取得するステップと、
を含む、請求項８に記載のＮＦ管理方法。
【請求項１０】
前記ＮＦ発見要求は期待ネットワークスライスの識別子を更に含み、前記第２ＮＦ識別子に基づき第２ＮＦの発見ポリシを取得する前記ステップは、前記第２ＮＦ識別子及び前記期待ネットワークスライスの前記識別子に基づき、前記第２ＮＦの前記発見ポリシを取得するステップを含み、
前記１又は複数の第２ＮＦコンポーネントのコンポーネント情報を取得する前記ステップは、
前記第２ＮＦ識別子及び前記期待ネットワークスライスの前記識別子に基づき、前記期待ネットワークスライスの中の前記１又は複数の第２ＮＦコンポーネントの前記識別子を取得するステップ、を含む、請求項８又は９に記載のＮＦ管理方法。
【請求項１１】
前記ＮＦ発見要求はＮＦグループの識別子を更に含み、前記第２ＮＦ識別子に基づき第２ＮＦの発見ポリシを取得する前記ステップは、前記第２ＮＦ識別子及び前記ＮＦグループの前記識別子に基づき、前記第２ＮＦの前記発見ポリシを取得するステップを含み、
前記１又は複数の第２ＮＦコンポーネントのコンポーネント情報を取得する前記ステップは、
前記第２ＮＦ識別子及び前記ＮＦグループの前記識別子に基づき、前記ＮＦグループの中の前記１又は複数の第２ＮＦコンポーネントの前記識別子を取得するステップ、を含む、請求項８又は９に記載のＮＦ管理方法。
【請求項１２】
前記第２ＮＦの前記発見ポリシは、ＮＦの識別子及び前記ＮＦによりアクセス可能なサービスの識別子を更に含み、
前記方法は、
前記第１ＮＦコンポーネントにより送信された前記ＮＦ発見要求に基づき、前記第１ＮＦコンポーネントのＮＦの識別子を学習するステップと、
前記第１ＮＦコンポーネントによりアクセス可能なサービスの識別子を決定するために、前記ＮＦの前記識別子及び前記ＮＦによりアクセス可能な前記サービスの前記識別子をクエリするステップと、
前記第１ＮＦコンポーネントへ、前記第１ＮＦコンポーネントによりアクセス可能な前記サービスの前記識別子を送信するステップと、
を更に含む請求項８又は９に記載のＮＦ管理方法。
【請求項１３】
前記コンポーネント情報は、コンポーネント識別子及びＮＦ識別子を含む、請求項９乃至１１のいずれか一項に記載のＮＦ管理方法。
【請求項１４】
前記コンポーネント情報は、ＮＦコンポーネントアドレス、ネットワークスライス識別子、及びグループ識別子のうちのいずれか１つ又は何らかの組み合わせを更に含む、請求項１３に記載のＮＦ管理方法。
【請求項１５】
前記発見ポリシは、
前記第２ＮＦが、同じネットワークスライス内のＮＦコンポーネントによってのみアクセス可能である、又は、
前記第２ＮＦが、指定ネットワークスライス内のＮＦコンポーネントによってのみアクセス可能である、又は、
前記第２ＮＦが、全てのネットワークスライス内のＮＦコンポーネントによりアクセス可能である、
を含む、請求項８乃至１４のいずれか一項に記載のＮＦ管理方法。
【請求項１６】
ネットワーク機能（ＮＦ）管理装置であって、
第１ＮＦコンポーネントにより送信されたＮＦ発見要求を受信するよう構成される受信モジュールであって、前記ＮＦ発見要求は第２ＮＦ識別子を含み、前記第２ＮＦ識別子は第２ＮＦを示すために使用される、受信モジュールと、
前記第２ＮＦ識別子に基づき第２ＮＦコンポーネントのコンポーネント情報を取得するよう構成される処理モジュールであって、前記第２ＮＦコンポーネントは前記第２ＮＦを有し、前記コンポーネント情報は前記第２ＮＦコンポーネントの発見ポリシ及び第２ＮＦコンポーネント識別子を含み、
前記処理モジュールは、前記コンポーネント情報の中の前記発見ポリシに基づき、前記第１ＮＦコンポーネントが前記第２ＮＦコンポーネントにアクセス可能か否かを決定するよう更に構成される、処理モジュールと、
前記第１ＮＦコンポーネントが前記第２ＮＦコンポーネントにアクセス可能なとき、前記第２ＮＦコンポーネント識別子を前記第１ＮＦコンポーネントへ送信するよう構成される送信モジュールと、
を含むＮＦ管理装置。
【請求項１７】
前記処理モジュールは、前記ＮＦ発見要求から前記第２ＮＦ識別子を取得するよう更に構成され、
前記処理モジュールは、前記第２ＮＦ識別子に基づき、ローカルコンポーネント情報ベースから前記第２ＮＦコンポーネントの前記コンポーネント情報を取得するよう更に構成され、前記第２ＮＦコンポーネントの前記コンポーネント情報は、前記発見ポリシ及び前記第２ＮＦコンポーネント識別子を含む、請求項１６に記載のＮＦ管理装置。
【請求項１８】
前記ＮＦ発見要求は、期待ネットワークスライス識別子を更に含み、前記期待ネットワークスライス識別子は、期待される要求を通じて前記第１ＮＦコンポーネントにより発見されたネットワークスライスを示し、該ネットワークスライスの中に、前記第２ＮＦを有するＮＦコンポーネントが位置し、前記コンポーネント情報は前記第２ＮＦコンポーネントのネットワークスライス識別子を更に含み、前記第２ＮＦコンポーネントの前記ネットワークスライス識別子は、前記第２ＮＦコンポーネントの位置するネットワークスライスを示し、
前記処理モジュールは、前記第２ＮＦ識別子及び前記期待ネットワークスライス識別子に基づき、前記ローカルコンポーネント情報ベースから前記第２ＮＦコンポーネントの前記コンポーネント情報を取得するよう更に構成され、前記第２ＮＦコンポーネントの前記コンポーネント情報は、前記第２ＮＦコンポーネント識別子及び前記ネットワークスライス識別子を含む、請求項１７に記載のＮＦ管理装置。
【請求項１９】
前記発見ポリシは、
前記第２ＮＦコンポーネントが、前記第２ＮＦコンポーネントと同じネットワークスライス内のＮＦコンポーネントによってのみアクセス可能である、又は、
前記第２ＮＦコンポーネントが、指定ネットワークスライス内のＮＦコンポーネントによってのみアクセス可能である、又は、
前記第２ＮＦコンポーネントが、全てのネットワークスライス内のＮＦコンポーネントによりアクセス可能である、
を含む、請求項１８に記載のＮＦ管理装置。
【請求項２０】
前記ＮＦ発見要求は、前記第１ＮＦコンポーネントのネットワークスライス識別子を更に含み、
前記処理モジュールは、前記第２ＮＦコンポーネントの前記発見ポリシ及び前記ネットワークスライス識別子に基づき、前記第２ＮＦコンポーネントの発見可能ネットワークスライスを決定するよう更に構成され、
前記処理モジュールは、前記第１ＮＦコンポーネントの前記ネットワークスライス識別子に基づき、前記第１ＮＦコンポーネントの位置するネットワークスライスが前記発見可能ネットワークスライスの中に存在するか否かを決定するよう更に構成され、
前記処理モジュールは、前記第１ＮＦコンポーネントの位置する前記ネットワークスライスが前記発見可能ネットワークスライスの中に存在するとき、前記第１ＮＦコンポーネントは前記第２ＮＦコンポーネントにアクセス可能であると決定するよう更に構成される、
請求項１９に記載のＮＦ管理装置。
【請求項２１】
前記送信モジュールは、具体的に、前記第２ＮＦコンポーネント識別子に基づき、コンポーネント発見応答を生成し、前記コンポーネント発見応答を前記第１ＮＦコンポーネントへ送信するよう構成される、請求項１６に記載のＮＦ管理装置。
【請求項２２】
前記ＮＦ管理装置は、記憶モジュールを更に含み、
前記記憶モジュールは、新しいＮＦコンポーネントが展開されると、前記新しく展開されたＮＦコンポーネントのコンポーネント情報を取得するよう構成され、前記新しく展開されたＮＦコンポーネントの前記コンポーネント情報は、前記新しく展開されたＮＦコンポーネントのコンポーネント識別子、ＮＦ識別子、発見ポリシ、及びネットワークスライス識別子を含み、
前記記憶モジュールは、ローカルコンポーネント情報ベースに、前記新しく展開されたＮＦコンポーネントの前記コンポーネント情報を格納するよう更に構成される、
請求項１６乃至２１のいずれか一項に記載のＮＦ管理装置。
【請求項２３】
ネットワーク機能（ＮＦ）管理装置であって、
第１ＮＦコンポーネントにより送信されるＮＦ発見要求を受信するよう構成される受信モジュールであって、前記ＮＦ発見要求は第２ＮＦ識別子を含む、受信モジュールと、
前記第２ＮＦ識別子に基づき第２ＮＦの発見ポリシを取得するよう構成される処理モジュールであって、前記処理モジュールは、前記第２ＮＦの前記発見ポリシが、前記第１ＮＦコンポーネントが前記第２ＮＦにアクセスすることを許可する場合、１又は複数の第２ＮＦコンポーネントの識別子を取得するよう更に構成され、前記第２ＮＦコンポーネントは前記第２ＮＦを有する、処理モジュールと、
前記第１ＮＦコンポーネントへ、前記１又は複数の第２ＮＦコンポーネントの前記識別子を送信するよう構成される送信モジュールと、
を含むＮＦ管理装置。
【請求項２４】
前記処理モジュールは、前記１又は複数の第２ＮＦコンポーネントのコンポーネント情報を取得するよう更に構成され、前記第２ＮＦコンポーネントの前記コンポーネント情報は、前記第２ＮＦコンポーネントの前記識別子を含み、
前記処理モジュールは、前記１又は複数の第２ＮＦコンポーネントの前記コンポーネント情報から、前記１又は複数の第２ＮＦコンポーネントの前記識別子を取得するよう更に構成される、請求項２３に記載のＮＦ管理装置。
【請求項２５】
前記ＮＦ発見要求は期待ネットワークスライスの識別子を更に含み、前記第２ＮＦ識別子に基づき第２ＮＦの発見ポリシを取得することは、前記第２ＮＦ識別子及び前記期待ネットワークスライスの前記識別子に基づき、前記第２ＮＦの前記発見ポリシを取得することを含み、
前記処理モジュールは、前記第２ＮＦ識別子及び前記期待ネットワークスライスの前記識別子に基づき、前記期待ネットワークスライスの中の前記１又は複数の第２ＮＦコンポーネントの前記識別子を取得するよう更に構成される、請求項２３又は２４に記載のＮＦ管理装置。
【請求項２６】
前記ＮＦ発見要求はＮＦグループの識別子を更に含み、前記第２ＮＦ識別子に基づき第２ＮＦの発見ポリシを取得することは、前記第２ＮＦ識別子及び前記ＮＦグループの前記識別子に基づき、前記第２ＮＦの前記発見ポリシを取得することを含み、
前記処理モジュールは、前記第２ＮＦ識別子及び前記ＮＦグループの前記識別子に基づき、前記ＮＦグループの中の前記１又は複数の第２ＮＦコンポーネントの前記識別子を取得するよう更に構成される、請求項２３又は２４に記載のＮＦ管理装置。
【請求項２７】
前記第２ＮＦの前記発見ポリシは、ＮＦの識別子及び前記ＮＦによりアクセス可能なサービスの識別子を更に含み、
前記処理モジュールは、前記第１ＮＦコンポーネントにより送信された前記ＮＦ発見要求に基づき、前記第１ＮＦコンポーネントのＮＦの識別子を学習し、前記第１ＮＦコンポーネントによりアクセス可能なサービスの識別子を決定するために、前記ＮＦの前記識別子及び前記ＮＦによりアクセス可能な前記サービスの前記識別子をクエリするよう更に構成され、
前記送信モジュールは、前記第１ＮＦコンポーネントへ、前記第１ＮＦコンポーネントによりアクセス可能な前記サービスの前記識別子を送信するよう更に構成される、
請求項２３又は２４に記載のＮＦ管理装置。
【請求項２８】
前記コンポーネント情報は、コンポーネント識別子及びＮＦ識別子を含む、請求項２４に記載のＮＦ管理装置。
【請求項２９】
前記コンポーネント情報は、コンポーネントアドレス、ネットワークスライス識別子、及びグループ識別子のうちのいずれか１つ又は何らかの組み合わせを更に含む、請求項２８に記載のＮＦ管理装置。
【請求項３０】
前記発見ポリシは、
前記第２ＮＦが、同じネットワークスライス内のＮＦコンポーネントによってのみアクセス可能である、又は、
前記第２ＮＦが、指定ネットワークスライス内のＮＦコンポーネントによってのみアクセス可能である、又は、
前記第２ＮＦが、全てのネットワークスライス内のＮＦコンポーネントによりアクセス可能である、
を含む、請求項２３乃至２９のいずれか一項に記載のＮＦ管理装置。
【請求項３１】
コンピュータ可読記憶媒体であって、記録されたプログラムを有し、前記プログラムは、コンピュータに請求項１乃至１５のいずれかに記載の方法を実行させる、コンピュータ可読記憶媒体。
【請求項３２】
コンピュータに請求項１乃至１５のいずれかに記載の方法を実行させるプログラム。
【請求項３３】
第１ネットワーク機能（ＮＦ）コンポーネントと、請求項１６乃至３０のいずれか一項に記載のＮＦ管理装置と、を含むシステム。
【国際調査報告】
2019525604.tif 000012
2019525604.tif 000013
2019525604.tif 000014
2019525604.tif 000015
2019525604.tif 000016
2019525604.tif 000017